(57)【要約】  本開示は、画像の取得の制御に関するシステム、方法、及びデバイスを提供する。例えば、制御装置が提供され、これは、移動体により支持される撮像装置により取得された画像を表示するディスプレイと、（１）画像内に表示されているターゲットを示すユーザ入力に関する情報を取得し、（２）ターゲットを示すユーザ入力に関する情報に基づいて、（ａ）撮像装置のズームレベル、及び（ｂ）ターゲットに関する撮像装置の姿勢の自動制御を実行するためのデータを生成する１つ又は複数のプロセッサとを含む。
2019537306.tif 000002
【特許請求の範囲】
【請求項１】
制御装置において、
移動体により支持される撮像装置により取得される画像を表示するディスプレイと、
（１）前記画像内に表示されているターゲットを示すユーザ入力に関する情報を取得し、
（２）前記ターゲットを示す前記ユーザ入力に関する前記情報に基づいて、（ａ）前記撮像装置のズームレベル、及び（ｂ）前記ターゲットに関する前記撮像装置の姿勢の自動制御を実行する１つ又は複数のプロセッサと
を含む制御装置。
【請求項２】
前記ディスプレイはタッチクリーンである、請求項１に記載の制御装置。
【請求項３】
前記ユーザ入力は前記ディスプレイのある領域に対する接触である、請求項２に記載の制御装置。
【請求項４】
ディスプレイの前記領域は前記ターゲットを表示している、請求項３に記載の制御装置。
【請求項５】
前記ターゲットを示す前記ユーザ入力は１回のユーザ動作により提供される、請求項１に記載の制御装置。
【請求項６】
前記ユーザ入力に関する前記情報は前記ディスプレイ内の、前記ターゲットが示される場所を含む、請求項１に記載の制御装置。
【請求項７】
前記ディスプレイは更に、前記撮像装置の前記ズームレベルを制御するための１つ又は複数のズームコントロールを表示する、請求項１に記載の制御装置。
【請求項８】
前記１つ又は複数のズームコントロールは、（ｉ）前記撮像装置の前記ズームレベルを上げるズームインコントロールと、（ｉｉ）前記撮像装置の前記ズームレベルを下げるズームアウトコントロールとを含む、請求項７に記載の制御装置。
【請求項９】
前記１つ又は複数のズームコントロールは、前記撮像装置の前記ズームレベルをプリセットズームレベルに設定するためのデフォルトズームコントロールを含む、請求項７に記載の制御装置。
【請求項１０】
前記プリセットズームレベルは、ユーザにより構成可能である、請求項７に記載の制御装置。
【請求項１１】
前記ディスプレイは更に、ユーザが前記撮像装置の前記ズームレベルを自動的に調整するための所定のズーム比を選択するメニューを表示する、請求項１に記載の制御装置。
【請求項１２】
（ａ）及び（ｂ）の前記自動制御を実行するための前記データは、前記撮像装置、前記撮像装置を支持する支持機構、又は前記移動体のうちの少なくとも１つに対する（ａ）及び（ｂ）の前記自動制御のための命令を含む、請求項１に記載の制御装置。
【請求項１３】
（ａ）及び（ｂ）の前記自動制御を実行するための前記データは、前記撮像装置、前記撮像装置を支持する支持機構、又は前記移動体に送信されるべき、前記ディスプレイ内の前記ターゲットを示す座標を含む、請求項１に記載の制御装置。
【請求項１４】
前記座標は、前記支持機構及び／又は前記移動体の１つ又は複数の作動機構のための制御コマンドを生成するために使用される、請求項１３に記載の制御装置。
【請求項１５】
（ａ）及び（ｂ）の前記自動制御を実行するための前記データは、前記撮像装置、前記撮像装置を支持する支持機構、又は前記移動体に送信されるべき、前記撮像装置の前記ズームレベルを自動的に調整するための所定の比を含む、請求項１に記載の制御装置。
【請求項１６】
前記撮像装置の前記ズームレベルは、前記撮像装置の前記ズームレベルを所定の比により自動的に調整することによって自動的に制御される、請求項１に記載の制御装置。
【請求項１７】
前記撮像装置の前記ズームレベルは、ズームインを実行するために自動的に調整される、請求項１６に記載の制御装置。
【請求項１８】
前記ターゲットに関する前記撮像装置の前記姿勢は、前記移動体に関する前記撮像装置の姿勢、前記ターゲットに関する前記移動体の姿勢、又は前記撮像装置の前記姿勢と前記移動体の前記姿勢の両方を調整することによって自動的に調整される、請求項１に記載の制御装置。
【請求項１９】
前記ターゲットに関する前記撮像装置の前記姿勢は、前記ターゲットが前記ディスプレイ内の所定の場所に、又はその付近に表示されるように自動的に制御される、請求項１に記載の制御装置。
【請求項２０】
前記データは（ａ）及び（ｂ）の前記自動制御を実質的に同時に実行する、請求項１に記載の制御装置。
【請求項２１】
前記撮像装置、前記撮像装置を支持する支持機構、又は前記移動体のうちの少なくとも１つと通信する通信ユニットを更に含む、請求項１に記載の制御装置。
【請求項２２】
前記撮像装置は前記移動体に対して移動可能である、請求項１に記載の制御装置。
【請求項２３】
前記撮像装置は、支持機構を用いて前記移動体により支持される、請求項１に記載の制御装置。
【請求項２４】
前記支持機構により前記撮像装置は少なくとも２つの軸の周囲で前記移動体に対して回転できる、請求項２３に記載の制御装置。
【請求項２５】
前記移動体は無人航空機（ＵＡＶ）である、請求項１に記載の制御装置。
【請求項２６】
画像を取得するためのプログラム命令を含む非一時的コンピュータ可読媒体において、
移動体により支持される撮像装置により取得された前記画像をディスプレイ上に表示するためのプログラム命令と、
前記画像内に表示されているターゲットを示すユーザ入力に関する情報を取得するためのプログラム命令と、
前記ターゲットを示す前記ユーザ入力に関する前記情報に基づいて、（ａ）前記撮像装置のズームレベルと、（ｂ）前記ターゲットに関する前記撮像装置の姿勢の自動制御を実行するためのデータを生成するプログラム命令と
を含む非一時的コンピュータ可読媒体。
【請求項２７】
前記ディスプレイはタッチスクリーンである、請求項２６に記載の非一時的コンピュータ可読媒体。
【請求項２８】
前記ターゲットを示す前記ユーザ入力は１回のユーザ動作により提供される、請求項２６に記載の非一時的コンピュータ可読媒体。
【請求項２９】
前記ディスプレイは更に、前記撮像装置の前記ズームレベルを制御するための１つ又は複数のズームコントロールを表示する、請求項２６に記載の非一時的コンピュータ可読媒体。
【請求項３０】
前記データは、（ａ）及び（ｂ）の前記自動制御を実質的に同時に実行する、請求項２６に記載の非一時的コンピュータ可読媒体。
【請求項３１】
画像を取得する方法において、
移動体により支持される撮像装置により取得された画像をディスプレイ上に表示するステップと、
前記画像内に表示されているターゲットを示すユーザ入力に関する情報を取得するステップと、
前記ターゲットを示す前記ユーザ入力に関する前記情報に基づいて、（ａ）前記撮像装置のズームレベル、及び（ｂ）前記ターゲットに関する前記撮像装置の姿勢の自動制御を実行するためのデータを生成するステップと
を含む方法。
【請求項３２】
前記ディスプレイはタッチスクリーンである、請求項３１に記載の方法。
【請求項３３】
前記ターゲットを示す前記ユーザ入力は１回のユーザ動作により提供される、請求項３１に記載の方法。
【請求項３４】
前記データは、（ａ）及び（ｂ）の前記自動制御を実質的に同時に実行する、請求項３１に記載の方法。
【請求項３５】
制御装置において、
移動体により支持される撮像装置により取得された画像を表示するディスプレイと、
（１）前記画像内に表示されているターゲットを示すユーザ入力に関する情報を取得し、
（２）前記ターゲットを示す前記ユーザ入力に関する前記情報に基づいて、（ａ）前記ディスプレイ上に表示される前記ターゲットの大きさ、及び（ｂ）前記ディスプレイ上に表示されている前記ターゲットの位置の自動制御を実行するためのデータを生成する１つ又は複数のプロセッサと
を含む制御装置。
【請求項３６】
前記ディスプレイはタッチスクリーンである、請求項３５に記載の制御装置。
【請求項３７】
前記ユーザ入力は前記ディスプレイのある領域に対する接触である、請求項３６に記載の制御装置。
【請求項３８】
ディスプレイの前記領域は前記ターゲットを表示している、請求項３７に記載の制御装置。
【請求項３９】
前記ターゲットを示す前記ユーザ入力は１回のユーザ動作により提供される、請求項３５に記載の制御装置。
【請求項４０】
前記ユーザ入力に関する前記情報は、前記ディスプレイ内の前記ターゲットが表示されている場所を含む、請求項３５に記載の制御装置。
【請求項４１】
前記ディスプレイは更に、前記撮像装置の前記ズームレベルを制御するための１つ又は複数のズームコントロールを表示する、請求項３５に記載の制御装置。
【請求項４２】
前記１つ又は複数のズームコントロールは、（ｉ）前記撮像装置の前記ズームレベルを上げるズームインコントロールと、（ｉｉ）前記撮像装置の前記ズームレベルを下げるズームアウトコントロールを含む、請求項４１に記載の制御装置。
【請求項４３】
前記１つ又は複数のズームコントロールは、前記撮像装置の前記ズームレベルをプリセットズームレベルに設定するためのデフォルトズームコントロールを含む、請求項４１に記載の制御装置。
【請求項４４】
前記プリセットズームレベルは、ユーザにより構成可能である、請求項４１に記載の制御装置。
【請求項４５】
前記ディスプレイは、ユーザが前記撮像装置の前記ズームレベルを自動的に調整するための所定のズーム比を選択するメニューを更に表示する、請求項３５に記載の制御装置。
【請求項４６】
（ａ）及び（ｂ）の前記自動制御を実行するための前記データは、前記撮像装置、前記撮像装置を支持する支持機構、又は前記移動体のうちの少なくとも１つに対する（ａ）及び（ｂ）の前記自動制御のための命令を含む、請求項３５に記載の制御装置。
【請求項４７】
（ａ）及び（ｂ）の前記自動制御を実行するための前記データは、前記撮像装置、前記撮像装置を支持する支持機構、又は前記移動体に送信されるべき、前記ターゲットを表示する前記ディスプレイ内の座標を含む、請求項３５に記載の制御装置。
【請求項４８】
（ａ）及び（ｂ）の前記自動制御を実行するための前記データは、前記撮像装置、前記撮像装置を支持する支持機構、又は前記移動体に送信されるべき前記撮像装置の前記ズームレベルを自動的に調整するための所定の比を含む、請求項３５に記載の制御装置。
【請求項４９】
前記ターゲットの大きさは、前記撮像装置のズームレベルを自動的に制御することによって自動的に制御される、請求項３５に記載の制御装置。
【請求項５０】
前記撮像装置の前記ズームレベルは、ズームインを実行するために自動的に調整される、請求項３５に記載の制御装置。
【請求項５１】
前記ターゲットの前記大きさは、前記撮像装置のズームレベル、前記ターゲットまでの前記撮像装置の距離、又は前記撮像装置の前記ズームレベルと前記ターゲットまでの前記撮像装置の前記距離の両方を自動的に制御することによって自動的に制御される、請求項３５に記載の制御装置。
【請求項５２】
前記ターゲットの前記位置は、前記ターゲットに関する前記移動体の姿勢を自動的に制御することによって自動的に制御される、請求項３５に記載の制御装置。
【請求項５３】
前記ターゲットに関する前記撮像装置の姿勢は、前記移動体に関する前記撮像装置の姿勢、前記ターゲットに関する前記移動体の姿勢、又は前記撮像装置の前記姿勢と前記移動体の前記姿勢の両方を調整することによって自動的に調整される、請求項３５に記載の制御装置。
【請求項５４】
前記データは、（ａ）及び（ｂ）の前記自動制御を実質的に同時に実行する、請求項３５に記載の制御装置。
【請求項５５】
前記撮像装置、前記撮像装置を支持する支持機構、又は前記移動体の少なくとも１つと通信する通信ユニットを更に含む、請求項３５に記載の制御装置。
【請求項５６】
前記通信ユニットは、（ａ）及び（ｂ）の前記自動制御を実行するためのデータを無線送信するように構成される、請求項５５に記載の制御装置。
【請求項５７】
前記撮像装置は、支持機構を用いて前記移動体により支持される、請求項３５に記載の制御装置。
【請求項５８】
前記移動体は無人航空機（ＵＡＶ）である、請求項３５に記載の制御装置、請求項１に記載の制御装置。
【請求項５９】
画像を取得するためのプログラム命令を含む非一時的コンピュータ可読媒体において、
移動体により支持される撮像装置により取得された前記画像をディスプレイ上に表示するためのプログラム命令と、
前記画像内に表示されているターゲットを示すユーザ入力に関する情報を取得するためのプログラム命令と、
前記ターゲットを示す前記ユーザ入力に関する前記情報に基づいて、（ａ）前記ディスプレイ上に表示されている前記ターゲットの大きさ、及び（ｂ）前記ディスプレイ上に表示されている前記ターゲットの位置の自動制御を実行するデータを生成するためのプログラム命令と
を含む非一時的コンピュータ可読媒体。
【請求項６０】
前記ディスプレイはタッチスクリーンである、請求項５９に記載の非一時的コンピュータ可読媒体。
【請求項６１】
前記ターゲットを示す前記ユーザ入力は１回のユーザ動作により提供される、請求項５９に記載の非一時的コンピュータ可読媒体。
【請求項６２】
非一時的コンピュータ可読媒体。
【請求項６３】
前記データは（ａ）及び（ｂ）の前記自動制御を実質的に同時に実行する、請求項５９に記載の非一時的コンピュータ可読媒体。
【請求項６４】
画像を取得する方法において、
移動体により支持される撮像装置により取得された前記画像をディスプレイ上に表示するステップと、
前記画像内に表示されているターゲットを示すユーザ入力に関する情報を取得するステップと、
前記ターゲットを示す前記ユーザ入力に関する前記情報に基づいて、（ａ）前記ディスプレイ上に表示されている前記ターゲットの大きさ、及び（ｂ）前記ディスプレイ上に表示されている前記ターゲットの位置の自動制御を実行するデータを生成するステップと、
を含む方法。
【請求項６５】
前記ターゲットを示す前記ユーザ入力は１回のユーザ動作により提供される、請求項６４に記載の方法。
【請求項６６】
前記移動体は無人航空機（ＵＡＶ）である、請求項６４に記載の方法、請求項１に記載の制御装置。
【請求項６７】
制御装置において、
移動体により支持される撮像装置により取得された１つ又は複数の画像を表示するディスプレイと、
（１）前記ディスプレイ上に表示された前記画像のズームレベルをプリセットズームレベルまで、又は所定のズーム比により調整することを示すユーザ入力に関する情報を取得し、
（２）１回のユーザ入力に基づいて、（ａ）前記撮像装置のズームレベル、（ｂ）前記画像内に表示されている前記ターゲットからの前記撮像装置の距離、又は（ｃ）前記撮像装置の前記ズームレベルと前記撮像装置の前記距離の両方の自動調整を実行して、（ｉ）前記ディスプレイ上に表示された前記画像が前記プリセットズームレベルであるか、又は（ｉｉ）前記ディスプレイ上に表示された前記画像の前記ズームレベルが前記所定のズーム比により調整される１つ又は複数のプロセッサと
を含む制御装置。
【請求項６８】
前記プリセットズームレベルは１×の光学ズームである、請求項６７に記載の制御装置。
【請求項６９】
前記プリセットズームレベルは、前記撮像装置が画像の取得を開始する当初のズームレベルである、請求項６７に記載の制御装置。
【請求項７０】
前記画像の前記ズームレベルは、前記プリセットズームレベルに、（１）前記撮像装置がズーム可能な、（２）前記ターゲットからの前記撮像装置の前記距離が変更可能な、又は（３）（１）と（２）の組合せのうちの最速の速度で自動的に調整される、請求項６７に記載の制御装置。
【請求項７１】
前記１回のユーザ入力は前記ディスプレイ上の所定の領域のタッチである、請求項６７に記載の制御装置。
【請求項７２】
前記ディスプレイの前記所定の領域は、前記画像が前記プリセットズームレベルまでズームされるようにするデフォルトズームコントロールを表示する、請求項７１に記載の制御装置。
【請求項７３】
前記ディスプレイは、そこを通じてユーザが前記ズーム比を選択するメニューを更に表示する、請求項６７に記載の制御装置。
【請求項７４】
前記メニューは、前記ユーザが前記ディスプレイを時間の閾値長さより長い時間にわたりタッチした時に可視化される、請求項７３に記載の制御装置。
【請求項７５】
前記メニューは、前記ユーザが前記ディスプレイを閾値圧力より高い圧力でタッチした時に可視化する、請求項７３に記載の制御装置。
【請求項７６】
前記ディスプレイはタッチスクリーンである、請求項６７に記載の制御装置。
【請求項７７】
前記前記ディスプレイは、前記ユーザが前記画像のズームイン又はズームアウトを制御するための１つ又は複数のズームコントロールを更に表示する、請求項６７に記載の制御装置。
【請求項７８】
前記１つ又は複数のズームコントロールは、（ｉ）前記ディスプレイのズームイン領域であって、前記ユーザが前記ズームイン領域に触っている間に前記画像がズームインされるようにするズームイン領域と、（ｉｉ）前記ディスプレイのズームアウト領域であって、前記ユーザが前記ズームアウト領域に触っている間に前記画像がズームアウトされるようにするズームアウト領域とを含む、請求項７７に記載の制御装置。
【請求項７９】
前記（ａ）、（ｂ）、又は（ｃ）の前記自動調整を実行する前記命令は、前記撮像装置、前記撮像装置を支持する支持機構、又は前記移動体のうちの少なくとも１つに対する（ａ）、（ｂ）、又は（ｃ）の前記自動調整のための命令を含む、請求項６７に記載の制御装置。
【請求項８０】
前記画像の前記ズームレベルは、前記撮像装置の前記ズームレベルを自動的に調整することによって自動的に調整される、請求項６７に記載の制御装置。
【請求項８１】
前記制御装置、前記撮像装置、前記撮像装置を支持する支持機構、又は前記移動体のうちの少なくとも１つと通信する通信ユニットを更に含む、請求項６７に記載の制御装置。
【請求項８２】
前記撮像装置は、支持機構を用いて前記移動体により支持される、請求項６７に記載の制御装置。
【請求項８３】
前記移動体は無人航空機（ＵＡＶ）である、請求項６７に記載の制御装置。
【請求項８４】
画像のズームレベルを制御するためのプログラム命令を含む非一時的コンピュータ可読媒体において、
移動体により支持された撮像装置により取得された１つ又は複数の画像をディスプレイ上に表示するためのプログラム命令と、
前記ディスプレイ上に表示された画像のズームレベルをプリセットズームレベルまで、又は所定のズーム比により調製することを示す１回のユーザ入力に関する情報を取得するためのプログラム命令と、
前記１回のユーザ入力に基づいて、（ａ）前記撮像装置のズームレベル、（ｂ）前記画像内のターゲットからの前記撮像装置の距離、又は（ｃ）前記撮像装置の前記ズームレベルと前記距離の両方の自動調整を実行して、（ｉ）前記ディスプレイ上に表示された前記画像が前記プリセットズームレベルであるか、又は（ｉｉ）前記ディスプレイ上に表示された前記画像の前記ズームレベルが前記所定のズーム比により調整されるようにするためのプログラム命令と、
を含む非一時的コンピュータ可読媒体。
【請求項８５】
前記画像の前記ズームレべルは、前記プリセットズームレベルに、（１）前記撮像装置がズーム可能な、（２）前記ターゲットからの前記撮像装置の前記距離が変更可能な、又は（３）（１）と（２）の組合せのうちの最速の速度で自動的に調整される、請求項８４に記載の非一時的コンピュータ可読媒体。
【請求項８６】
前記１回のユーザ入力は前記ディスプレイ上の所定の領域のタッチである、請求項８４に記載の非一時的コンピュータ可読媒体。
【請求項８７】
前記移動体は無人航空機（ＵＡＶ）である、請求項８４に記載の非一時的コンピュータ可読媒体。
【請求項８８】
画像のズームレベルを制御する方法において、
移動体により支持される撮像装置により取得された１つ又は複数の画像をディスプレイ上に表示するステップと、
前記ディスプレイ上に表示された画像のズームレベルをプリセットズームレベル又は所定のズーム比まで調整することを示す１回のユーザ入力に関する情報を取得するステップと、
前記１回のユーザ入力に基づいて、（ａ）前記撮像装置のズームレベル、（ｂ）前記画像内のターゲットからの前記撮像装置の距離、又は（ｃ）前記撮像装置の前記ズームレベルと前記距離の両方の自動調整を実行して、（ｉ）前記ディスプレイ上に表示された前記画像が前記プリセットズームレベルであるか、又は（ｉｉ）前記ディスプレイ上に表示された前記画像の前記ズームレベルが前記所定のズーム比により調整されるようにするための命令を生成するステップと、
を含む方法。
【請求項８９】
前記画像の前記ズームレべルは、前記プリセットズームレベルに、（１）前記撮像装置がズーム可能な、（２）前記ターゲットからの前記撮像装置の前記距離が変更可能な、又は（３）（１）と（２）の組合せのうちの最速の速度で自動的に調整される、請求項８８に記載の方法。
【請求項９０】
前記１回のユーザ入力は前記ディスプレイ上の所定の領域のタッチである、請求項８８に記載の方法。
【発明の詳細な説明】
【背景技術】
【０００１】
発明の背景
無人航空機（ＵＡＶ：ｕｎｍａｎｎｅｄ  ａｅｒｉａｌ  ｖｅｈｉｃｌｅ）等の航空機は、写真撮影、監視、偵察、及び探査タスクを実行するために使用できる。このような航空機は、周囲環境の画像を取得するための撮像装置を支持し得る。撮像装置は航空機上に、撮像装置を１つ又は複数の軸の周囲で航空機に対して回転させるようにし得る支持機構を用いて支持され得る。
【０００２】
従来のＵＡＶの場合、支持機構の移動の制御と撮像装置のズーム機能の制御は、別の独立した制御として提供される。これには、ユーザは撮像装置の姿勢とズームを調整するための２つの別々の入力を提供する必要がある。
【発明の概要】
【発明が解決しようとする課題】
【０００３】
撮像装置により取得された画像を制御するための改良されたデバイス、システム、又は方法に対するニーズがある。ＵＡＶにより支持される撮像装置のズーム機能と向きを制御することによって画像を制御できるようにする別のニーズもある。制御装置は、ユーザが簡素化されたユーザ操作によってターゲットをＵＡＶから離れた場所で表示される画像の中に所望の倍率で、所望の位置に視覚化することができるように構成され得る。
【課題を解決するための手段】
【０００４】
ＵＡＶにより支持される撮像装置により取得される画像を制御するためのシステム及び方法が提供される。画像をディスプレイ上に表示するためのデバイスが提供され得、画像はＵＡＶにより支持される撮像装置により取得される。ＵＡＶ、撮像装置、及び／又は撮像装置を支持する支持機構は、画像内の関心対象物を示すユーザ入力に関する情報を受信するように構成され得る。ユーザ入力は、ディスプレイ上に表示される関心対象物をタップする等、１回のユーザ動作であり得る。この情報に応答して、ＵＡＶ、支持機構の向き及び／又は位置ならびに撮像装置の１つ又は複数のパラメータ（例えば、ズーミング）は、関心対象物が画像又はビューに関する所望の倍率と位置でユーザに対して表示されるように調整され得る。
【０００５】
本発明の一態様によれば、制御装置が提供される。本制御装置は、移動体により支持される撮像装置により取得される画像を表示するように構成されたディスプレイと、（１）画像内に表示されているターゲットを示すユーザ入力に関する情報を取得し、（２）ターゲットを示すユーザ入力に関する情報に基づいて、（ａ）撮像装置のズームレベル、及び（ｂ）ターゲットに関する撮像装置の姿勢の自動制御を実行するように構成された１つ又は複数のプロセッサとを含み得る。
【０００６】
幾つかの実施形態では、制御装置で利用されるディスプレイはタッチクリーンである。ユーザ入力はディスプレイのある領域に対する接触である。幾つかの場合では、ディスプレイのその領域はターゲットを表示している。幾つかの実施形態では、ターゲットを示すユーザ入力は１回のユーザ動作により提供される。幾つかの実施形態では、ユーザ入力に関する情報はディスプレイ内の、ターゲットが表示されている場所を含む。幾つかの実施形態では、ディスプレイは更に撮像装置のズームレベルを制御するための１つ又は複数のズームコントロールを表示する。幾つかの場合では、１つ又は複数のズームコントロールは、（ｉ）撮像装置のズームレベルを上げるように構成されたズームインコントロールと、（ｉｉ）撮像装置のズームレベルを下げるように構成されたズームアウトコントロールを含む。幾つかの場合では、１つ又は複数のズームコントロールは撮像装置のズームレベルをプリセットズームレベルに設定するためのデフォルトズームコントロールを含む。プリセットレベルは、ユーザにより構成され得る。
【０００７】
幾つかの実施形態では、制御装置で利用されるディスプレイは更にメニューを表示し、ユーザはそこから、画像内に表示されているターゲットを自動的に調整するための所定の比を選択する。
【０００８】
幾つかの実施形態では、（ａ）及び（ｂ）の自動制御を実行するためのデータは、撮像装置、撮像装置を支持する支持機構、又は移動体のうちの少なくとも１つに対する（ａ）及び（ｂ）の自動制御のための命令を含む。幾つかの実施形態では、（ａ）及び（ｂ）の自動制御を実行するためのデータは、撮像装置、撮像装置を支持する支持機構、又は移動体に送信されるべき、ディスプレイ内のターゲットを示す座標を含む。幾つかの場合では、座標は、支持機構及び／又は移動体の１つ又は複数の作動機構のための制御コマンドを生成するために使用される。幾つかの実施形態では、（ａ）及び（ｂ）の自動制御を実行するためのデータは、撮像装置、撮像装置を支持する支持機構、又は移動体に送信されるべき、撮像装置のズームレベルを自動的に調整するための所定の比を含む。
【０００９】
幾つかの実施形態では、撮像装置のズームレベルは、撮像装置のズームレベルを所定の比により自動的に調整することによって自動的に制御される。幾つかの場合では、撮像装置のズームレベルは、ズームインを実行するために自動的に調整される。幾つかの実施形態では、ターゲットに関する撮像装置の姿勢は、移動体に関する撮像装置の姿勢、ターゲットに関する移動体の姿勢、又は撮像装置の姿勢と移動体の姿勢の両方を調整することによって自動的に調整される。幾つかの実施形態では、ターゲットに関する撮像装置の姿勢は、ターゲットがディスプレイ内の所定の場所に、又はその付近に表示されるように自動的に制御される。幾つかの実施形態では、データは（ａ）及び（ｂ）の自動制御を実質的に同時に実行する。
【００１０】
幾つかの実施形態では、制御装置は撮像装置、撮像装置を支持する支持機構、又は移動体のうちの少なくとも１つと通信するように構成された通信ユニットを更に含む。幾つかの場合では、通信ユニットは（ａ）及び（ｂ）の自動制御を実行するためのデータを無線送信するように構成される。撮像装置は、移動体に対して移動可能である。例えば、撮像装置は、支持機構を用いて移動体により支持され、支持機構により撮像装置は少なくとも２つの軸の周囲で移動体に対して回転できる。幾つかの実施形態では、移動体は無人航空機（ＵＡＶ）である。
【００１１】
本発明の追加的態様は、画像を取得するためのプログラム命令を含む非一時的コンピュータ可読媒体を提供し得る。本非一時的コンピュータ可読媒体は、移動体により支持される撮像装置により取得された画像をディスプレイ上に表示するためのプログラム命令と、画像内に表示されているターゲットを示すユーザ入力に関する情報を取得するためのプログラム命令と、ターゲットを示すユーザ入力に関する情報に基づいて、（ａ）撮像装置のズームレベルと、（ｂ）ターゲットに関する撮像装置の姿勢の自動制御を実行するためのデータを生成するプログラム命令とを含み得る。
【００１２】
他の態様によれば、画像を取得する方法が提供される。本方法は、移動体により支持される撮像装置により取得された画像をディスプレイ上に表示するステップと、画像内に表示されているターゲットを示すユーザ入力に関する情報を取得するステップと、ターゲットを示すユーザ入力に関する情報に基づいて、（ａ）撮像装置のズームレベル、及び（ｂ）ターゲットに関する撮像装置の姿勢の自動制御を実行するためのデータを生成するステップとを含む。
【００１３】
他の態様では、制御装置が提供される。本制御装置は、移動体により支持される撮像装置により取得された画像を表示するように構成されたディスプレイと、（１）画像内に表示されているターゲットを示すユーザ入力に関する情報を取得し、（２）ターゲットを示すユーザ入力に関する情報に基づいて、（ａ）ディスプレイ上に表示されるターゲットの大きさ、及び（ｂ）ディスプレイ上に表示されるターゲットの位置の自動制御を実行するためのデータを生成するように構成された１つ又は複数のプロセッサとを含む。
【００１４】
幾つかの実施形態では、制御装置で利用されるディスプレイはタッチスクリーンである。ユーザ入力は、ディスプレイのある領域に対する接触である。幾つかの場合では、ディスプレイのその領域はターゲットを表示する。幾つかの実施形態では、ターゲットを示すユーザ入力は、１回のユーザ動作により提供される。幾つかの実施形態では、ユーザ入力に関する情報は、ディスプレイ内の、ターゲットが表示される場所を含む。幾つかの実施形態において、ディスプレイは、撮像装置のズームレベルを制御するための１つ又は複数のズームコントロールを更に表示する。幾つかの場合では、１つ又は複数のズームコントロールは、（ｉ）撮像装置のズームレベルを上げるように構成されたズームインコントロールと、（ｉｉ）撮像装置のズームレベルを下げるように構成されたズームアウトコントロールを含む。幾つかの場合では、１つ又は複数のズームコントロールは、撮像装置のズームレベルをプリセットズームレベルに設定するためのデフォルトズームコントロールを含む。プリセットレベルは、ユーザにより構成され得る。
【００１５】
幾つかの実施形態では、制御装置で利用されるディスプレイはメニューを更に表示し、それを通じてユーザは画像内に表示されるターゲットの大きさを自動的に調整するための所定の比を選択する。
【００１６】
幾つかの実施形態では、（ａ）及び（ｂ）の自動制御を実行するためのデータは、撮像装置、撮像装置を支持する支持機構、又は移動体のうちの少なくとも１つに対する（ａ）及び（ｂ）の自動制御のための命令を含む。幾つかの実施形態では、（ａ）及び（ｂ）の自動制御を実行するためのデータは、撮像装置、撮像装置を支持する支持機構、又は移動体に送信されるべき、ターゲットを表示するディスプレイ内の座標を含む。幾つかの場合では、座標は、支持機構及び／又は移動体の１つ又は複数の作動機構のための制御コマンドを生成するために使用される。幾つかの実施形態では、（ａ）及び（ｂ）の自動制御を実行するためのデータは、撮像装置、撮像装置を支持する支持機構、又は移動体に送信されるべき撮像装置のズームレベルを自動的に調整するための所定の比を含む。
【００１７】
幾つかの実施形態では、撮像装置のズームレベルは、撮像装置のズームレベルを所定の比により自動的に調整することによって自動的に制御される。幾つかの場合では、撮像装置のズームレベルは、ズームインを実行するように自動的に調整される。幾つかの実施形態では、ターゲットに関する撮像装置の姿勢は、移動体に関する撮像装置の姿勢、ターゲットに関する移動体の姿勢、又は撮像装置の姿勢と移動体の姿勢の両方を調整することによって自動的に調整される。幾つかの実施形態では、ターゲットに関する撮像装置の姿勢は、ターゲットがディスプレイ内の所定の場所に、又はその付近に表示されるように自動的に制御される。幾つかの実施形態では、データは、（ａ）及び（ｂ）の自動制御を実質的に同時に実行する。
【００１８】
幾つかの実施形態では、制御装置は、撮像装置、撮像装置を支持する支持機構、又は移動体の少なくとも１つと通信するように構成された通信ユニットを更に含む。幾つかの場合では、通信ユニットは、（ａ）及び（ｂ）の自動制御を実行するためのデータを無線送信するように構成される。撮像装置は、移動体に対して移動可能である。例えば、撮像装置は、支持機構を用いて移動体により支持され、支持機構により、撮像装置は少なくとも２つの軸の周囲で移動体に対して回転できる。幾つかの実施形態では、移動体は無人航空機（ＵＡＶ）である。
【００１９】
別の、ただし関連する態様では、画像を取得するためのプログラム命令を含む非一時的コンピュータ可読媒体が提供される。本非一時的コンピュータ可読媒体は、移動体により支持される撮像装置により取得された画像をディスプレイ上に表示するためのプログラム命令と、画像内に表示されているターゲットを示すユーザ入力に関する情報を取得するためのプログラム命令と、ターゲットを示すユーザ入力に関する情報に基づいて、（ａ）ディスプレイ上に表示されているターゲットの大きさ、及び（ｂ）ディスプレイ上に表示されているターゲットの位置の自動制御を実行するデータを生成するためのプログラム命令とを含む。
【００２０】
他の関連する態様では、画像を取得する方法が提供される。本方法は、移動体により支持される撮像装置により取得された画像をディスプレイ上に表示するステップと、画像内に表示されているターゲットを示すユーザ入力に関する情報を取得するステップと、ターゲットを示すユーザ入力に関する情報に基づいて、（ａ）ディスプレイ上に表示されているターゲットの大きさ、及び（ｂ）ディスプレイ上に表示されているターゲットの位置の自動制御を実行するデータを生成するステップとを含む。
【００２１】
本発明の他の態様によれば、制御装置が提供される。本制御装置は、移動体により支持される撮像装置により取得される１つ又は複数の画像を表示するように構成されたディスプレイと、（１）ディスプレイ上に表示される画像のズームレベルをプリセットズームレベルまで、又は所定のズーム比により調整することを示すユーザ入力に関する情報を取得し、（２）１回のユーザ入力に基づいて、（ａ）撮像装置のズームレベル、（ｂ）画像内に示されるターゲットからの撮像装置の距離、又は（ｃ）撮像装置のズームレベルと距離の両方の自動調整を実行して、（ｉ）ディスプレイ上に表示された画像がプリセットズームレベルであるか、又は（ｉｉ）ディスプレイ上に表示された画像のズームレベルが所定のズーム比により調整されるように構成された１つ又は複数のプロセッサとを含む。
【００２２】
幾つかの実施形態では、プリセットズームレベルは１×の光学ズームである。幾つかの実施形態では、プリセットズームレベルは、撮像装置が画像の取得を開始する当初のズームレベルである。幾つかの実施形態において、画像のズームレベルは、プリセットズームレベルに、（１）撮像装置がズーム可能な、（２）ターゲットからの撮像装置の距離が変更可能な、又は（１）と（２）の組合せの最速の速度で自動的に調整される。幾つかの実施形態では、１回のユーザ入力はディスプレイ上の所定の領域のタッチである。幾つかの実施形態では、ディスプレイの所定の領域は、画像がプリセットズームレベルまでズームされるようにするデフォルトズームコントロールを表示する。
【００２３】
幾つかの実施形態では、ディスプレイはメニューを更に表示し、そこを通じてユーザはズーム比を選択する。幾つかの場合では、メニューは、ユーザがディスプレイを時間の閾値長さより長い時間にわたりタッチした時に可視化される。代替的に、メニューは、ユーザがディスプレイを閾値圧力より高い圧力でタッチした時に可視化する。メニューは、ズーム比に関する複数の選択肢を示し得、ユーザは複数の選択肢からある選択肢を選択できる。
【００２４】
幾つかの実施形態では、制御装置で利用されるディスプレイはタッチスクリーンである。ディスプレイは、ユーザが画像のズームイン又はズームアウトを制御するための１つ又は複数のズームコントロールを更に表示する。例えば、１つ又は複数のズームコントロールは、（ｉ）ユーザがズームイン領域に触っている間に画像がズームインされるようにするディスプレイのズームイン領域と、（ｉｉ）ユーザがズームアウト領域に触っている間に画像がズームアウトされるようにするディスプレイのズームアウト領域とを含み得る。
【００２５】
幾つかの実施形態では、（ａ）、（ｂ）、又は（ｃ）の自動調整を実行する命令は、撮像装置、撮像装置を支持する支持機構、又は移動体のうちの少なくとも１つに対する（ａ）、（ｂ）、又は（ｃ）の自動調整のための命令を含む。幾つかの実施形態では、画像のズームレベルは、撮像装置のズームレベルを自動的に調整することによって自動的に調整される。幾つかの実施形態では、制御装置、撮像装置、撮像装置を支持する支持機構、又は移動体のうちの少なくとも１つと通信するように構成された通信ユニットを更に含む。幾つかの場合では、通信ユニットは、命令を無線送信するように構成される。撮像装置は、移動体に対して移動可能である。例えば、撮像装置は、支持機構を用いて移動体により支持され、支持機構により、撮像装置は少なくとも２つの軸の周囲で移動体に対して回転できる。幾つかの実施形態では、移動体は無人航空機（ＵＡＶ）である。
【００２６】
本発明の異なる態様が、個々に、集合的に、又は互いと組み合わせて理解することができることが理解されるものとする。本明細書に記載される本発明の様々な態様は、以下記載される特定の用途のいずれか又は任意の他のタイプの移動体に適用し得る。本明細書での無人航空機などの航空機のあらゆる記載は、任意の車両等の任意の移動体に適用し得、使用し得る。更に、航空移動（例えば、飛行）の状況で本明細書に開示されるシステム、デバイス、及び方法は、地上移動、水上移動、水中移動、又は宇宙空間での移動等の他のタイプの移動の状況で適用することもできる。
【００２７】
本開示の追加的な態様と利点は、次の詳細な説明から当業者にとって容易に明らかとなり、その中では本開示の、あくまでも例示的実施形態が、単に本開示を実行するために想定される最良の態様の例示として示され、説明されている。理解されるように、本開示は他の異なる実施形態も可能であり、その幾つかの詳細事項は各種の自明な点において変更でき、これらは全て本開示から逸脱しない。したがって、図面と説明は、限定的ではなく、例示的性質のものとみなされるものとする。
【００２８】
本明細書において言及される全ての公開物、特許、及び特許出願は、個々の各公開物、特許、又は特許出願が特に且つ個々に参照により援用されることが示されるものとして、参照により本明細書に援用される。
【００２９】
本発明の新規の特徴は、特に添付の特許請求の範囲に記載されている。本発明の特徴及び利点のよりよい理解が、本発明の原理が利用される例示的な実施形態を記載する以下の詳細な説明を参照することにより得られる。
【図面の簡単な説明】
【００３０】
【図１】本発明の実施形態による、リモートコントローラを含む例示的なシステムを示す。
【図２】本発明の実施形態による、撮像装置の姿勢を制御するためにターゲットに関する情報を使用することの例を示す。
【図３】リモートコントローラから移動体、支持機構、又は撮像装置へのデータ送信の概略ブロック図を示す。
【図４】実施形態による、移動体を制御するための例示的なリモートコントローラを示す。
【図５】本発明の実施形態による、ディスプレイ上に表示されているターゲットの位置と大きさを制御することの例を示す。
【図６】実施形態による、支持機構と搭載物を含む移動体を示す。
【図７】実施形態による、画像データを取得するための例示的なシステムを示す。
【図８】実施形態による、撮像装置を制御するための例示的なプロセスを示す。
【図９】実施形態による、画像を取得するための他の例示的なプロセスを示す。
【図１０】上述の画像のズームレベルを制御するための例示的なプロセスを示す。
【図１１】カメラによる撮像の例示的な幾何学モデルを示す。
【発明を実施するための形態】
【００３１】
本明細書では本発明の好ましい実施形態が示され、説明されているが、当業者にとっては、このような実施形態が例示的に提供されているにすぎないことが明らかであろう。ここで、当業者であれば、本発明から逸脱することなく、多数の改変、変更、置換を着想するであろう。本発明を実施する中で、本明細書に記載されている発明の実施形態の各種の代替案が利用され得ることが理解されるものとする。
【００３２】
本発明は、移動体により支持される撮像装置により取得される画像を制御するためのシステム及び方法を提供する。本明細書に記載されている発明の様々な態様は、後述の具体的な用途のいずれにも当てはまり得る。本発明は、無人航空機（ＵＡＶ）と共に、又は航空写真システムの一部として応用され得る。本発明の異なる態様が、個別に集合的に、又は相互に組み合わせて理解することができることが理解されるものとする。
【００３３】
本明細書において提供されるシステム及び方法を使って、ユーザはディプレイ上に表示される画像を制御できる。画像は、ＵＡＶにより支持される撮像装置を使って取得され得る。ターゲットは、ディスプレイ上に表示され得、画像はターゲットが簡素化されたユーザ操作で所望の倍率と位置で示されるように制御され得る。ユーザ入力は、ディスプレイ上に表示されているターゲット上のタップ等、１回のユーザ動作であり得る。幾つかの実施形態では、システム及び方法により、ユーザはディスプレイ上に表示された画像のズームレベルとディスプレイの中央の、又はその付近のターゲットの位置を制御する１回の動作を実行でき得る。ユーザは、ディスプレイ上に表示された画像のズームレベルをプリセットズームレベルまで、又は所定のズーム比によって調整することを示す１回の動作を実行し得る。ユーザ入力に関する情報に応答して、ＵＡＶ、撮像装置を支持する支持機構の向き及び／又は位置と、撮像装置の１つ又は複数のパラメータ（例えば、ズームレベル）は、ターゲットがユーザに対して所望の倍率／大きさで、及び／又は画像若しくはディスプレイに関する位置に表示されるように調整され得る。
【００３４】
本明細書で提供されるシステム及び方法により、有利な点として、使用者が１回のユーザ動作で、従来は複数の入力を必要としていた複数の撮像要素を制御でき得る。例えば、従来は、画像をズームするためと画像内のターゲットの位置を調整するために別々のユーザコントロールが提供される。これは、ＵＡＶが飛び回っている間、時間を要し、面倒であり得る。従来のコントロールでは、ズームと位置を同時に制御することができない。追加的に、ユーザが最初にズームインした場合、ＵＡＶ及び／又は撮像装置を支持する支持機構の移動により、ターゲットが視野から容易に外れてしまい得る。ユーザがまずターゲットを略中央に位置付けてからズームインする場合、より多くの時間が必要であり得、時には、別のズーム機能を実行する前に、ターゲットの再センタリング又は位置決めの追加の調整が行われ得る。画像内のターゲットのズームと位置を一緒に制御できるようにすることにより、撮像装置のズームとＵＡＶ及び／又は支持機構の動作との協働が可能となる。このような簡素化された動作は、ユーザがＵＡＶの飛行及び／又は撮像装置により取得された画像を制御しているときに有益であり、それは、このような機能を実行することにユーザがより注意を払わずに済むからである。また、必要な時間も短くなり、これは動的環境において有益である。
【００３５】
図１は、本発明の実施形態による、撮像装置１３０とリモートコントローラ１２０を含む例示的な画像制御システム１００を示す。撮像装置は移動体１１０により支持される。撮像装置は、移動体により直接支持され得るか、又は支持機構１４０を介して移動体により支持され得る。撮像装置は、撮像装置の視野１７０内の画像データを取得するために使用され得る。１つ又は複数のターゲット１６０が、撮像装置の視野内にあり得る。移動体１１０はＵＡＶとして描かれているが、この図は限定的であるとは意図されず、本明細書に記載されているように、任意の適するタイプの移動体を使用できる。
【００３６】
移動体１１０は、環境をトラバースすることが可能な任意の物体であり得る。移動体は、空気、水、陸、及び／又は宇宙空間をトラバースすることが可能であり得る。環境は、移動できない物体（静止物体）及び移動可能な物体を含み得る。静止物体の例としては、地勢、植物、ランドマーク、建物、一体構造物、又は任意の固定された構造物を挙げることができる。移動可能な物体の例としては、人々、車両、動物、発射体等を挙げることができる。
【００３７】
幾つかの場合では、環境は慣性基準系であり得る。慣性基準系を使用して、時空間を均一的、等方的、及び時間独立的に記述し得る。慣性基準系は、移動体に相対して確立し得、移動体に従って移動し得る。慣性基準系での測定は、変換（例えば、ニュートン物理学でのガリレイ変換）により別の基準系（例えば、全球基準系（ｇｌｏｂａｌ  ｒｅｆｅｒｅｎｃｅ  ｆｒａｍｅ））での測定に変換することができる。
【００３８】
移動体１１０は車両であり得る。車両は自己推進車両であり得る。車両は、１つ又は複数の推進ユニットを用いて環境をトラバースし得る。車両は、航空車両、陸ベースの車両、水ベースの車両、又は宇宙空間ベースの車両であり得る。車両は無人車両であり得る。車両は、人間の乗員を乗せずに環境をトラバースすることが可能であり得る。代替的には、車両は人間の乗員を搬送し得る。幾つかの実施形態では、移動体は無人航空機（ＵＡＶ）であり得る。
【００３９】
本明細書でのＵＡＶ又は任意の他のタイプの移動体の任意の記載は、任意の他のタイプの移動体又は様々なカテゴリの移動体全般に適用し得、又はこの逆も同じであり得る。例えば、本明細書でのＵＡＶの任意の記載は、任意の無人の陸境界、水ベース、又は宇宙ベースの車両に適用し得る。移動体の更なる例は、本明細書の他の箇所で更に詳細に提供される。
【００４０】
上述したように、移動体は、環境でトラバースすることが可能であり得る。移動体は、三次元内で飛行することが可能であり得る。移動体は、１つ、２つ、又は３つの軸に沿って空間並進することが可能であり得る。１つ、２つ、又は３つの軸は互いに直交し得る。軸は、ピッチ軸、ヨー軸、及び／又はロール軸に沿い得る。移動体は、１つ、２つ、又は３つの軸の回りを回転可能であることができる。１つ、２つ、又は３つの軸は、互いに直交し得る。軸は、ピッチ軸、ヨー軸、及び／又はロール軸であり得る。移動体は、最高で自由度６に沿って移動可能であり得る。移動体は、移動において移動体を支援し得る１つ又は複数の推進ユニット１５０を含み得る。例えば、移動体は、１つ、２つ、又は３つ以上の推進ユニットを有するＵＡＶであり得る。推進ユニットは、ＵＡＶの揚力を生成するように構成し得る。推進ユニットは回転翼を含み得る。移動体はマルチ回転翼ＵＡＶであり得る。
【００４１】
移動体は任意の物理的構成を有し得る。例えば、移動体は、中心体１０５から延びる１つ又はアーム又は分岐部を有する中心体を有し得る。アームは中心体から側方又は放射状に延び得る。アームは、中心体に相対して移動可能であってもよく、又は中心体に相対して静止してもよい。アームは、１つ又は複数の推進ユニットを支持し得る。例えば、各アームは、１つ、２つ、又は３つ以上の推進ユニットを支持し得る。
【００４２】
移動体は筐体を有し得る。筐体は、１つの一体片、２つの一体片、又は複数の個片から形成し得る。筐体は、１つ若しくは複数の構成要素が配置されるキャビティを含み得る。構成要素は、飛行コントローラ、１つ若しくは複数のプロセッサ、１つ若しくは複数のメモリ記憶ユニット、１つ若しくは複数のセンサ（例えば、１つ若しくは複数の慣性センサ又は本明細書の他の箇所に記載される任意の他のタイプのセンサ）、１つ若しくは複数のナビゲーションユニット（例えば、全地球測位システム（ＧＰＳ）ユニット）、１つ若しくは通信ユニット、又は任意の他のタイプの構成要素等の電気構成要素であり得る。１つ又は複数のセンサは、１つ又は複数のタイプのセンサを含み得る。センサのタイプの幾つかの例としては、位置センサ（例えば、全地球測位システム（ＧＰＳ）センサ、位置の三角測量を可能にするモバイルデバイス送信機）、ビジョンセンサ（例えば、カメラ等の可視光、赤外線、又は紫外光を検出可能な撮像装置）、近接性又は距離センサ（例えば、超音波センサ、ライダー、飛行時間又は深度カメラ）、慣性センサ（例えば、加速度計、ジャイロスコープ、及び／又は重力検出センサ、これらは慣性測定ユニット（ＩＭＵ）を形成し得る）、高度センサ、姿勢センサ（例えば、コンパス）、圧力センサ（例えば、気圧計）、温度センサ、湿度センサ、振動センサ、オーディオセンサ（例えば、マイクロフォン）、及び／又はフィールドセンサ（例えば、磁力計、電磁センサ、電波センサ）を挙げることができる。筐体は、単一のキャビティ又は複数のキャビティを有し得る。幾つかの場合では、飛行コントローラは、１つ又は複数の推進ユニットと通信し得、及び／又は１つ又は複数の推進ユニットの動作を制御し得る。飛行コントローラは、１つ又は複数の電子速度制御（ＥＳＣ）モジュールを用いて１つ又は複数の推進ユニットと通信し、及び／又はその動作を制御し得る。飛行コントローラは、ＥＳＣモジュールと通信して、推進ユニットの動作を制御し得る。
【００４３】
幾つかの実施形態では、移動体は支持機構１４０を使用して搭載物を支持するように構成され得る。搭載物は、１つ又は複数の撮像装置１３０を含み得る。支持機構は、搭載物が移動体に対して移動できるようにし得る。例えば、支持機構は、搭載物が１つ、２つ、３つ、又は４つ以上の回転軸の周囲で回転できるようにし得る。他の例では、支持機構は、搭載物が１つ、２つ、３つ、又は４つ以上の軸に沿って直線的に移動できるようにし得る。回転又は並進移動のための軸は、相互に直交していても、直交していなくてもよい。相対移動は、自由度１若しくはそれ以上に関する（例えば、１つ、２つ、若しくは３つの軸に沿った）並進及び／又は自由度１若しくはそれ以上に関する（例えば、１つ、２つ、若しくは３つの軸の周囲での）回転、又はその任意の適する組合せとすることができる。１つ、２つ、又は３つの軸は、ピッチ軸、ヨー軸、又はロール軸のいずれの組合せでもあり得る。支持機構は、１軸ジンバル、２軸ジンバル、又は３軸ジンバルを含み得る。
【００４４】
支持機構は、１つ、２つ、３つ、又は４つ以上のフレーム構成要素を含み得る。第一のフレーム構成要素は、搭載物を支持するために使用され得る。第一のフレーム構成要素は、搭載物の重量を支え得る。搭載物は、第一のフレーム構成要素に対して静止し得るか、又は第一のフレーム構成要素に対して１つ若しくは複数の軸の周囲で回転し得る。任意選択により、第二のフレーム構成要素は、第一のフレーム構成要素と搭載物を支持し得る。第二のフレーム構成要素は、第一のフレーム構成要素と搭載物の重量を支え得る。第一のフレーム構成要素は、軸の周囲で第二のフレーム構成要素に対して回転し得る。任意選択により、第三のフレーム構成要素は、第二のフレーム構成要素、第一のフレーム構成要素、及び搭載物を支持し得る。第三のフレーム構成要素は、第二のフレーム構成要素、第一のフレーム構成要素、及び搭載物の重量を支え得る。第二のフレーム構成要素は、軸の周囲で第三のフレーム構成要素に対して回転し得る。第三のフレーム構成要素は移動体により支持され得る。任意選択により、第三のフレーム構成要素は、振動吸収デバイスにより支持され得る。振動吸収デバイスは、１つ又は複数の衝撃吸収材を含み得る。衝撃吸収材は１つ又は複数の軸に沿って振動を減衰させ得る。第三のフレーム構成要素は、移動体及び／又は振動吸収デバイスに対して静止した状態であり得る。代替的に、第三のフレーム構成要素は、ある軸の周囲で移動体及び／又は振動吸収デバイスに対して回転し得る。
【００４５】
支持機構は、１つ、２つ、３つ、４つ、又は５つ以上の作動機構を含み得る。作動機構はモータであり得る。作動機構は、１つ又は複数のフレーム構成要素の相互に関する、及び／又は搭載物若しくは移動体に関する動きを制御し得る。モータは、リモートコントローラ、搭載物、及び／又は移動体から１つ又は複数の制御信号を受信し得、これはモータの動きを制御し、それによって１つ又は複数のフレーム構成要素の配置を制御し得る。１つ又は複数のフレーム構成要素の配置を制御することは、移動体に関する搭載物の姿勢を制御し得る。移動体に関する搭載物の姿勢を制御することは、移動体に関する搭載物の姿勢を変化させ、及び／又は保持することを含み得る。移動体に関する搭載物の姿勢は、１つ、２つ、又は３つの軸の周囲で制御（例えば、変化又は保持）され得る。
【００４６】
幾つかの実施形態において、１つ又は複数のセンサは、移動体、支持機構、及び／又は搭載物の上に提供され得る。センサは、支持機構の１つ、２つ、３つ、又は４つ以上のフレーム構成要素の上に提供され得る。センサは、支持機構の１つ、２つ、３つ、又は４つ以上の作動機構の上に提供され得る。センサは、１つ、２つ、又は３つの軸の周囲の姿勢、角速度、及び／又は角加速度、及び／又は１つ、２つ、又は３つの軸に関する場所、線速度、及び／又は線加速度を測定するために有益であり得る。センサは慣性センサであり得る。
【００４７】
搭載物は任意選択的に、支持機構を用いずに移動体により支持され得る。搭載物は、支持機構を用いずに移動体に対して移動可能であり得てもよく、又は移動可能でなくてもよい。搭載物は、支持機構を用いずに１つ、２つ、又は３つの軸の周囲で回転し得る。幾つかの実施形態では、搭載物は、移動体に対して固定された位置及び／又は姿勢を有し得る。移動体は、周囲環境内でターゲットに関する搭載物の姿勢を調整するために移動してもよく、又はしなくてもよい。
【００４８】
幾つかの実施形態では、搭載物は、１つ又は複数の撮像装置１３０を含み得る。本明細書に記載されている撮像装置は、画像取得デバイスとして機能し得る。撮像装置は、画像データを取得するために使用できる。いくつかの実施形態では、撮像装置はカメラであり得る。カメラは、動的画像データ（例えば、ビデオ）を取得するムービーカメラ又はビデオカメラであることができる。カメラは、静止画（例えば、写真）を取得するスチルカメラであることができる。カメラは、動的画像データ及び静的画像の両方を取得し得る。カメラは、動的画像データの取得と静止画の取得とを切り替え得る。本明細書に提供される特定の実施形態は、カメラの状況で説明されるが、本開示が任意の適する撮像装置に適用可能であり、カメラに関連する本明細書での任意の説明が、任意の適する撮像装置にも適用可能であり、カメラに関連する本明細書での任意の説明が、他のタイプの撮像装置にも適用可能なことが理解されるものとする。カメラを使用して、３Ｄシーン（例えば、環境、１つ又は複数の物体等）の２Ｄ画像を生成することができる。カメラにより生成される画像は、３Ｄシーンの２Ｄ画像面への射影を表すことができる。したがって、２Ｄ画像内の各点は、シーンでの３Ｄ空間座標に対応する。カメラは、カラー画像、グレースケール画像等を取得し得る。撮像装置は、光撮像装置、赤外線撮像装置、超音波撮像装置、又は熱撮像装置であり得る。撮像装置は、環境内の各種の波長の光（例えば、可視光、赤外線等）を検出することによって環境を撮像することができ得る。
【００４９】
撮像装置は、光の波長に応答して電気信号を生成する相補型金属酸化膜半導体（ＣＭＯＳ）センサを含み得る。その結果として得られる電気信号を処理して画像データを生成できる。撮像装置により生成される画像データは、１つ又は複数の画像を含むことができ、これは静止画像（例えば、写真）、動画像（例えば、ビデオ）、又はそれらの適する組合せであり得る。画像データは、多色（例えば、ＲＧＢ、ＣＭＹＫ、ＨＳＶ）又は単色（例えば、グレイスケール、白黒、セピア）とすることかできる。撮像装置は、光を画像センサ内へと向けるように構成れたレンズを含み得る。画像センサは、ローリングシャッタを利用し得、この場合、画像の行又は列が逐次的に読み取られ、リセットされる。
【００５０】
撮像装置１３０は、所望のズームレベルで画像を取得するように構成され得る。幾つかの実施形態では、イメージングデバイスは、そのための焦点距離又は視角を変化させることができるズームレンズを含み得る。撮像装置は、ズームレンズの焦点距離を調整することによって光学ズームを提供し得る。例えば、１つ又は複数のレンズは光軸に沿ってスライドして焦点距離を調整し、所望のズームレベル又は拡大レベルを実現できるようにし得る。焦点距離はズームアウト時には増大され得、焦点距離はズームイン時には短縮され得る。焦点距離は、１つ又は複数のレンズを光軸に沿ってイメージングセンサに対して移動させることによって調整され得る。焦点距離は、イメージングセンサを光軸に沿って１つ又は複数のレンズに対して移動させることによって調整され得る。焦点距離は、撮像センサと１つ又は複数のレンズの両方を、画像センサとレンズとの間の距離が調整されるように移動させることによって調整され得る。幾つかの場合では、１つ又は複数のモータが、焦点距離を調整するために１つ又は複数の素子（例えば、レンズ、イメージングセンサ）を移動させるために含められ得る。撮像装置は、１つ又は複数のズームモータを含み得、これはイメージングセンサと１つ又は複数のレンズとの間の相対距離を調整し、及び／又は撮像装置により取得された光のイメージングセンサまでの光路に影響を与え得る他のいずれかの光学素子を調整し得る。
【００５１】
幾つかの実施形態では、撮像装置はデジタルズームを提供し得る。例えば、取得された画像は、画像を中央の領域に原画像と同じアスペクト比でクロップダウンし、その結果を補間によって原画像のピクセル寸法に戻すことによってズームインされ得る。幾つかの実施形態では、撮像装置は、光学ズーム、デジタルズーム、又は両方の組合せを使ってズームレベルを調整するように構成され得る。
【００５２】
光学ズーム、デジタルズーム、又は両方の組合せを使って様々なズームレベルを実現できる。幾つかの場合では、ズームレベルとは、現在の画像とベース画像との間のズーム比を指し得る。ベース画像は、現画像又は画像デバイスがデフォルト状態（例えば、焦点距離が最大）にある時に取得された画像であり得る。幾つかの場合では、ズーム比は、現在の画像と前の画像（ベース画像）との間のズーム比と定義され得る。ズームレベル又はズーム比は、例えば１×、１．５×、１．８×、２×、３×、４×、７×、２４、３０×、５０×、６０×、７０×、８０、９０×、１２０×等とすることができる。画像解像度又は画像品質は、最大ズームレベルで損なわれることもあれば、損なわれないこともある。幾つかの場合では、特定のズームレベルにおいて画像の劣化が生じ得る。幾つかの場合では、全てのズームレベル又はズーム比が、画像劣化を生じさせずに実現できる。
【００５３】
デジタルズーム及び光学ズームは、様々な方法で組み合わせることができる。幾つかの場合では、デジタルズーム及び光学ズームは同時に実行され得る。例えば、３×のデジタルズーム比と４×の光学ズーム比が同時に実行されて、合計のズーム比７×を実現し得る。幾つかの場合には、デジタルズームは光学ズームの前に実行することができる。例えば、画像のズームレベルは、デジタルズームによって所定のズームレベルまで増大させ得、その後、デジタルズームを低下させるのと同時に光学ズームを増大させて、デジタルズーム効果に代わるようにし得る。
【００５４】
ズームレベルは、撮像装置の焦点距離を調整することによって調整できる。焦点距離とは、レンズ中心からレンズの焦点までの距離を指し得る。物体が撮像装置から離れているとき、焦点距離は、レンズから画像までの距離と近似する。幾つかの場合では、焦点距離は、１つ又は複数のレンズと画像センサとの間の距離を調整して、距離を変化させることによって撮像装置のズームレベルを調整できるように調整され得る。焦点距離がより長いと、画像の倍率／ズームインレベルはより高く、視野はより狭くなり得、反対に、焦点距離がより短いと、これはより低い倍率／ズームインレベル及びより広い視野に対応し得る。幾つかの場合では、焦点距離間の比はズーム比又はズーム比に対応し得る。ある例では、５５ｍｍから１８ｍｍへと変化する焦点距離は、５５／１８≒３×のズーム比又はズーム比率に対応し得る。焦点距離とズーム比との間の関係は線形であり得ることもあれば、そうでないこともある。幾つかの場合、焦点距離とズーム比は、撮像装置と撮像対象物体との間の距離が焦点距離より顕著に大きい場合に線形の関係を有する。幾つかの場合では、焦点距離とズーム比は、非線形の関係を有し得る。
【００５５】
ズーム速度は、光学ズーム、デジタルズーム、又は両方の組合せに基づいて決定され得る。ズーム速度は、画像のズームレベルが調整されたと認識される速度を指し得る。ズーム速度は、ディスプレイ上に表示される際のターゲットの大きさが変化する速度を指し得る。速度は線形でも非線形でもよい。速度は一定でも変化してもよい。ズーム速度は、ズームレベルの調整中の平均速度を指し得る。ズーム速度は、ズーム比による調整が実現される平均速度に関し得る。例えば、幾つかの場合では、ズーム速度が平均速度であるとき、ズーム速度は少なくとも１×／ｓ、２×／ｓ、４×／ｓ、１０×／ｓ、２０×／ｓ、３０×／ｓ、４０×／ｓ、５０×／ｓ、６０×／ｓ、７０×／ｓ、８０×／ｓ、１００×／ｓ等であり得る。幾つかの実施形態では、光学ズームの速度は、レンズとイメージングセンサとの間の距離が調整され得る速度に依存し得る。光学ズームの速度は、焦点距離がどれだけ早く調整されるかに依存し得る。レンズとイメージングセンサとの間の距離が調整され得る速度は、ズームモータの速度に依存し得る。幾つかの実施形態では、デジタルズームの速度は瞬間的又は非常に高速であり得る。デジタルズームの速度は、約５秒、３秒、２秒、１秒、０．５秒、０．１秒、０．０５秒、０．０１秒、５ミリ秒、１ミリ秒、０．５ミリ秒、０．１ミリ秒未満であり得る。デジタルズームの速度は、画像データを処理し得る１つ又は複数のプロセッサに依存し得る。ズーム速度はまた、ターゲットに関する撮像装置の移動にも依存し得る。ターゲットに関する撮像装置の移動速度は、ターゲットに関する移動体、例えばＵＡＶの速度に依存し得る。これは、ＵＡＶがどれだけ速く飛ぶことができるかに依存し得る。幾つかの実施形態では、環境要因、例えば風が、ＵＡＶがどれだけ速く飛ぶことができるかに影響を与え得る。ターゲットに関する撮像装置の移動方向もまた、ズーム速度に影響を与え得る。例えば、撮像装置がズームインしている間に移動体がターゲットから移動している場合、移動体の移動が撮像装置のズームインを部分的に相殺し、ズームイン速度を低下させ得る。ズーム速度は、撮像装置のズームレベル（例えば、光学ズーム、デジタルズーム、又は両方の組合せ）とターゲットに関する撮像装置の移動の組合せに基づいて決定され得る。
【００５６】
幾つかの場合では、ズームは撮像装置の光学ズームレベル又はデジタルズームレベルを調整することによって実現され得る。幾つかの場合では、ズームは撮像装置のズームレベルを調整するほか、撮像装置をターゲットに近付ける、又は更に遠ざけることによって実現され得る。幾つかの場合では、ズームは撮像装置をターゲットに近付ける、又は更に遠ざけることのみによって実現され得る。
【００５７】
撮像装置は、特定の画像解像度でフレーム又は一連の画像フレームを取得し得る。幾つかの実施形態では、フレーム解像度は、フレーム内のピクセル数によって定義し得る。幾つかの実施形態では、画像解像度は、約３５２×４２０ピクセル以上、約４８０×３２０ピクセル以上、約７２０×４８０ピクセル以上、約１２８０×７２０ピクセル以上、約１４４０×１０８０ピクセル以上、約１９２０×１０８０ピクセル以上、約２０４８×１０８０ピクセル以上、約３８４０×２１６０ピクセル以上、約４０９６×２１６０ピクセル以上、約７６８０×４３２０ピクセル以上、又は約１５３６０×８６４０ピクセル以上であり得る。幾つかの実施形態では、カメラは、４Ｋカメラ又はより高い解像度を有するカメラであり得る。カメラのピクセルは正方形であり得る。他の実施形態では、正方形以外のピクセル又はその他の光歪みを考慮に入れ得る。
【００５８】
撮像装置は、特定の取得率で一連の画像フレームを取得し得る。幾つかの実施形態では、一連の画像は、約２４ｐ、約２５ｐ、約３０ｐ、約４８ｐ、約５０ｐ、約６０ｐ、約７２ｐ、約９０ｐ、約１００ｐ、約１２０ｐ、約３００ｐ、約５０ｉ、又は約６０ｉ等の標準ビデオフレーム率（１秒あたりのフレーム）で取得し得る。幾つかの実施形態では、一連の画像は、速度が０．０００１秒以下、０．０００２秒以下、０．０００５秒以下、０．００１秒以下、０．００２秒以下、０．００５秒以下、０．０１秒以下、０．０２秒以下、０．０５秒以下、０．１秒以下、０．２秒以下、０．５秒以下、１秒以下、２秒以下、５秒以下、又は１０秒以下毎に約１枚の画像を取得し得る。幾つかの実施形態では、取得率は、ユーザ入力及び／又は外部状況（例えば、照明の明るさ）に応じて変更し得る。
【００５９】
画像センサにより取得される画像データは、データストレージデバイスに記憶されることができる。データストレージデバイスは、半導体、磁気、光、又は任意の適する技術に基づき得、フラッシュメモリ、ＵＳＢドライブ、メモリカード、ソリッドステートドライブ（ＳＳＤ）、ハードディスクドライブ（ＨＤＤ）、フロッピディスク、光ディスク、磁気テープ等を含み得る。例えば、データストレージデバイスは、撮像装置に取り外し可能に連結可能なリムーバブルストレージデバイス、例えば任意の適するフォーマットのメモリカード、例えばＰＣカード、ＣｏｍｐａｃｔＦｌａｓｈ（登録商標）、ＳｍａｒｔＭｅｄｉａ（登録商標）、Ｍｅｍｏｒｙ  Ｓｔｉｃｋ、Ｍｅｍｏｒｙ  Ｓｔｉｃｋ  Ｄｕｏ、Ｍｅｍｏｒｙ  Ｓｔｉｃｋ  ＰＲＯ  Ｄｕｏ、Ｍｉｎｉａｔｕｒｅ  Ｃａｒｄ、Ｍｕｌｔｉｍｅｄｉａ  Ｃａｒｄ（ＭＭＣ）、Ｒｅｄｕｃｅｄ  Ｓｉｚｅ  Ｍｕｌｔｉｍｅｄｉａ  Ｃａｒｄ（ＲＳ−ＭＭＣ）、ＭＭＣｍｉｃｒｏ  Ｃａｒｄ（ＭＭＣｍｉｃｒｏ）、ＰＳ２カード、Ｓｅｃｕｒｅ  Ｄｉｇｉｔａｌ（ＳＤ）カード、ＳｘＳ、Ｕｎｉｖｅｒｓａｌ  Ｆｌａｓｈ  Ｓｔｏｒａｇｅ（ＵＦＳ）、ｍｉｎｉＳＤ、ｍｉｃｒｏＳＤ、ｘＤ−Ｐｉｃｔｕｒｅ  Ｃａｒｄ、Ｉｎｔｅｌｌｉｇｅｎｔ  Ｓｔｉｃｋ（ｉＳｔｉｃｋ）、Ｓｅｒｉａｌ  Ｆｌａｓｈ  Ｍｏｄｕｌｅ（ＳＦＭ）、ＮＴ  Ｃａｒｄ、ＸＱＤカード等を含むことができる。データストレージデバイスはまた、外部ハードディスクドライブ、光ドライブ、テープドライブ、フロッピドライブ、撮像装置に動作的に接続され得るその他の適するストレージデバイスを含むことができる。
【００６０】
画像センサにより取得される画像データは、画像送信ユニットによりリモートコントローラに送信可能である。幾つかの実施形態では、画像データには、画像送信ユニットにより送信される前に圧縮又はその他の処理が行われ得る。他の例では、画像データは送信される前に圧縮又は処理されなくてもよい。送信された画像データは、リモートコントローラ上に表示され得、それによって制御端末を操作するユーザは、画像データを見て、及び／又は画像データに基づいて制御端末と対話できる。
【００６１】
画像センサにより取得される画像データは、プリプロセスユニットによりプリプロセス可能である。プリプロセスユニットは、あらゆるハードウェア、ソフトウェア、又はそれらの組合せを含むことができる。プリプロセスユニットの例としては、フィールドプログラマブルゲートアレイ（ＦＰＧＡ）を含むことができる。プリプロセスユニットは、画像センサに動作的に接続されて、画像データが処理されて情報の特定の部分が抽出される前に、生の画像データをプリプロセスすることができる。プリプロセスユニットにより実行されるタスクの例としては、画像座標系を確実に正確なものとするためのリサンプリング、ノイズ低減、コントラスト強化、スケールスペース表現等を挙げることができる。
【００６２】
撮像装置は、画像データをリモートコントローラに送信し得る。データは、撮像装置にオンボードの送信機を利用して無線送信され得る。データは、直接通信を使用してリモートコントローラに送信され得る。直接通信は、移動体／撮像装置とリモートコントローラとの間に提供され得る。間接通信は、１つ又は複数のルータ、通信塔、衛星、又は任意の他の中間デバイス若しくはネットワークを用いて実行し得る。通信のタイプの例としては、限定ではなく、インターネット、ローカルエリアネットワーク（ＬＡＮ）、広域ネットワーク（ＷＡＮ）、Ｂｌｕｅｔｏｏｔｈ（登録商標）、近距離通信（ＮＦＣ）技術、汎用パケット無線サービス（ＧＰＲＳ）、ＧＳＭ（登録商標）、エンハンストデータＧＳＭ環境（ＥＤＧＥ）、３Ｇ、４Ｇ、又はロングタームエボリューション（ＬＴＥ）プロトコル等のモバイルデータプロトコルに基づくネットワーク、赤外線（ＩＲ）通信技術、及び／又はＷｉ−Ｆｉを挙げることができ、無線、有線、又はそれらの組合せを介する通信であり得る。代替的に、撮像装置は、画像データを移動体及び／又は支持機構に提供し得る。画像テータは、有線又は無線接続を介して提供され得る。移動体及び／又は支持機構は今度は、画像データをリモートコントローラに送信し得る。
【００６３】
ターゲット物体１６０は、ユーザにより選択され得る。ターゲットは、ディスプレイ上で、画像の中に示され、ユーザとディスプレイスクリーンとの対話を介してユーザにより選択され得る。ターゲットは、画像の中で、ユーザが更に精査又は追跡するために選択し得る領域又は区域であり得る。ターゲットは、環境内の物体であり得る。ターゲットは、環境のある領域又は部分であり得る。ターゲットは、その周囲から視覚的に区別可能であってもよく、又はそうでなくてもよい。ターゲットは、静止ターゲット又は移動ターゲットであり得る。静止ターゲットは、環境内で実質的に静止したままであり得る。静止ターゲットの例には、限定ではないが、景観特徴物（例えば、樹木、植物、山、丘、川、小川、入江、谷、巨岩、岩石等）、又は人工特徴物（例えば、構造物、建物、道路、橋梁、柱、フェンス、動いていない車両、看板、照明等）を挙げ得る。静止ターゲットは、大型のターゲット又は小型のターゲットを含み得る。幾つかの例では、静止ターゲットは構造物又は物体の選択された部分に対応し得る。例えば、静止ターゲットは、高層ビルの特定の部分（例えば、最上階）に対応し得る。各種の実施形態では、撮像装置により撮像されるターゲット１６０は、地理的景観（例えば、山、草木、谷、湖、又は川）、建物、車両（例えば、航空機、船舶、自動車、トラック、バス、バン、又はオートバイ）等、あらゆる自然の、又は人工的な物体又は構造物を含むことができる。
【００６４】
ターゲットは移動ターゲットであり得る。移動ターゲットは環境内で移動可能であり得る。移動ターゲットは、常に移動中であり得るか、又はある期間について移動中であり得る。移動ターゲットは、ほぼ一定した方向において移動し得るか、又は方向を変え得る。移動ターゲットは、空中、地上、地下、水上若しくは水中、及び／又は宇宙空間で移動し得る。移動ターゲットは、生物移動ターゲット（例えば、人間、動物）、又は非生物移動ターゲット（例えば、動いている車両、動いている機械、風に吹かれる、若しくは水により運ばれている物体、生物ターゲットにより運ばれている物体）であり得る。移動ターゲットは、１つの移動物体又は移動物体の集合を含み得る。例えば、移動ターゲットは１人の人間又は移動している人間の集合であり得る。移動ターゲットは、大きなターゲット又は小さいターゲットであり得る。ユーザは移動ターゲットを選択し得る。移動ターゲットはいずれの適した環境内、例えば空中（例えば、固定翼航空機、回転翼航空機、又は固定翼も回転翼も持たない航空機）、水中（例えば、船舶又は潜水艦）、地上（例えば、自動車、トラックバス、バン、オートバイ等のモータ車両、ステッキ、釣り竿等の移動可能な構造物若しくは構成物、又は列車）、地下（例えば、地下鉄）、宇宙空間内（例えば、宇宙船、衛星、又はプローブ）、又はこれらの環境のあらゆる組合せ等、任意の適する環境内で移動するように構成されたあらゆる物体であり得る。
【００６５】
移動ターゲットは、自由度６（例えば、並進に自由度３及び回転に自由度３）に関して環境内を自在に移動可能であり得る。代替的には、移動ターゲットの移動は、所定の経路、行路、又は向きによる等、１つ又は複数の自由度に関して制約することができる。移動は、エンジン又はモータ等の任意の適する作動機構により作動可能である。移動ターゲットの作動機構は、電気エネルギー、磁気エネルギー、太陽エネルギー、風力エネルギー、重力エネルギー、化学エネルギー、核エネルギー、又はそれらの任意の適する組合せ等のエネルギー源で駆動し得る。移動ターゲットは、更に後述されるように、推進システムを介した自己推進型であり得る。推進システムは、任意選択的に、電気エネルギー、磁気エネルギー、太陽エネルギー、風力エネルギー、重力エネルギー、化学エネルギー、核エネルギー、又はこれらの任意の適する組合せ等のエネルギー源で動作し得る。
【００６６】
幾つかの例では、移動ターゲットは、遠隔制御される車両等の車両とすることができる。適する車両としては、水上車両、航空車両、宇宙車両、又は地上車両を挙げ得る。例えば、固定翼航空機（例えば、飛行機、グライダー）、回転翼航空機（例えば、ヘリコプタ、回転翼機）、固定翼と回転翼の両方を有する航空機、又はいずれも有さない航空機（例えば、飛行船、熱気球）であり得る。車両は、空中、水上、水中、宇宙空間、地上、又は地下で自己推進するような自己推進型であることができる。自己推進型車両は、１つ又は複数のエンジン、モータ、車輪、車軸、磁石、回転翼、プロペラ、翼、ノズル、又は任意の適するそれらの組合せを含む推進システム等の推進システムを利用することができる。幾つかの場合では、推進システムを使用して、移動体を表面から離陸させ、表面に着陸させ、現在の位置及び／又は向きを維持させ（例えば、ホバリングさせ）、向きを変更させ、及び／又は位置を変更させることができる。
【００６７】
ターゲットは、人間や動物等の生物対象物を含むことができる。ターゲットは、任意の適した参照フレームに対して移動し、又は静止し得る。参照フレームは、比較的固定された参照フレーム（例えば、周囲環境又は地球）とすることができる。代替的に、参照フレームは、移動参照フレーム（例えば、動いている車両）とすることができる。各種の実施形態において、ターゲットとしては、受動ターゲット又は能動ターゲットを挙げ得る。能動ターゲットは、ターゲットのＧＰＳ位置等のターゲットに関する情報を移動体に送信するように構成され得る。情報は、能動ターゲットの通信ユニットから移動体の通信ユニットへと無線通信を介して送信され得る。能動ターゲットの例としては、味方の車両、建物、集団等を挙げることができる。受動ターゲットは、ターゲットに関する情報を送信するように構成されていない。受動ターゲットの例としては、中立の、又は敵対する車両、建物、集団等を挙げることができる。
【００６８】
１つ又は複数のターゲットは、視野１７０内に示され得る。幾つかの場合では、画像内に表示されるターゲットの位置を調整すること、又はズームレベルを調整することにより、視野又は画角が変化し得る。視野は、撮像装置の各種特性及び撮像装置と撮像対象のターゲットとの間の相対位置に基づいて決定され得る。例えば、レンズ焦点距離と画像センサの大きさにより、視野と、撮像装置からターゲットまでの距離との間の一定の関係が設定される。視野は、カメラの画像センサ上で取得されるビューの領域である。幾つかの例では、撮像装置の視野１７０は、ターゲットの選択に応答して調整され得る。ＵＡＶ及び／又は撮像装置の向きは、選択されるターゲットに基づいて調整され得る。例えば、ＵＡＶ及び／又は撮像装置の向きは、撮像装置の視野の中央領域内にターゲットを提供するように選択され得る。例えば、ターゲットの方向は、中心点又は、視野の横方向及び／又は長さ方向の中心線に沿っていてもよく、それによってターゲットは画像の中央領域に、又はその付近に表示され得る。
【００６９】
システム１００は、静止ターゲットの画像を取得するように構成され得る。ＵＡＶは、画像取得中に静止ターゲットに対して移動してもよく、又はしなくてもよい。撮像装置は、画像取得中に、ＵＡＶに対して（任意選択的に、支持機構を用いて）移動するように構成されてもよく、又はされなくてもよい。
【００７０】
システム１００は、移動ターゲットの画像を取得するように構成され得る。幾つかの場合、ＵＡＶは移動ターゲットを追跡するように構成され得る。追跡は、ビジョンに基づく追跡、ＧＰＳに基づく追跡、又はその他であり得る。システムは、ターゲットの画像を取得するための各種の飛行制御モードを有し得る。各種のモードは、行先指定（ｆｌｙ−ｔｏ）モード及び追跡モードを含み得る。ＵＡＶが行先指定モードにあるとき、ＵＡＶはターゲットに向かって飛行するように構成され得る。ＵＡＶが追跡モードにあるとき、ＵＡＶはターゲットを追跡するように構成され得る。追跡モードにあるとき、ＵＡＶはターゲットまでの所定の距離を保持し、又はターゲットをその視野内に保持し得、ターゲットに向かって飛行してもよく、又はしなくてもよい。
【００７１】
システム１００は、リモートコントローラ１２０を含み得る。リモートコントローラは、移動体、支持機構、及び／又は撮像装置を制御するための制御装置であり得る。制御装置は、移動体、支持機構、及び／又は撮像装置と通信し得る。通信は、１方向通信又は２方向通信とすることができる。制御装置は、制御信号を移動体、支持機構、及び／又は撮像装置に送信し得る。制御信号は、撮像装置のズームレベル及び／又は移動体の位置に影響を与えうる。制御信号は支持機構に影響を与えて、移動体に関する撮像装置の向きを調整又は保持し得るか、又は移動体の位置及び／又は向きに影響を与え得る。移動体１１０は、リモートコントローラ１２０からの制御データを受信するように構成され得る。リモートコントローラは、制御データを提供するように構成可能な遠隔制御端末とすることができる。制御データは、移動体の各局面を直接又は間接に制御するために使用できる。幾つかの実施形態では、制御データは、移動体の位置、速度、向き、又は姿勢等、移動体のナビゲーションパラメータを制御するためのナビゲーションコマンドを含むことができる。制御データは、ＵＡＶの飛行を制御するために使用できる。制御データは、ＵＡＶの飛行に影響を与え得る１つ又は複数の推進ユニット１５０の動作に影響を与え得る。他の場合では、制御データは、移動体の個々の構成要素を制御するためのコマンドを含むことができる。例えば、制御データは、支持機構１４０の動作を制御するための情報を含み得る。例えば、制御データは、支持機構の作動機構を制御して、移動体１１０に関する搭載物である撮像装置１３０の角及び／又は線移動を起こさせるようにするために使用され得る。他の例としては、制御データは、搭載物を持たない支持機構の移動を制御するために使用され得る。他の例として、制御データは、静止画又は動画を撮影すること、ズームイン又はズームアウトすること、電源をオン又はオフにすること、撮像モードを切り換えること、画像解像度を変更すること、焦点を変更すること、被写界深度を変更すること、露光時間を変更すること、レンズの速度を変更すること、画角又は視野を変更すること等、搭載物に関する１つ又は複数の動作パラメータを調整するために使用され得る。他の実施形態では、制御データは移動体の感知システム（図示せず）、通信システム（図示すせず）等を制御するために使用され得る。
【００７２】
幾つかの実施形態では、制御データは、ユーザ入力に関する情報に基づいて生成され得る。ユーザ入力は、リモートコントローラ１２０により得られ得る。幾つかの実施形態では、リモートコントローラは、移動体１１０、支持機構１４０、及び／又は撮像装置１３０から離れた、又はそこから遠い場所に位置付けることができる。リモートコントローラは、支持プラットフォーム上に配置され、又は固定されることができる。代替的に、リモートコントローラはハンドヘルド又はウェアラブルデバイスとすることができる。例えば、リモートコントローラとしては、スマートフォン、タブレット、ラップトップ、コンピュータ、グラス、グローブ、ヘルメット、マイクロフォン、又はそれらの適した組合せを挙げることができる。
【００７３】
リモートコントローラは、移動体から受信したデータを、ディスプレイを介して表示するように構成できる。表示されたデータは、移動体により支持される撮像装置により取得された画像（例えば、静止画及びビデオ）等の感知データを含み得る。
【００７４】
幾つかの実施形態では、リモートコントローラは、画像内に表示されているターゲットを示すユーザ入力に関する情報を取得するように構成できる。ユーザ入力は、入力デバイスを介して受け取られ得る。入力デバイスはタッチスクリーンであり得る。入力デバイスはまた、画像を表示するための表示デバイスであり得る。ユーザは、画像内に表示されているターゲットを、タッチスクリーン上のある領域をタッチすることによって示し得る。各種の他の入力デバイスを使ってユーザ入力を受け取ることができる。例えば、入力デバイスとしては、ジョイスティック、キーボード、マウス、スタイラス、マイクロフォン、画像若しくはモーションセンサ、慣性センサ等を挙げ得る。
【００７５】
リモートコントローラは、ユーザ入力を受け取り、本明細書の他の箇所に記載されているように、移動体及び／又は移動体に接続されたその他の構成要素を制御するように構成できる。手動入力されたコマンド、音声制御、ジェスチャ制御、又は位置制御（例えば、端末の移動、場所、又は傾きを介した）等の任意の適するユーザ入力が、リモートコントローラとの対話に使用可能である。例えば、リモートコントローラは、ユーザがジョイスティックを操作すると、制御端末の向き若しくは姿勢を変化させること、キーボード、マウス、指、若しくはスタイラスを使ってグラフィカルユーザインタフェースと対話すること、又は任意の他の適する方法を使用することによって、移動体、支持機構、搭載物、又はそれらの任意の構成要素の状態を制御できるように構成され得る。
【００７６】
幾つかの実施形態では、ターゲットを示すユーザ入力に関する情報が取得され得る。情報は、ディスプレイ内の、ターゲットが表示されている場所を含み得る。情報は、ディスプレイ内の、ユーザがタッチスクリーンをタッチ又はタップした場所を含み得る。情報は、ターゲットの場所からディスプレイ内の所定の場所までのオフセットを含み得る。例えば、ユーザが選択したターゲットは、ディスプレイの中心から外れた場所に表示され得る。この場合、情報はディスプレイの中心からのターゲットの場所のオフセットを含み得る。
【００７７】
幾つかの実施形態てば、制御データは、ターゲットを示すユーザ入力に関する情報に基づいて生成され得る。幾つかの実施形態では、制御データは、ズームレベル又はズーム比を更に含み得る。制御データは、撮像装置のズームレベル及びターゲットに関する撮像装置の姿勢の自動制御を実行するために使用され得る。
【００７８】
少なくとも一部に、画像内のターゲットの場所又は所定の場所からのオフセットに基づいて、実質的にターゲットがディスプレイ内の所定の場所に、又はその付近に、所定のズームレベルまで、又は所定のズーム比により調整して表示されるようにする制御信号が（例えば、移動体にオンボードの１つ又は複数のプロセッサにより）生成され得る。調整は、撮像装置が１つ又は複数の画像を取得しているときに実質的にリアルタイムで実行され得る。幾つかの実施形態では、調整は、移動体がユーザから提供されたナビゲーションコマンドを実行している（例えば、ホバリングしている、又は移動している）及び／又は所定のナビゲーション経路を実行しているときに実質的にリアタイムで実行され得る。幾つかの実施形態では、調整は、移動体にオンボードの１つ又は複数のセンサ（例えば、近接性センサ、又はＧＰＳセンサ）により取得された監視データ等、他のデータに基づいて生成され得る。例えば、追跡対象のターゲットの位置情報は、近接性センサにより取得され、及び／又はターゲット自体（例えば、ＧＰＳの位置）により取得され得る。このような位置情報は、画像内のオフセット又は画像内のターゲットの場所に加えて、調整を生成するために使用され得る。
【００７９】
調整は、移動体、支持機構、及び／又は撮像装置に関し得る。例えば、調整は、移動体及び／又は撮像装置にその位置、姿勢、向き、角及び／又は線速度、角及び／又は線速度、及びその他を変化させ得る。調整は、支持機構に、１つ、２つ、３つ、又は４つ以上の軸の周囲で、又はそれに沿って等、移動体に対して移動させ得る。更に、調整は、撮像装置のズーム、焦点又はその他の動作パラメータに対する調整を含み得る。
【００８０】
各種の実施形態では、ターゲットがディスプレイ内の所定の場所に、又はその付近に表示されるようにするための調整は、移動体、支持機構、撮像装置、又はこれらの任意の組合せ等、１つ又は複数の制御可能物体の姿勢を、制御信号を介して制御することによって実現され得る。幾つかの実施形態では、制御可能物体は、調整を実行するように選択され得、対応する制御信号は、少なくとも一部に制御可能物体の構成又は設定に基づいて生成され得る。例えば、撮像装置が移動体に剛体的に接続され、したがって、移動体に対して移動できない場合、２つの軸（例えば、ヨーとピッチ）の周囲の回転を含む調整は、それに対応する２つの軸の周囲での移動体の回転のみによって実現され得る。これは、撮像装置が移動体に直接連結されているとき、又は撮像装置が、撮像装置と移動体との間の相対移動を不可能にする支持機構を介して移動体に接続されている場合に当てはまり得る。支持機構により撮像装置が移動体に対して少なくとも１つの軸の周囲で回転できる場合、同じ２軸調整は、移動体と支持機構の両方に対する調整を組み合わせることによって実現され得る。この場合、支持機構は、調整に必要な２つの軸のうちの１つまた２つの周囲での回転を実行するように制御でき、移動体は、２つの軸のうちの１つ又は２つの周囲での回転を実行するように制御できる。例えば、支持機構は１軸ジンバルを含み得、これによって撮像装置は調整に必要な２つの軸のうちの１つの周囲で回転でき、その一方で、他方の軸の周囲での回転が移動体により実現される。代替的には、支持機構により撮像装置が移動体に対して１つ又は２つの軸の周囲で回転できる場合、同じ２軸調整は支持機構のみによって実現され得る。例えば、支持機構は２軸又は３軸ジンバルを含み得る。
【００８１】
幾つかの実施形態では、画像データのズームレベル又はズーム比の調整は、撮像装置のズームイン／アウトレベルを制御することによって（例えば、撮像装置が必要なズームレベルをサポートする場合）、移動体の移動を制御することによって（例えば、ターゲットにより近付けるか、又はそこからより遠ざけるため）、又は撮像装置のズームイン／アウトと移動体の移動の組合せによって実現され得る。移動体にオンボードのプロセッサは、どの物体又は物体の組合せを調整するかを決定し得る。例えば、ズームレベルが撮像装置のズームイン能力を超えている場合、移動体は、撮像装置のズームを調整することに加えて、移動体をターゲットのより近くに移動させるように制御され得る。他の例では、ターゲット又は画像は、撮像装置のズームアウト機能を実行することに加えて、移動体をターゲットからより遠くに移動させることによって、所定の比によりズームアウトされ得る。他の例では、移動体と撮像装置のズームとの間の距離の調整を行って、高速ズームイン／アウト効果を実現し得る。撮像装置のズームは、光学ズーム、デジタルズーム、又はその両方の組合せとし得る点に留意されたい。
【００８２】
幾つかの実施形態では、調整は、他の制約を考慮に入れることによって実施され得る。例えば、移動体のナビゲーション経路があらかじめ決められている場合、調整は、移動体の移動に影響を与えずに、支持機構及び／又は撮像装置によって実施され得る。移動体のナビゲーション経路は、例えば、遠隔ユーザが制御端末を介して移動体のナビゲーションを能動的に制御している場合、又は移動体が事前に記憶されたナビゲーション経路に従って（例えば、自律的又は半自律的に）ナビゲートしている場合に、事前に設定され得る。
【００８３】
他の制約の例としては、移動体、支持機構、及び／又は搭載物（例えば、撮像装置）に関する回転角度、角及び／又は線速度、動作パラメータ、及びその他の最大限度及び／又は最小限度を含み得る。このような最大及び／又は最小閾値は、調整範囲を限定するために使用され得る。例えば、特定の軸の周囲での移動体及び／又は撮像装置の角速度は、移動体、支持機構、及び／又は搭載物（例えば、撮像装置）に対して許容される最大角速度により上限が定められ得る。他の例として、移動体及び／又は支持機構の線速度は、移動体、支持機構、及び／又は搭載物（例えば、撮像装置）に対して許容される最大線速度により上限が定められ得る。また別の例として、撮像装置の焦点距離に対する調整は、特定の撮像装置に関する最大及び／又は最小焦点距離により限定され得る。幾つかの実施形態では、このような限度はあらかじめ決定され、移動体、支持機構、及び／又は搭載物（例えば、撮像装置）の具体的な構成に依存し得る。幾つかの例では、このような構成は（例えば、製造者、管理者、又はユーザにより）構成可能であり得る。
【００８４】
幾つかの実施形態では、移動体は、移動体にオンボードのセンサにより取得された感知データ等のデータを提供するように構成でき、リモートコントローラはこれを受信するように構成できる。感知データの例としては、移動体により支持される撮像装置により取得される画像データ又は他のセンサにより取得される他のデータを挙げ得る。例えば、リアルタイム又は準リアルタイムビデオは、移動体及び／又は撮像装置からリモートコントローラへとストリームされることができる。感知データはまた、全地球測位システム（ＧＰＳ）センサ、運動センサ、慣性センサ、近接性センサ、及びその他のセンサにより取得されたデータも含み得る。各種の実施形態では、リモートコントローラが移動体から受信したデータは、生データ（例えば、センサが取得した生の感知データ）、及び／又は処理済みデータ（例えば、移動体上の１つ又は複数のプロセッサにより処理される情報）を含み得る。
【００８５】
移動体は、リモートコントローラと通信でき得る。リモートコントローラは、移動体自体と、移動体の搭載物と、及び／又は移動体の支持機構と通信し得、支持機構は搭載物を支持するために使用される。移動体との通信に関する本明細書における記載は全て、移動体の搭載物、移動体の支持機構、及び／又は移動体の１つ又は複数の個々の構成要素（例えば、通信ユニット、ナビゲーションユニット、推進ユニット、電源、プロセッサ、メモリストレージユニット、及び／又は作動機構）との通信に当てはまり得る。
【００８６】
移動体とリモートコントローラとの間の通信は、無線通信であり得る。直接通信は、移動体とリモートコントローラとの間で提供され得る。直接通信は、いずれの仲介デバイス又はネットワークも必要とせずに行われ得る。間接通信は、移動体とリモートコントローラとの間に提供され得る。間接通信は、１つ又は複数の仲介デバイス又はネットワークを用いて行われ得る。例えば、間接通信は電気通信ネットワークを利用し得る。間接通信は、１つ又は複数のルータ、通信塔、衛星、又は他のあらゆる仲介デバイス又はネットワーク用いて実行され得る。通信の様々なタイプは、本明細書の他の箇所に記載されている方法を含むことができる。
【００８７】
リモートコントローラは、任意のタイプの外部デバイスであり得る。リモートコントローラの例としては、限定ではなく、スマートフォン／セルフォン、タブレット、個人情報端末（ＰＤＡ）、ラップトップコンピュータ、デスクトップコンピュータ、メディアコンテンツプレーヤ、ビデオゲーミングステーション／システム、仮想現実システム、拡張現実システム、ウェアラブルデバイス（例えば、時計、眼鏡、手袋、ヘッドギア（帽子、ヘルメット、仮想現実ヘッドセット、拡張現実ヘッドセット、ヘッドマウントデバイス（ＨＭＤ）、ヘッドバンド等）、ペンダント、アームバンド、足バンド、靴、ベスト）、ジェスチャ認識デバイス、マイクロフォン、画像データを提供若しくはレンダリング可能な任意の電子デバイス、又は任意の他のタイプのデバイスを挙げることができる。リモートコントローラは、ハンドヘルド物体であり得る。リモートコントローラはポータブルであり得る。リモートコントローラは、人間ユーザにより携帯し得る。幾つかの場合では、リモートコントローラは、人間ユーザからリモートに配置し得、ユーザは、無線通信及び／又は有線通信を使用してリモートコントローラを制御することができる。リモートコントローラの様々な例及び／又は特徴は、本明細書の他の箇所で更に詳細に提供される。
【００８８】
リモートコントローラは、１つ又は複数の動作の命令を提供し得る非一時的コンピュータ可読媒体を実行可能であり得る１つ又は複数のプロセッサを含み得る。リモートコントローラは、１つ又は複数の動作を実行するコード、論理、又は命令を含む非一時的コンピュータ可読媒体を含む１つ又は複数のメモリ記憶デバイスを含み得る。リモートコントローラは、リモートコントローラが移動体と通信し、移動体から撮像データを受信できるようにするソフトウェアアプリケーションを含み得る。リモートコントローラは通信ユニットを含み得、通信ユニットにより、移動体との通信が可能になり得る。幾つかの場合では、通信ユニットは、単一の通信ユニット又は複数の通信ユニットを含み得る。幾つかの場合では、リモートコントローラは、単一の通信リンク又は複数の異なるタイプの通信リンクを使用して移動体と対話可能であり得る。
【００８９】
リモートコントローラはディスプレイを含み得る。ディスプレイは画面であり得る。ディスプレイは、タッチスクリーンであってもよく、又はタッチスクリーンでなくともよい。ディスプレイは発光ダイオード（ＬＥＤ）画面、ＯＬＥＤ画面、液晶ディスプレイ（ＬＣＤ）画面、プラズマ画面、又は任意の他のタイプの画面であり得る。ディスプレイは、グラフィカルユーザインタフェース（ＧＵＩ）を示すように構成し得る。ＧＵＩは、ユーザがＵＡＶの動作を制御できるようにし得る画像を示し得る。例えば、ユーザは、画像からターゲットを選択し得る。ターゲットは、静止ターゲット又は移動ターゲットであり得る。ユーザは、ターゲット及び／又は方向を画定するために画像のある部分（例えば、点、領域、及び／又は物体）を選択し得る。ユーザは、スクリーン（例えば、タッチスクリーン）を直接タッチすることによってターゲットを選択し得る。ユーザは、スクリーンのある部分をタッチし得る。ユーザは、スクリーンのその部分を、スクリーン上のある点をタッチすることによってタッチし得る。ユーザは、ユーザ対話デバイス（例えば、マウス、ジョイスティック、キーボード、トラックボール、タッチパッド、ボタン、音声コマンド、ジェスチャ認識、姿勢センサ、端末センサ、タッチ容量性センサ、又は任意の他のデバイス）を用いて、画像の一部を選択することにより、ターゲット方向を選択し得る。タッチスクリーンは、ユーザのタッチの位置、タッチの長さ、タッチの圧力、及び／又はタッチの移動を検出するように構成し得、それにより、上述したタッチ様式のそれぞれは、ユーザからの特定の入力コマンドを示し得る。
【００９０】
ディスプレイ上の画像は、移動体の搭載物を用いて収集されたビューを示し得る。例えば、撮像装置により取得された画像をディスプレイに表示し得る。これは一人称視点（ＦＰＶ）と見なし得る。幾つかの場合では、単一の撮像装置を提供し得、単一のＦＰＶを提供しうる。代替的には、異なる視野を有する複数の撮像装置を提供し得る。ビューは複数のＦＰＶ間で切り替えてもよく、又は複数のＦＰＶを同時に表示してもよい。複数のＦＰＶは、異なる視野を有し得る異なる撮像装置に対応（又は異なる撮像装置により生成）し得る。リモートコントローラにおけるユーザは、撮像装置により収集された画像の一部を選択して、ターゲットを指定し得る。
【００９１】
別の例では、ディスプレイ上の画像は、移動体の搭載物からの情報を用いて生成し得るマップを示し得る。マップは、任意選択的に、立体マッピング技法を使用し得る複数の撮像装置（例えば、右カメラ、左カメラ、又はより多くのカメラ）を用いて生成し得る。幾つかの場合では、マップは、環境に相対するＵＡＶ、環境に相対する撮像装置、及び／又は撮像装置に相対するＵＡＶについての位置情報に基づいて生成し得る。位置情報は、姿勢情報、空間場所情報、角速度、線形速度、角加速度、及び／又は線形加速度を含み得る。マップは、任意選択的に、本明細書の他の箇所で更に詳細に記載されるように、１つ又は複数の追加のセンサを用いて生成し得る。マップは、二次元マップ又は三次元マップであり得る。ビューは、二次元マップビューと三次元マップビューとの間で切り替えてもよく、又は二次元マップビュー及び三次元マップビューを同時に表示してもよい。リモートコントローラにおけるユーザは、マップの一部を選択して、ターゲットを指定し得る。ビューは、１つ又は複数のＦＰＶと１つ又は複数のマップビューとの間で切り替えてもよく、又は１つ又は複数のＦＰＶ及び１つ又は複数のマップビューを同時に表示してもよい。ユーザは、ビューのいずれかを使用してターゲット又は方向を選択し得る。ユーザにより選択される部分は、ターゲット及び／又は方向を含み得る。ユーザは、記載のように、選択技法のいずれかを使用して一部を選択し得る。
【００９２】
幾つかの実施形態では、画像は、リモートコントローラ（例えば、仮想現実システム又は拡張現実システム）に表示される３Ｄ仮想環境において提供し得る。３Ｄ仮想環境は、任意選択的に、３Ｄマップに対応し得る。仮想環境は、ユーザが操作することができる複数のポイント又は物体を含み得る。ユーザは、仮想環境内の様々な異なる動作を通してポイント又は物体を操作することができる。それらの動作の例としては、１つ又は複数のポイント又は物体の選択、ドラッグアンドドロップ、並進、回転、スピン、プッシュ、プル、ズームイン、ズームアウト等を挙げることができる。三次元仮想空間でのポイント又は物体の任意のタイプの移動動作を意図し得る。リモートコントローラにおけるユーザは、仮想環境内のポイント又は物体を操作して、ＵＡＶの飛行経路及び／又はＵＡＶの移動特性を制御し得る。
【００９３】
ユーザ入力に関する情報は、ディスプレイ内の、ターゲットが表示されている場所を含み得る。ユーザ入力に関する情報は、ターゲットが表示されている場所とディスプレイ内の所定の場所とのオフセットを含み得る。オフセットの場所は、ターゲットに関する撮像装置の姿勢の自動制御を行って、ターゲットがディスプレイ内の所定の場所に、又はその付近に表示されるようにするために使用され得る。図２は、本発明の実施形態による、撮像装置２３０の姿勢を制御するためにターゲットに関する情報を使用することの例を示す。
【００９４】
ディスプレイは、撮像装置２３０から取得された画像を示すように構成され得る。ディスプレイは、リモートコントローラにより含まれ得る。幾つかの実施形態では、ディスプレイはタッチスクリーンであり得る。ディスプレイは、リモートコントローラに動作的に接続された外部デバイスにより提供され得る。例えば、リモートコントローラは、ユーザからの入力を受け取るように構成され得る適するモバイルアプリケーションソフトウェア（「ａｐｐ」）２２０を実行するモバイルデバイス（例えば、スマートフォン）に動作的に接続される。ａｐｐ  ２２０は、移動体のための制御命令を生成するために使用されるユーザ入力に関する情報を取得するように構成され得る。幾つかの場合では、画像を表示し、ユーザ入力を受け取るために、グラフィカルユーザインタフェースが提供され得る。ＧＵＩは、ソフトウェア、ソフトウェアアプリケーション、ウェブブラウザ等において提供され得る。撮像装置のズームレベル制御とターゲットに関する撮像装置の姿勢制御は、１つ又は複数のコンピューティングデバイス上でソフトウェア、ハードウェア、又はハードウェア又はソフトウェアの組合せを使って実装できる。
【００９５】
支持機構２４０を介して移動体により支持される撮像装置２３０により取得される画像２１０はユーザに対して表示され得る。ユーザ入力は、画像２１０の中に表示されているターゲット２２１を示す１つ又は複数のユーザ動作であり得る。例えば、ユーザは、ユーザにとって関心の対象である領域を示すタッチスクリーン上のスポットをタップ又はタッチし得る。幾つかの場合では、ディスプレイその領域はターゲット２２１を表示し得る。ターゲットは、ユーザがより詳しく見たい物体又は構造であり得る。ターゲットは、ある物体又は構造のうち、ユーザが焦点を合わせたい部分であり得る。幾つかの場合では、ユーザがタッチスクリーン上のタップ等の動作を実行すると、ユーザがディスプレイの画像内にタッチした場所又は場所の座標がターゲットの場所として記録され得る。幾つかの場合では、ターゲットの他のいずれの場所もターゲットの場所として使用され得る。例えば、ターゲットのグラフィック形状が認識され得、ターゲットの中止点がターゲットの位置として使用され得る。各種の座標系を使って場所を定義できる。例えば、座標系は画像の座標又は表示スクリーンの座標とすることができる。座標系の原点は、画像の中心、表示スクリーンの中心、画像の左上隅、又は表示スクリーンの左上隅等、様々な方法で定義できる。ａｐｐ  ２２０により提供されるディスプレイ上の画像座標と撮像装置２３０のカメラ座標は既知の関係（例えば、変換マトリクス）でマッピングされ得る。例えば、像面のｘ−ｙ座標は、カメラの光学（例えば、焦点距離）、幾何学（例えば、幾何学歪み）、及びデジタル特性（例えば、ピクセルサイズ）を含むカメラの各種の内的パラメータ及び、カメラの外的パラメータ（例えば、世界フレームに関するカメラの場所と向き）に基づいてカメラ座標Ｘ−Ｙにマッピングされ得る。幾つかの場合では、画像座標からカメラ座標への変換は、像面内の並進オフセットが撮像装置の姿勢調整にマッピングされるようにリアルタイムで計算できる。
【００９６】
ターゲットの場所は画像内のいずれの場所にも位置付けられ得る。場所は、所望の場所（ｕ０，Ｖ０）からずれていてもよく、又はずれていなくてもよい。所望の場所は、画像の中心又は表示スクリーンの中心等、所定の場所とすることができる。例えば、画像の幅がＷピクセル、高さがＨピクセルであるとすると、所望の場所は
【数１】
2019537306.tif 000003
及び／又は
【数２】
2019537306.tif 000004
等、画像中心の付近とすることができる。所望の場所は、画像内の他のいずれの箇所に位置付けることもでき、これは中心であってもよく、中心でなくてもよい。所望の場所はユーザが決定できる。例えば、ユーザはユーザの選好に従ってターゲットを見るための所望の場所を設定することができ得る。
【００９７】
幾つかの場合では、ターゲットの場所（ｕ，ｖ）と所望の場所（ｕ０，ｖ０）との間のオフセットは計算されて、ターゲットが表示スクリーン内の所望の場所に、又はその付近に表示されるように撮像装置の姿勢を制御するために使用され得る。幾つかの実施形態では、画像座標内のターゲットの場所から所望の場所までのオフセットは、１つ又は複数の軸の周囲での撮像装置の１つ又は複数の回転移動を導き出すために使用され得る。回転移動は、ターゲットに関する撮像装置の姿勢を調整して、回転後にターゲットが表示スクリーン上の所望の位置に、又はその付近に位置付けられるようにしうる。ターゲットに関する撮像装置の姿勢は、各種のコンピュータビジョン方法を使って、像面とカメラ座標との間の変換関係に基づいて決定できる。例えば、撮像装置の光学、幾何学、及びデジタル特性を特徴付ける内的パラメータ、カメラフレームからピクセル座標への変換、及びカメラフレームからワールドフレームへの変換は、像面内の座標を撮像装置の姿勢角度にマッピングするために使用され得る。
【００９８】
回転移動は、ターゲットに関する撮像装置の姿勢を、回転後にターゲットが表示スクリーン上の所望の位置に、又はその付近に位置付けられるように調整し得る。幾つかの場合では、撮像装置の並進移動はターゲットに関する撮像装置の姿勢を調整し得る。幾つかの場合では、撮像装置の並進移動と回転移動の組合せは、ターゲットに関する撮像装置の姿勢を調整し得る。ターゲットに関する撮像装置の姿勢は、移動体に関する撮像装置の姿勢、ターゲットに関する移動体の姿勢、又は撮像装置の姿勢と移動体の姿勢の両方を調整することによって自動的に調整され得る。
【００９９】
幾つかの場合では、撮像装置が静止した姿勢にある間に、ターゲットは撮像装置に対して移動し得る。これらの場合では、撮像装置の姿勢を調整するための回転移動は、撮像装置に関するターゲットの相対移動を考慮し得る。例えば、撮像装置と移動体は自動追跡モードにあり得る。当初の追跡対象の物体は、ユーザが示すものと同じターゲットでなくてもよい。この場合では、ユーザがターゲットを示すジェスチャを入力すると、撮像装置と移動体は、撮像装置の姿勢と撮像装置のズームレベルを自動的に調整し、ターゲットがディスプレイ上の所定の場所（例えば、中心）に表示されるようにし得、その間は追跡されていてもいなくてもよい。
【０１００】
ターゲットに関する撮像装置の姿勢は、撮像装置の回転移動／又は並進移動により調整可能である。回転移動は、１つ又は複数の軸（例えば、ロール軸、ピッチ軸、又はヨー軸）の周囲のものとすることができる。撮像装置に関する回転移動は、個別に、又は集合的に、移動体及び支持機構に対する調整を介して実現され得る。１つ、２つ、３つ、又は４つ以上の軸の周囲での回転は、移動体の回転、支持機構を介した移動体に関する撮像装置の回転、又は両方の組合せによって実現され得る。並進移動は、１つ、２つ、３つ、又は４以上の軸に沿ったものとすることができる。撮像装置のための並進移動は、集合的に、又は個別に、移動体及び支持機構に対する調整を介して実現され得る。１つ、２つ、３つ、又は４つ以上の軸に沿った並進移動は、ターゲットに関する移動体の並進移動、移動体に関する支持機構を介した撮像装置の並進移動、又は両方の組合せによって実現できる。幾つかの実施形態において、撮像装置の回転移動と並進移動の両方の組合せは、ターゲットに関する撮像装置の姿勢を調整するために実行され得る。
【０１０１】
幾つかの実施形態では、移動体は、ピッチ、ヨー、及びロール軸等、最大３つの直交軸の周囲で回転され得る。移動体は、ターゲットに関する並進移動又は線速度を有するように制御され得る。撮像装置は、支持機構を介して移動体に接続され得る。支持機構は、撮像装置を最大３つの直交軸の周囲で移動体に対して移動させることができ得る。支持機構は、撮像装置が移動体に関する回転及び並進移動の両方を実行させ得る。したがって、撮像装置の姿勢は、集合的又は個別に移動体と支持機に対する調整を介して調整できる。
【０１０２】
幾つかの実施形態では、撮像装置のズームレベルもまた、ターゲットを示すユーザ入力に応答して自動的に調整される。幾つかの場合では、撮像装置のズームレベルは、撮像装置の姿勢に対する調整と同時に調整される。例えば、撮像装置が、ターゲットがディスプレイの所定の場所に表示されるようにする姿勢へと回転されている間に、撮像装置の光学ズーム又はデジタルズームもまた実行され、それによってターゲットが所定の場所に移動されるときまでにターゲットの大きさもまた、所定のズーム比により拡大される。幾つかの場合では、撮像装置の姿勢の調整は、光学ズームを使用する場合、ズームレベルの調整より高速であり得る。この場合では、撮像装置の姿勢は支持機構を介して調整されている間に、デジタルズームが実行され得る。画像のズームレベルは、姿勢調整中にデジタルズームによって、所望のズームレベルまで、又は所定のズーム比により増大させられ得る。その後、所望のズームレベルに到達したら、光学ズームが増大させられ得る間に、デジタルズームは低下させられ得、最終的に光学ズームが所望のレベルになり、デジタルズームはゼロに戻る。幾つかの場合では、撮像装置のズームレベルは、姿勢調整後に調整される。他の場合では、撮像装置のズームレベルは、姿勢の調整前に調整される。
【０１０３】
撮像装置のズームレベルは、撮像装置のズームパラメータを調整することによって制御され得る。例えば、撮像装置のズーム比は、集合的又は個別に、光学ズーム及びデジタルズームにより調整され得る。ズームレベルは、ターゲットからの撮像装置の距離を調整することによって制御され得る。例えば、移動体は、ズームイン効果のためにはターゲットに近付くように移動し得、ズームアウト効果のためにはターゲットから遠ざかるように移動し得る。ズームレベルは、撮像装置のズームとターゲットからの撮像装置の距離との組合せを調整することによって制御され得る。この組合せを決定するために、様々な方法を使用できる。例えば、撮像装置のズームがまず実行されてよく、所望のズームレベルが撮像装置の能力を超えている場合、移動体はターゲットにより近付くように、又はそれから更に離れるように移動して、所望のズームレベルを実現し得る。他の例では、撮像装置のズームと撮像装置とターゲットとの間の距離を変化させることを実質的に同時に実行し得、それによってズームレベルを連続的に実行する場合より早く実現できる。
【０１０４】
幾つかの実施形態では、撮像装置のズームレベルは所定の比により自動的に調整され得る。幾つかの実施形態では、所定の比はズームイン比である。代替的に、撮像装置のズームレベルは所定のズームレベルに到達するまで自動的に調整される。例えば、ディスプレイ上に示されるターゲットを示すユーザ入力に応答して、所望の場所（例えば、ディスプレイの中心）に、又はその付近に位置付けられることに加え、ターゲットはまた、ユーザがターゲットをより詳しく見ることができ得るように、所定のズームイン比により拡大され得る。所定のズームイン比は、ユーザにより設定可能である。ズームイン比は、１．１×、１．５×、２×、３×、４×、５、６×、１０×、２０×等の各種の数字とすることができる。使用者は、所定の比を、いつでも、例えば撮像装置を作動させる前、撮像装置の動作中、又は必要に応じた他の任意の適する時に設定でき得る。幾つかの場合では、デフォルトズームイン比は、焦点距離、ズーム能力、又は最適な画像品質等、撮像装置の様々な特性に基づいてソフトウェアにより提供され得る。幾つかの場合では、デフォルトズームイン比は、ユーザにより提供され得る。例えば、ユーザは、リモートコントローラ上に提供されたアプリケーションを介してデフォルトズームイン比を選択又は入力し得る。
【０１０５】
幾つかの実施形態では、リモートコントローラは、撮像装置、撮像装置を支持する支持機構、又は移動体のうちの少なくとも１つと通信するように構成された通信ユニットを更に含み得る。通信ユニットは、撮像装置のズームレベル及びターゲットに関する撮像装置の姿勢の自動制御を実行するためのデータを送信するように構成され得る。図３は、リモートコントローラから移動体、支持機構、又は撮像装置へのデータ送信の概略ブロック図を示す。
【０１０６】
前述のように、データは、画像内に示されるターゲットを示すユーザ入力に関する情報に基づいて生成され得る。ユーザ入力３１０は、タッチスクリーン上のタップ又はタッチ等の簡素化されたユー動作であり得る。幾つかの実施形態では、ユーザ入力は、１回のユーザ動作であり得る。１回のユーザ動作は、マウスの１回のクリック、スタイラスでのタップ、タッチスクリーンの１回のスイープ等、入力デバイスに関する１回の動作を含むことができる。１回のユーザ動作は、１回のタッチジェスチャとすることができる。１回のジェスチャは、タッチスクリーンへの１回の入力であり得る。１回のシェスチャは、ユーザによる１回の動きを含み得る。ユーザによる１回の動作は、実質的に１方向へのものであり得るか、又は複数の方向へのものであり得る。１回のユーザ動作は、ユーザの片手を使って遂行され得る。１回のユーザ動作は、ユーザの１本の指又は複数の指を使って遂行され得る。複数の指は同時に使用され得る。１回のユーザ動作は、短時間内に遂行され得る。例えば、１回のユーザ動作は約５秒、３秒、２秒、１秒、０．５秒、０．１秒、又は０．０１秒以内に遂行され得る。本願で提供されるシステム及びデバイスにより、ユーザは、選択されたターゲットの位置決め及びズームにつながる１回のユーザ動作を実行できる。ユーザ入力は、力覚的入力とすることができる。ユーザ入力は、タッチスクリーンのある領域上でのタップ、ターゲットの所望の場所へのドラッグ、インディケータのドラッグ、及びターゲットの上でのドロップ等、任意の適する形態とすることができる。タップは、シングルタップ、ダブルタップ、ディープタッチ、ライトタッチ、１点のタッチ、複数点のタッチ、及びユーザにより定義され得るか、又はされ得ない他の各種の動作とすることができる。ディープタッチは、圧力の程度が閾値の量を超えるタッチであり得る。ロングタッチは、時間の長さが閾値の量を超えるタッチであり得る。ユーザはタッチスクリーン上で表示されているターゲットをタップし得、及び表示スクリーン内のターゲットの場所を含む情報が得られ得る。幾つかの場合では、情報は、撮像装置３３０のズームレベルとターゲット３４０に関する撮像装置の姿勢の自動制御を実行するためのデータを来生するために使用され得る。
【０１０７】
データは、（ａ）撮像装置のズームレベル、及び（ｂ）ターゲットに関する撮像装置の姿勢を制御するための制御データであり得る。制御データは、（ａ）及び（ｂ）の制御を実質的に同時に実行し得る。制御データは、ユーザが選択するターゲットの座標を含み得る。画像内の選択されたターゲットの座標は、ターゲットに関する撮像装置の姿勢を調整するための回転角を生成するために使用できる。代替的に、制御データは、選択されたターゲットの現在の位置と所定の位置との間のオフセットを含み得る。制御データは、オフセットに対応する回転角を含み得る。ターゲットの座標に基づく撮像装置の回転角を取得することに関する詳細は、図１１において更に説明される。回転角を含むデータは、撮像装置の姿勢を回転角だけ調整するために、撮像装置、撮像装置を支持する支持機構、又は移動体に送信され得る。回転角は、支持機構及び／又は移動体の１つ又は複数の作動機構のための制御コマンドを生成するために使用され得る。制御データは、撮像装置のズームレベルを自動的に調整するための所定の比を含み得る。制御データは、撮像装置、撮像装置を支持する支持機構、又は移動体に送信されるための命令を含み得る。制御データは、光学ズームコントロール及び／又はデジタルズームコントロールを介して、撮像装置のズームレベルを制御するための命令を含み得る。
【０１０８】
制御データは、撮像装置の姿勢を調整するための情報を含み得、これは以下のうちの少なくとも１つを含む：選択されたターゲットの場所と所定の場所との間のオフセット、ディスプレイ上の選択されたターゲットの座標、オフセットに対応する回転角。制御データはまた、撮像装置のズームレベルを調整するための情報も含み得、これは以下のうちの少なくとも１つを含む：所望のズームレベル、ズームレベルを調整するための所定のズーム比。
【０１０９】
データは、撮像装置、撮像装置を支持する支持機構、又は移動体のうちの少なくとも１つに対する命令を含み得る。命令は、撮像装置のズームレベル及びターゲットに関する撮像装置の姿勢を制御するためのものであり得る。ターゲットに関する撮像装置の姿勢を制御することは、上述のように移動体及び／又は支持機構の移動を実行することによって実現可能である。撮像装置のズームレベルを制御することは、撮像装置のズームレベルを調整すること（例えば、光学ズーム及び／又はデジタルズーム）、及び／又は撮像装置からターゲットまでの距離を調整すること（例えば、移動体を移動させる）により達成できる。
【０１１０】
幾つかの実施形態では、データは、リモートコントローラにオンボードの１つ又は複数のプロセッサにより生成され得る。一例では、データは撮像装置の目標の姿勢又は角度を含み得、この姿勢は、ターゲットを画像内の所定の場所に表示することに対応し、撮像装置の姿勢角度は、移動体にオンボードの１つ又は複数のプロセッサにより支持機構及び／又は移動体に対する制御コマンドを生成するために使用され得る。他の例では、データは支持機構及び／又は移動体の１つ又は複数の回転角又は並進移動を含み得、回転角又は並進移動は、移動体にオンボードの１つ又は複数のプロセッサにより支持機構及び／又は移動体への制御コマンドを生成するために使用され得る。別の例では、データは、画像内のターゲットの座標と、ターゲットが画像内の所定の場所に表示されるようにする支持機構及び／又は移動体の移動は、移動体にオンボードの１つ又は複数のプロセッサにより決定され得る。支持機構及び／又は移動体の１つ又は複数の作動機構のための制御コマンドは、この移動に基づいて生成できる。データはまた、撮像装置のズームレベルを自動的に調整するための所定の比も含み得る。
【０１１１】
リモートコントローラにより生成されるデータは、ターゲットに関する撮像装置の姿勢と撮像装置のズームレベルの自動制御を実行するために使用され得る。データは、ズーム比のほか、画像内のターゲットの場所等、所定の要素を含み得る。データは、支持機構及び／又は移動体の１つ又は複数の作動機構のための制御コマンドを生成するために使用され得る。幾つかの場合では、移動体に対する制御コマンドは、移動体の１つ又は複数の推進ユニットを制御するための飛行制御器により生成され得る。幾つかの場合では、支持機構に対する制御コマンドは、支持機構の１つ又は複数の作動機構（例えば、モータ）を制御するために、支持機構の制御ユニットにより生成され得る。制御ユニットは、複数の飛行コントローラにより含まれているかもしれず、又は含まれないかもしれない。幾つかの場合では、撮像装置のズームモータを制御するために、撮像装置に対する制御コマンドは撮像装置の１つ又は複数のプロセッサにより生成され得る。飛行制御器、支持機構のための制御ユニット、又は撮像装置のためのプロセッサは、移動体にオンボードで、支持機構にオンボードで、撮像装置にオンボードで、及び／又は外部デバイス若しくはネットワーク上に提供され得る。飛行制御器は、１つ又は複数のプロセッサを含み得る。
【０１１２】
飛行制御器は、移動体の飛行を制御し得る。任意選択的に、飛行制御器は、移動体の１つ又は複数の推進ユニットに提供されることになる１つ又は複数の飛行命令を生成し得る。飛行制御器は、移動体の１つ又は複数の推進ユニットと通信し得る。
【０１１３】
１つ又は複数のセンサからの情報は、飛行コントローラに提供し得る。例えば、１つ又は複数の組のＩＭＵからの情報は、飛行コントローラに提供し得る。１つ又は複数の組のＩＭＵは、移動体に搭載して、支持機構に搭載して、及び／又は搭載物に搭載し得る。ＩＭＵからのデータは、移動体、支持機構、及び／又は搭載物の位置情報を示し得る。飛行コントローラは、任意選択的に、ＵＡＶの飛行を制御するに当たり、１つ又は複数のセンサからの情報を使用し得る。任意選択的に、１つ又は複数のセンサからの情報は、ＵＡＶ及び／又はその環境に相対する撮像装置の位置を制御するのに使用し得る。
【０１１４】
飛行制御器は、ターゲットに関する移動体の姿勢を制御し得る。飛行制御器は、移動体の１つ又は複数の推進ユニットに、ターゲットに関する移動体の姿勢又は向き（例えば、機首方向）が制御され得るように移動体の１つ又は複数の推進ユニットに対する制御コマンドを生成し得る。
【０１１５】
飛行制御器は、ユーザ端末から情報を受信し得る。飛行制御器は、ターゲット及び／又は方向のユーザによる選択及び／又は方向を示す情報を受信し得る。飛行制御器は、ターゲット及び／又は方向の選択に応答して飛行経路を生成し、及び／又はＵＡＶの飛行を制御し得る。
【０１１６】
ターゲットに関する撮像装置の姿勢の制御を実行するためのデータは、支持機構に対する命令を含み得る。データは、支持機構の移動を実行するための制御コマンドを生成するために使用され得る。幾つかの場合では、支持機構の１つ又は複数の作動機構のための制御コマンドは、支持機構の制御ユニットにより生成されることができる。幾つかの実施形態では、支持機構の１つ又は複数のフレーム構成要素は、支持機構により支持される撮像装置が移動体に対して相対移動し得るように相互に対して移動すべく制御され得る。支持機構を介して撮像装置の姿勢を制御することに関する詳細は、本明細書の他の箇所に記載されている。
【０１１７】
データはまた、撮像装置のズームレベルの自動制御を実行するための所定の要比を含み得る。所定の比はズームイン比であり得る。幾つかの場合では、所定の比は、所定の比を実現できるように撮像装置の焦点距離を調整するための撮像装置の１つ又は複数のズームモータに対する制御コマンドを生成するために使用され得る。
【０１１８】
幾つかの実施形態では、ディスプレイ上に表示されているターゲットの大きさとディスプレイ上に表示されているターゲットの位置の自動制御を実行するためのデータが生成され得る。ターゲットの位置に対する制御の実行については前述した。幾つかの実施形態では、ディスプレイ上に表示されるターゲットの大きさの実行は、撮像装置のズームレベル、撮像装置からターゲットまでの距離、又は撮像装置のズームレベルと撮像装置からターゲットまでの距離の両方を自動的に制御することによって実現され得る。例えば、ターゲットの大きさを拡大するために、撮像装置のズームモータは撮像装置の焦点距離を調整するように制御され得るか、移動体がターゲットに向かって移動することによって距離を短縮するように制御され得る。
【０１１９】
幾つかの実施形態では、データは、移動体をターゲットに対して移動させ、移動体とターゲットとの間の距離を調整できるようにするための制御コマンドを生成するために使用され得る。制御コマンドは、移動体の１つ又は複数の推進ユニットを制御するために、飛行制御器により生成され得る。飛行制御器は、移動体とターゲットとの間の距離を制御できるように移動体の移動を制御し得る。飛行制御器は、任意選択的に、移動体のための飛行経路を生成し得る。飛行経路は、ターゲット物体に向かい得る。幾つかの実施形態では、飛行経路は静止する物体に向かい得る。飛行経路は、任意選択的に、移動する物体に向かう機首方位であり得るが、機首方位及び／又は経路は、物体が移動するにつれて変更され得る。代替的に、可動物のための飛行経路が生成されない。飛行経路は、ターゲット方向への機首方位を含み得る。幾つかの実施形態では、撮像装置の姿勢と撮像装置のズームレベルを制御するための命令の両方を含むデータは、撮像装置、撮像装置を支持する支持機構、又は移動体の少なくとも１つに送信され得る３２０。例えば、データは、リモートコントローラから移動体の通信ユニットへと送信され得、ズームレベルを制御するための命令は、更に移動体から撮像装置へと送信され得る。同様に、移動体の姿勢を実行するための命令を含むデータは、撮像装置により中継され、その後、移動体にオンボードのコントローラに送信されることができる。幾つかの実施形態では、撮像装置のズームレベルを制御するための命令を含むデータは撮像装置に送信され得、姿勢を制御するための命令は移動体か及び／又は支持機構に送信され得る。リモートコントローラにより提供又は送信される制御データは、移動体、支持機構、又は撮像装置のうちの１つ又は複数の状態を制御するように構成できる。代替的に、又は組合せにより、支持機構と撮像装置はまた、各々、リモートコントローラと通信するように構成された通信ユニットを含むことができ、それによってリモートコントローラは移動体、支持機構、及び撮像装置の各々と個別に通信し、これを制御できる。
【０１２０】
図４は、実施形態による移動体４１０を制御するためのある例示的なリモートコントローラ４２０を示す。リモートコントローラは、ＵＡＶ等の移動体に接続された撮像装置又は画像センサにより取得された画像データ等の感知データを表示するためのディスプレイ４３０を含む。画像データは、移動体にオンボードの撮像装置又は画像センサにより取得された画像を含み得る。画像はユーザが画像内で所定の場所に所望のズームレベルで見たいと望み得る１つ又は複数のターゲットを含み得る。ターゲットは、ディスプレイ４２０内に表示され得る。ターゲットを示すユーザ入力は、移動体及び／又は撮像装置を制御するための制御データを生成するために使用され得る。
【０１２１】
リモートコントローラ４２０は、１つ又は複数のディスプレイ４３０を含み得る。ディスプレイは、タッチセンシティブ表示スクリーンであり得る。タッチセンシティブスクリーンは、スクリーン内に表示されているターゲットを示すユーザ入力を受け取るように構成され得る。ディスプレイは、ユーザに対して画像を表示するように構成され得る。画像は、移動体又は撮像装置から送信され得る。タッチセンシティブ表示スクリーンは、タッチセンシティブ表面、力覚及び／又は触覚コンタクトに基づいてユーザからの入力を受け入れるセンサ又はセンサ群を有し得る。タッチセンシティブ表示スクリーンと付随するあらゆる構成要素は、タッチセンシティブ表示スクリーン上のコンタクト（及びあらゆるコンタクトの移動又は停止）を検出し得、検出されたコンタクトをユーザインタフェースのオブジェクト（例えば、ユーザにとって関心のあるターゲット又は領域）に変換し、これはタッチセンシティブスクリーン上に表示される。
【０１２２】
タッチセンシティブ表示スクリーンは、コンタクト及びそのあらゆる移動又は停止を、例えば、限定ではないが、容量、抵抗、赤外線、及び弾性表面波方式を含む、現在知られている、又は今後開発される複数のタッチセンシング技術のいずれかのほか、タッチセンシティブスクリーンとの１つ又は複数のコンタクト地点を判断するための近接性センサアレイ又はその他の素子を使って検出し得る。タッチセンシティブ表示スクリーンは、タップ、ピンチ、スワイプ、ホールド、ディーププレス、ロングプレス等の各種のタッチジェスチャを検出することができ得る。
【０１２３】
リモートコントローラはまた、移動体４１０又は移動体の構成要素を制御するためのその他のユーザ入力を受け取るための１つ又は複数の入力デバイスも含むことができる。このような入力デバイスとしては、ジョイスティック、ボタン若しくはスイッチ、キーボード、マウス、又は任意の適する機構を含み得る。例えば、１つ又は複数のボタン又はスイッチは、移動体のナビゲーションモード等の異なるモード間で切り替えるために使用され得る。ジョイスティック及びホイールは、移動体、支持機構、又は撮像装置の移動又は姿勢を制御するために使用され得る。
【０１２４】
リモートコントローラは、１つ又は複数のプロセッサ４５０を含み得る。１つ又は複数のプロセッサは、プログラマブルプロセッサ（例えば、中央処理ユニット（ＣＰＵ））、Ｆｉｅｌｄ  Ｐｒｏｇｒａｍｍａｂｌｅ  Ｇａｔｅ  Ａｒｒａｙ（ＦＰＧＡ）及び／又は１つ又は複数のＡＲＭプロセッサを含み得る。１つ又は複数のプロセッサは、１つ又は複数のメモリユニット４６０に動作的に接続可能である。メモリユニットは、一時的及び／又は非一時的記憶媒体を含み得る。非一時的コンピュータ可読媒体は、本明細書に記載されている方法の任意の適する実施形態を実行するための１つ又は複数のプロセッサにより実行可能な論理、コード、及び／又はプログラム命令を記憶できる。メモリは、１つ又は複数のメモリユニット（例えば、ＳＤカード又はランダムアクセスメモリ（ＲＡＭ）等のリムーバブルメディア又は外部ストレージ）を含み得る。幾つかの実施形態では、リモートコントローラの入力デバイスからのデータは、メモリユニットに直接伝達され、そこに記憶されることができる。例えば、１つ又は複数のプロセッサは、ディスプレイ内に表示されているターゲットを示すユーザ入力（例えば、タッチスクリーン上のタップ）に関する情報に基づいてデータを生成するための命令を実行するように構成でき。１つ又は複数のプロセッサは、ユーザ入力に基づいて移動体又は撮像装置に対する制御コマンドを生成すること、通信ユニット４４０にデータを送信及び／又は受信させること等を行わせるようにしてもよく、又はしなくてもよい。メモリユニットは、外部デバイス（例えば、移動体）から受信した画像データ等のデータを記憶できる。幾つかの実施形態では、メモリユニットは、撮像装置の、ユーザが定義したズームレベル及びユーザが定義したタッチ動作等のユーザ入力を記憶するために使用できる。
【０１２５】
非一時的コンピュータ可読媒体４６０は、移動体４１０により支持される撮像装置により取得された画像をディスプレイ上に表示するためのプログラム命令を含み得る。プログラム命令はまた、１つ又は複数のプロセッサに、ディスプレイ上でのタッチジェスチャの位置を分析すること等によって、画像内に表示されているターゲットを示すユーザ入力に関する情報を取得させるための命令も含み得る。プログラム命令はすると、プロセッサに、ターゲットがディスプレイ上に所望の大きさで所望の位置に表示されるように移動体と撮像装置の制御を実行するためのデータを生成させ得る。
【０１２６】
幾つかの実施形態において、リモートコントローラは、他のコンピューティングデバイス（例えば、コンピュータ、ラップトップ、タブレット、スマートフォン、又はその他のモバイルデバイス）に動作的に接続できる。他のコンピューティングデバイスは、ユーザと対話するディスプレイを含み得る。他のコンピューティングデバイスは、ディスプレイ上に表示されているターゲットを示すユーザ入力を受け取り、撮像装置を制御するための情報を取得し得る。幾つかの場合では、他のコンピューティングデバイスは、ディスプレイ上に表示されているターゲットの位置及び／又はユーザにより提供されるズームレベル又はズーム比を含む情報をリモートコントローラに送信するように構成され得る。リモートコントローラは、移動体、支持機構、又は撮像装置を制御するための情報に基づいて更にデータを生成し得る。幾つかの場合、他のデバイスは、ユーザ入力に基づいて制御データを生成し、移動体、支持機構、又は撮像装置と直接通信するように構成され得る。他のコンピューティングデバイスは、リモートデバイスとすることができる。移動体は、リモートコントローラに追加的に、又はリモートコントローラの代替として、リモートデバイス（例えば、コンピュータ、ラップトップ、タブレット、スマートフォン等のモバイルデバイス）と通信するように構成できる。リモートコントローラは、リモートデバイスのほか移動体と通信するように構成でき得る。リモートデバイスは、移動体又は撮像装置にデータを送信し、移動体又は撮像装置からデータを受信し、リモートコントローラにデータを送信し、及び／又はリモートコントローラからデータを受信するように構成できる。任意選択的に、リモートデバイスは、インターネット又はその他の電気通信ネットワークに接続でき、それによって移動体及び／又はリモートコントローラから受信したデータをウェブサイト又はサーバにアップロードできる。
【０１２７】
リモートコントローラは、撮像装置、撮像装置を支持する支持機構、又は移動体のうちの少なくとも１つと通信するように構成された通信ユニット４４０を更に含み得る。通信ユニットは、ターゲットに関する撮像装置の姿勢を制御するための命令と撮像装置のズームレベルを制御する命令を含むデータを送信することができ得る。通信ユニットは、１つ又は複数のリモートデバイス（例えば、移動体、搭載物、基地局等）とデータを送信及び／又は受信するように構成できる。例えば、通信ユニットは、制御データ（例えば、画像内のターゲットの場所、ズームレベル）を、移動体、支持機構、及び／又は撮像装置等の外部システム又はデバイスに送信するように構成できる。通信ユニットはまた、このような外部システム又はデバイスからデータ（例えば、画像データと感知データ）を受信するようにも構成できる。幾つかの実施形態では、通信ユニットは、それぞれリモートデバイスにデータを送信し、そこからデータを受信するように構成された送信機と受信機を含むことができる。幾つかの実施形態において、通信ユニットは、送信機及び受信機の機能を複合させたトランシーバを含むことができる。幾つかの実施形態では、送信機と受信機は相互にだけでなく、１つ又は複数のプロセッサと通信できる。
【０１２８】
本明細書に記載されている有線通信又は無線通信等、任意の適する通信手段が使用可能である。移動体及び／又は撮像装置の移動を実行するためのデータを送信する送信リンクは、画像送信リンクとは別のリンクであってもよく、又はそうでなくてもよい。有線通信又は無線通信等、任意の適する通信手段を通信ユニット及び／又は画像送信ユニットに使用できる。例えば、通信ユニットは、ローカルエリアネットワーク（ＬＡＮ）、広域ネットワーク（ＷＡＮ）、赤外線、無線、ＷｉＦｉ、ポイントツーポイント（Ｐ２Ｐ）ネットワーク、電気通信網、クラウド通信等のうちの１つ又は複数を利用することができる。任意選択的に、電波塔、衛星、又は移動局等の中継局を使用することができる。無線通信は、近接度依存型又は近接度独立型とすることができる。幾つかの実施形態では、通信にｌｉｎｅ−ｏｆ−ｓｉｇｈｔが必要なこともあれば、又は必要ないこともある。画像のズームレベルコントロールと画像内に示されるターゲットの位置を含む情報に加えて、通信ユニットはまた、移動体にオンボードの他のセンサからの感知データ、感知データを処理することにより判断される位置及び／又は運動情報、決定された制御データ、遠隔操作端末からのユーザのコマンド等を送信及び／又は受信するように構成することもできる。
【０１２９】
本発明の一態様では、画像を取得する方法が提供される。方法は、撮像装置により取得された画像をディスプレイ上に表示することであって、撮像装置が移動体により支持される、示すことと、画像内に表示されているターゲットを示すユーザ入力に関する情報を取得するステップと、ターゲットを示すユーザ入力に関する情報に基づいて、（ａ）撮像装置のズームレベル、及び（ｂ）ターゲットに関する撮像装置の姿勢の自動制御を実行するためのデータを生成するステップとを含み得る。
【０１３０】
本発明の幾つかの他の態様によれば、ＵＡＶ等の本明細書に記載されている移動体により支持される撮像装置により取得された画像を、実質的にリアルタイムで選択し、閲覧するために対話式ユーザインタフェースが提供される。このようなユーザインタフェースは、本明細書に記載されているようなリモートコントローラにより提供され得る。図８は、実施形態による、撮像装置を制御をするためのある例示的なプロセス８００を示す。プロセス８００の各局面は、本明細書に記載されているようなリモートコントローラによって実行され得る。
【０１３１】
プロセス８００は、移動体により取得された１つ又は複数の画像を表示すること８１０を含む。画像は、本明細書に記載されているように支持機構を介して移動体に接続された撮像装置により取得され得る。支持機構は、撮像装置が移動体に対して移動できるようにしうる。撮像装置は代替的に、支持機構を用いずに移動体に直接接続され得る。画像は移動体から、又は撮像装置から直接、リモートコントローラに送信され得る。このようにしてリモートコントローラにより受信された画像は、解凍又はその他の処理が行われてから、リモートコントローラに関連付けられるユーザインタフェース上に表示され得る。ユーザインタフェースは、リモートコントローラと一体のディスプレイにより提供され得る。代替的に、ディスプレイは、リモートコントローラとは別であるが、これに動作的に接続され得る。このようにして表示された画像は静的でも（例えば、静止画像）、又は動的でも（例えば、ビデオ）よい。
【０１３２】
幾つかの実施形態では、画像は、画像が移動体及び／又は撮像装置から受信されたときに実質的にリアルタイムで表示又はストリーミングされ得る。幾つかの実施形態では、画像は、画像が撮像装置により取得されたときに実質的にリアルタイムで移動体及び／又は撮像装置から送信される。他の場合では、画像の取得及び／又は送信時と画像の表示時との間にある程度のディレイがあり得る。
【０１３３】
幾つかの実施形態では、プロセス８００は、ターゲットを示す情報を取得すること８２０を含む。情報は、表示された画像の少なくとも１つの中に表示されているターゲットを示すユーザ入力に関するものであり得る。ユーザは、画像を表示したものと同じユーザインタフェースを介してユーザ入力を提供しうる。ユーザ入力は、１回のユーザ動作であり得る。例えば、幾つかの実施形態では、ユーザによるターゲットの選択は、ユーザによるディスプレイ上に表示されている１つ又は複数の画像のうちの少なくとも１つのある領域を選択することにより実現され、選択された領域はターゲットに対応し得る。例えば、ユーザは、指又はスタイラスを使ってタッチスクリーンを直接タッチすることによりターゲットを選択し得る。ターゲット領域の選択は、本明細書に記載されているような任意の適する入力方法に関連付けられるタッチすること若しくはタップすること、スワイプすること、円を描くこと、クリックすること等を含むことができる。
【０１３４】
ユーザが選択したターゲットは、（ａ）撮像装置のズームレベル、及び（ｂ）ターゲットに関する撮像装置の姿勢を制御をするための制御データを生成すること８３０のために使用できる。制御データは、（ａ）及び（ｂ）の制御を実質的に同時に実行し得る。制御データは、ユーザが選択したターゲットの座標を含み得る。画像内の選択されたターゲットの座標は、ターゲットに関する撮像装置の姿勢を調整するための回転角を生成するために使用できる。ターゲットの座標に基づいて撮像装置の回転角を取得することに関する詳細は、図１１で更に説明されている。回転角を含むデータは、撮像装置、撮像装置を支持する支持機構、又は移動体へと、回転角だけ撮像装置の姿勢を調整するために送信され得る。回転角は、支持機構及び／又は移動体の１つ又は複数の作動機構のための制御コマンドを生成するために使用され得る。例えば、支持機構の１つ又は複数の作動機構は、支持機構の１つ又は複数のフレーム構成要素を相互に対して移動させるように制御され得、それによって撮像装置は移動体に対して移動される。他の例では、制御コマンドに応答して、移動体の１つ又は複数のロータは、ターゲットに関する移動体の姿勢又は位置を制御するための推力を生成するように制御され得る。制御データは、撮像装置のズームレベルを自動的に調整するための所定の比を含み得る。制御データは、撮像装置、撮像装置を支持する支持機構、又は移動体に送信されることになる命令を含み得る。制御データは、光学ズームコントロール及び／又はデジタルズームコントロールを介して撮像装置のズームレベルを制御するための命令を含み得る。
【０１３５】
幾つかの実施形態では、１つ又は複数のズームコントロールが更に、ディスプレイ上でユーザに対して表示され得る。ユーザは、ディスプレイ上に提供された複数のズームコントロールによって撮像装置のズームレベルを制御し得る。複数のズームコントロールは、撮像装置のズームレベルを上げるように構成されたズームインコントロール、撮像装置のズームレベルを下げるように構成されたズームアウトコントロール、及び撮像装置のズームレベルをプリセットズームレベルに設定するように構成されたリセットズームレベルコントロールを含み得る。プリセットズームレベルは、ユーザ定義型とすることができる。
【０１３６】
図９は、実施形態による、画像を取得するための他の例示的なプロセス９００を示す。プロセス９００の各局面は、本明細書に記載されているようなリモートコントローラにより実行され得る。
【０１３７】
プロセス９００は、移動体により取得された１つ又は複数の画像を表示すること９１０を含む。画像を表示するプロセス９１０は、図８に記載されているものと同じプロセス８１０とすることができる。
【０１３８】
幾つかの実施形態では、プロセス９００はターゲットを示す情報を取得すること９２０を含む。情報は、表示された画像の少なくとも１つの中に表示されているターゲットを示すユーザ入力に関するものである。情報を取得するプロセス９２０は、図８に示されるものと同じプロセス８２０とすることができる。
【０１３９】
ユーザが選択したターゲットは、（ａ）ディスプレイ上に表示されているターゲットの大きさ、及び（ｂ）ディスプレイ上に表示されているターゲットの位置を制御するための制御データを生成すること８３０のために使用できる。制御データは、（ａ）及び（ｂ）の制御を実質的に同時に実行し得る。ディスプレイ上に表示されているターゲットの位置は、ターゲットに関する撮像装置の姿勢を制御することによって制御できる。ターゲットに関する撮像装置の姿勢を調整することにより、ディスプレイ上に表示されているターゲットの位置が調整され得る。幾つかの実施形態では、ディスプレイ上に表示されている所定の場所からのターゲットのオフセットは、撮像装置の回転角に対応させることができる。制御データは、ユーザが選択したターゲットの座標を含み得る。例えば、画像内の選択されたターゲットの座標は、ターゲットに関する撮像装置の姿勢を調整するための回転角を生成するために使用できる。回転角を含むデータは、回転角により撮像装置の姿勢を調整するために、撮像装置、撮像装置を支持する支持機構、又は移動体に送信され得る。回転角は、支持機構及び／又は移動体の１つ又は複数の作動機構のための制御コマンドを生成するために使用され得る。ディスプレイ上に表示されているターゲットの大きさは、撮像装置のズームレベル、ターゲットまでの撮像装置の距離、又は撮像装置のズームレベルとターゲットまでの撮像装置の距離の両方を制御することによって制御できる。例えば、ターゲットの大きさは、撮像装置のズームレベルを高めることに加えて、移動体をターゲットに近付けるように移動するように制御することによって拡大され得る。制御データは、ターゲットの大きさを調整するための所定の比を含み得る。制御データは、撮像装置、撮像装置を支持する支持機構、又は移動体に送信されることになる命令を含み得る。制御データは、光学ズームコントロール及び／又はデジタルズームコントロールを介して撮像装置のズームレベルを制御するための命令及び／又は移動体の１つ又は複数の作動機構を制御するための命令を含み得る。
【０１４０】
幾つかの実施形態では、１つ又は複数のズームコントロールがディスプレイ上でユーザに対して更に表示され得る。ユーザは、ディスプレイ上に提供された複数のズームコントロールによって撮像装置のズームレベルを制御し得る。複数のズームコントロールは、撮像装置のズームレベルを上げるように構成されたズームインコントロール、撮像装置のズームレベルを下げるように構成されたズームアウトコントロール、及び撮像装置のズームレベルをプリセットズームレベルに設定するように構成されたリセットズームレベルコントロールを含み得る。プリセットズームレベルは、ユーザ定義型とすることができる。
【０１４１】
本発明の他の態様では、画像のズームレベルを制御するシステムと方法が提供される。幾つかの実施形態では、方法は、移動体により支持される撮像装置により取得された１つ又は複数の画像をディスプレイ上に表示するステップと、ディスプレイ上に表示された画像のズームレベルをプリセットズームレベル又は所定のズーム比まで調整することを示す１回のユーザ入力に関する情報を取得するステップと、１回のユーザ入力に基づいて、（ａ）撮像装置のズームレベル、（ｂ）画像内のターゲットからの撮像装置の距離、又は（ｃ）撮像装置のズームレベルと距離の両方の自動調整を実行して、（ｉ）ディスプレイ上に示される画像はプリセットズームレベルにあり、（ｉｉ）ディスプレイ上に示される画像のズームレベルが所定のズーム比により調整されるようにするための命令を生成するステップとを含み得る。
【０１４２】
図１０は、上述のように画像のズームレベルを制御するためのある例示的なプロセス１０００を示す。プロセス１０００は、移動体により取得された１つ又は複数の画像を表示すること１０１０を含む。画像を表示するプロセス１０１０は、図８において説明したものと同じプロセス８１０とすることができる。
【０１４３】
幾つかの実施形態において、プロセス１０００は、ディスプレイ上に表示された画像のズームレベルをプリセットズームレベル又は所定のズーム比まで調整することを示す１回のユーザ入力に関する情報を取得すること１０２０を含む。ユーザは、画像を表示するものと同じユーザインタフェースを介してユーザ入力を提供し得る。幾つかの実施形態において、１回のユーザ入力はディスプレイの所定の領域のタッチであり得る。所定の領域は、画像がプリセットズームレベルまでズームされるようにするデフォルトズームコントロールを示し得る。ユーザ入力は、本明細書に記載されているような任意の適する入力方法に関連付けられるタッチすること若しくはタップすること、スワイプすること、円を描くこと、クリックすること等を含む任意の適する動作を含むことができる。プリセットズームレベルは、１×の光学ズーム又は、撮像装置が画像の取得を開始する当所のズームレベルとし得る。プリセットズームレベルは、ユーザが選択又は定義できる。幾つかの場合では、ユーザは、ディスプレイ上に提供されたメニューを使ってプリセットズームレベルを選択し得る。メニューは、隠れていて、ユーザがディスプレイにタッチすると可視化し得る。例えば、メニューは、ユーザがディスプレイ上でロングタッチ又はディープタッチを行うと可視化し得る。メニューはまた、ユーザが１つ又は複数のズームコントロールのためのズーム比を選択するための選択肢も提供しうる。１つ又は複数のズームコントロールは、撮像装置のズームレベルを上げるように構成されたズームインコントロール、撮像装置のズームレベルを下げるように構成されたズームアウトコントロール、及び撮像装置のズームレベルをプリセットズームレベルに設定するように構成されたリセットズームレベルコントロールを含み得る。
【０１４４】
幾つかの実施形態では、ユーザは、ディスプレイ上に表示されているターゲットの大きさとディスプレイ上に表示されているターゲットの位置を、リモートコントローラを介して制御することができ得る。ユーザは、ディスプレイのある領域に対する接触を入力し得る。ディスプレイのこの領域は、ターゲットを示し得る。幾つかの実施形態では、ターゲットを示すユーザ入力に関する情報に基づいて、撮像装置のズームレベルとターゲットに関する撮像装置の姿勢の自動制御を実行するためのデータが生成され得る。幾つかの実施形態では、ユーザ入力は、ディスプレイ上に示された画像のズームレベルをプリセットズームレベルまで、又は所定のズーム比により調整することを示す１回のユーザ入力であり得る。１回のユーザ入力に基づいて、撮像装置のズームレベル、画像内に表示されているターゲットからの撮像装置の距離、又は両方の組合せの自動調整を実行して、ディスプレイ上に表示されたイメージングがプリセットズームレベルにあるか、又はディスプレイ上に示された画像のズームレベルが所定のズーム比により調整されるようにするための命令が生成され得る。図５は、本発明の実施形態による、ディスプレイ上に示されるターゲットの位置と大きさを制御することの例を示す。５．１に示されているように、移動体により支持される撮像装置により取得された画像５１０は、ディスプレイを介してユーザに表示される。ディスプレイは、リモートコントローラにより含まれ得る。ユーザは、ターゲット又は領域５３０を選択でき得る。ユーザは、タッチスクリーンとの対話を通じてターゲット又は領域を選択し得る。例えば、ユーザは、あるターゲット又は領域を、スクリーン上に示されるそのターゲット又は領域上でタッチジェスチャを実行することにより選択し得る。幾つかの場合では、ユーザはあるターゲット又は領域を、そのターゲット又は領域をタップすることにより、見るために選択し得る。幾つかの実施形態では、選択されたターゲットは、ユーザにより選択されたものを示すために、画像内の選択インディケータ５２０と共に表示される。選択インディケータは、任意の適する色又はパターンの円、チェックマーク、矢印、多角形、又は他の任意の適する形状のオブジェクトグラフィカルオブジェクトであり得る。図の例では、ユーザは選択インディケータ５２０を関心対象のターゲット又は領域にドラッグアンドドロップすることにより、見るべきターゲット又は領域を選択し得る。例えば、ユーザがターゲット５３０をより詳しく見たいと望み得ると、ユーザはターゲットの上に選択インディケータ５２０を合わせ得る。代替的に、選択インディケータ５２０は、ズームインするように選択されたオブジェクトを示し得る。例えば、ユーザがターゲット上でタップした後で、選択インディケータ５２０はそのターゲットの上に表示されて、そのターゲットがズームイン／アウトのために選択されたことを示し得る。
【０１４５】
ディスプレイは、撮像装置のズームレベルを制御するための１つ又は複数のズームコントロールを更に表示しうる。幾つかの実施形態では、１つ又は複数のズームコントロールは、撮像装置のズームレベルを上げるように構成されたズームインコントロールと、撮像装置のズームレベルを下げるように構成されたズームアウトコントロールを含む。図５に示される例示的実施形態では、複数のズームコントロールは、ズームインコントロール５４０、ズームアウトコントロール５５０、及びズームリセットコントロール５６０を含み得る。ズームインコントロールは、ズームインボタン５４０を押すことによりイネーブルされ得、ズームアウトコントロールはズームアウトボタン５５０を押すことによりイネーブルされ得る。ズーム調整は、離散的／段階的であり得る。例えば、ズームインボタンをタップするたびに、画像サイズか特定の比で拡大される。代替的に、ズーム調整は連続的であり得る。例えば、ボタンのロングプレスにより、画像はボタンを離すまで拡大、すなわちズームインされる。入力領域を示すインディケータは、図５ではボタンの形状で示されているが、入力領域を示すインディケータの任意の適する形状、形態、色が使用可能である。代替的に、ユーザは、ディスプレイ上の入力領域を示す明瞭なインディケータを用いずに、ズームレベルを入力し、又はズーム制御を実行でき得る。例えば、ユーザは画像をズームイン又はズームアウトするためにピンチすることを実行するか、画像をズームイン又はズームアウトするために左右のいずれかにスワイプすることを実行し得る。
【０１４６】
幾つかの実施形態では、１つ又は複数のズームコントロールは、撮像装置のズームレベルをプリセットズームレベル又はズーム比に設定するためのデフォルトズームコントロールを含み得る。ユーザがタッチスクリーン等の入力デバイスを使って入力を提供すると、画像はプリセットズームレベルで表示され得る。幾つかの場合では、プリセットズームレベルは１×であり得る。幾つかの場合では、プリセットズームレベルは、撮像装置が画像の取得を開始した当初のズームレベルであり得る。プリセットズームレベルは、ユーザにより構成可能である。プリセットズームレベルは、ユーザ定義型とすることができる。図５に示されるように、ユーザはリセットボタン５６０をタップして、ディスプレイ上に示される画像のズームレベルを調整し得る。ユーザがリセットボタン５６０をタップすると、画像はプリセットズームレベル又は倍率で表示され得る。
【０１４７】
幾つかの実施形態では、ディスプレイ上に表示される画像のズームレベルをプリセットズームレベルまで、又は所定のズーム比により調整することを示す１回のユーザ入力が受け取られ得る。例えば、画像のズームレベルを調整することを示す１回のユーザ入力（例えば、リセットズームボタンをタップすること）を受け取ると、画像は画像の現在のズームレベルに関係なく、ズームアウトされ（現在のズームレベルが現在のズームレベルより高い場合）、又はズームインされ（現在のズームレベルがプリセットズームレベルより低い場合）、プリセットズームレベル（例えば、１×）にされ得る。例えば、画像の現在のズームレベルが３×であり、所定のズームレベルが１×に設定され、ユーザ入力を受け取ると、結果として得られる画像のズームレベルは１×である。他の例では、画像のズームレベルを調整することを示す１回のーザ入力を受け取ると、画像は、画像の現在のズームレベルと比較して、所望のズーム比によりズームアウト又はズームインされ得る。例えば、現在のズームレベルが４×の画像は、２×等の所定のズーム比によりズームアウトされ得、その結果、ズームレベルは２×となる。
【０１４８】
幾つかの場合では、画像のズームレベルは、ある速度でプリセットズームレベルまで、又は所定のズーム比により自動的に調整される。ズームレベルを調整する速度は、画像がズーム比によりズームイン／アウトされたと認識される速度であり得る。ズームレベルを調整する速度は、撮像装置がズームできる速度に依存し得る。速度は、場所とズームレベルを調整することを逐次的に実行する場合より速い速度であり得る。画像をプリセットズームレベルまで、又は所定のズーム比により調整する速度は、撮像装置がズームできる速度、ターゲットからの撮像装置の距離を変化させることのできる速度、又は両方の組合せにより決定され得る。例えば、所定のズーム比が４×であるとき、撮像装置がズームレベルを所定のズーム比により調整するのに１秒間かかり得る。この場合では、画像を所定のズーム比により調整する速度は４×／ｓである。幾つかの場合では、ディスプレイ上に表示される画像は、撮像装置のズームレベルを制御することにより（例えば光学ズーム又はデジタルズーム）、プリセットズームレベルとなるように調整される。幾つかの場合では、ディスプレイ上に表示される画像は、画像内に表示されているターゲットからの撮像装置の距離を調整することにより、プリセットズームレベルとなるように調整される。幾つかの場合では、ディスプレイ上に表示される画像は、撮像装置の距離とズームレベルの両方を制御することにより、プリセットズームレベルとなるように調整される。幾つかの場合では、認識されるズーム調整速度の増大は、デジタルズームと光学ズームの組合せにより実現され得る。認識されるズーム調整速度とは、ディスプレイ上に表示される画像のズームレベルの調整速度又はディスプレイ上に表示されるターゲットの大きさの調整速度を指し得る。幾つかの場合では、デジタルズームは光学ズームより速く調整できる。そのため、認識されるズーム調整速度を増大させるために、デジタルズームをまず所望のズームレベルまで増大させ得、その後、デジタルズームレベルを下げるのと同時に光学ズームレベルを増大させ、最終的に光学ズームが所望のレベルとなり、デジタルズームはゼロに戻る。代替的に、デジタルズームを下げている間に光学ズームを特定のズームレベルまで増大させ得、それによってズームレベルの結果は光学ズームとデジタルズームとの組合せである。
【０１４９】
同様に、ディスプレイ上に表示される画像のズームレベルは、撮像装置のズームレベル、画像内に表示されているターゲットからの撮像装置の距離、又は両方の組合せを制御することによって所定のズーム比により調整可能である。これは、ユーザがディスプレイ上のあるターゲット又はある領域をズームインして、それがユーザの見ようとしたものではないことが分かった場合に特に有益であり、この高速プリセットズームの選択肢により、ユーザは素早く画像の当初の大きさ又はビューへとズームアウトでき得る。
【０１５０】
ズームレベルの制御は、ユーザにより必要に応じていつでも実行できる。ユーザがズームコントロールを入力するための視覚的グラフィカル要素は、いずれの形状及び形態とすることもできる点に留意されたい。幾つかの場合では、ズームレベルコントロールのための視覚的グラフィカル要素の場所は、ユーザが決定できる。例えば、ユーザは、ズームイン、ズームアウト、及びリセットズームボタンをユーザの選好に応じて表示スクリーンのいずれの場所に置くこともでき得る。他の例では、ユーザがズームイン／アウトすべきターゲットを選択すると、ズームコントロールのための１つ又は複数の視覚的グラフィカル要素（例えば、ズームインボタン、ズームアウトボタン、リセットボタン）が選択されたターゲットの周囲に表示され得る。
【０１５１】
５．２〜５．４は、ディスプレイ上に表示されているターゲットの大きさとディスプレイ上に表示されているターゲットの位置を調整する例示的なプロセスを示している。図５．１に示されるように、ズームインし、所望の場所（例えば、中央）に表示されるように位置付けるべきターゲットが選択される。図５．２に示されるプロセスは、選択されたターゲットが所望の場所に向かって移動しており、それと同時に所望のレベルまで、又は所定のズーム比によりズームインされている。その結果が５．３に示され、選択されたターゲットが所望の場所（例えば、中央）に、所望の大きさ又は所望のズームレベルで表示されている。ユーザが、ターゲット５３０上でタップ等のタッチジェスチャを実行するか、インディケータ５２０をターゲット上に合わせると、５．３及び５．４に示されるように、ターゲットが自動的に拡大され、それと同時にディスプレイの中央等の所定の場所に位置付けられ得る。幾つかの場合では、ユーザは、ターゲットを選択しながら、ズームレベル又はズーム比を選択し得る。例えば、ユーザはターゲット上でディープタッチを実行し得、ユーザが所望のズームレベルを選択するためのメニューが現れ、ユーザがタッチを解除すると、ターゲットは自動的に所望のズームレベルまでズームイン／アウトされ、それと同時に所望の場所に位置付けられ得る。幾つかの場合では、ターゲットは、それが所定の場所に向かって移動している間に拡張又は拡大され得る。幾つかの場合では、ターゲットは、それが所定の場所に位置付けられた後に、所定の大きさに拡大され得る。他の場合では、ターゲットは所定の大きさまで拡大されてから、所定の場所に位置付けられ得る。標的が所定の場所に位置付けられる際の速度は、ターゲットに関する撮像装置の姿勢を調整するため、及び撮像装置のズームを調整するためにかかる時間により決定され得る。所定の大きさは、ユーザ定義型とすることができる。所定の大きさは、ユーザによってメニューから決定され得る。メニューは、ディスプレイ上に提供され得る。メニューは、リモートコントローラ上で実行されるソフトウェア又はソフトウェアアプリケーションにより提供され得る。所望のズームイン／アウトレベルを入力するために様々な方法を使用できる。例えば、ユーザは、リストからズームレベル（例えば、２×、４×）を選択するか、又はズームレベルをテキストボックスに入力し得る。ユーザは、ターゲットの大きさを調整するための所定の倍率又はズーム比を選択することができ得る。幾つかの場合では、所定の大きさはターゲットの最適な大きさにより決定され得る。最適な大きさは、特定のピクセル数又は所定の閾値に対応し得る。所定の閾値は、例えば、大きさがディスプレイ内のターゲット全体に適合し得るように定義され得る。例えば、移動体は、画像内のターゲットの大きさが所定の閾値に到達するまでターゲットに向かって移動するように構成され得る。代替的に、移動体の撮像装置は、画像内のターゲットの大きさが所定の閾値に到達するまで、移動体を移動させることなくターゲット上へとズームインし得る。任意選択的に、撮像装置がズームインするステップと、移動体がターゲットのオブジェクトに向かって移動するこ��は、画像内のターゲットの大きさが所定の閾値に到達するまで同時に行われ得る。
【０１５２】
ターゲットは所定の位置に向かって移動され、及び／又は所望／所定のズームレベルまでズームしている状態で表示されている間に、撮像装置は、ライブ画像をユーザに対して表示されるように送信を継続し得る。この場合では、ユーザは、ワールドフレーム内の撮像装置とターゲットとの間の相対移動によって生じるディスプレイ上のターゲットの移動を観察するかもしれない。例えば、撮像装置がターゲットに対して右に移動しているとき、ターゲットはディスプレイ上で左に移動しているように表示される。幾つかの場合では、ターゲットに関する撮像装置の姿勢又は撮像装置のズームレベル調整中に撮像装置により取得された画像はディスプレイ上に表示されなくてもよく、それに対して、調整プロセス後に取得された画像だけがユーザに対して表示され得る。ターゲットのライブの移動を模倣するために、並進移動及びズーミング効果を示す画像が１つ又は複数のプロセッサにより作られ、ユーザに対して表示され得る。幾つかの場合では、現在の場所から所定の場所へのターゲットのスムーズな移動又は、現在の大きさから所定の大きさまで拡大されたターゲットの大きさは、ソフトウェア又はソフトウェアアプリケーションにより作られ、ユーザに対して表示され得る。これは、ユーザに対してスムーズな視覚的効果を提供する際に有利であり得る。
【０１５３】
幾つかの場合では、ユーザが表示スクリーンにタッチする場所は、所定の場所（例えば、ディスプレイの中心）からのオフセットを計算するためのターゲットの場所として使用され得る。すると、オフセットはターゲットを所定の場所まで移動させるために必要なＵＡＶ及び／又は撮像装置の調整を計算するために使用される。幾つかの場合では、ターゲットの中心はターゲットの場所を示すために使用され得、ターゲットのこの中心が、所定の場所に、又はその付近に移動され得る。例えば、ユーザ入力は、ユーザが関心を持つターゲットを示し得、その一方で、タッチ場所はターゲットのグラフィクスの中心と整合しなくてもよい。この場合では、ターゲットの形状と境界が特定され得、ターゲットのグラフィクス上の中心は、所定の場所（例えば、ディスプレイの中心）と、又はその付近に整合するようにされ得る。ターゲットの識別には、任意の適する画像認識抽出、パターン認識、及び／又はマッチングアルゴリズムを含むことができる。
【０１５４】
図１１は、カメラによる撮像のある例示的な幾何学モデルを示す（光軸が画像の中心と厳密に整合していると仮定する）。像面上の所望の場所からのターゲットの場所のオフセットは、撮像装置の１つ又は複数の回転角に関係する。点１１２０は、ユーザにより選択されたターゲットの場所を示す。像面内のターゲットの座標は（ｕ，ｖ）である。ターゲットの座標は、ピクセル座標であり得、像面の原点（例えば、左上隅）は交点１１３０（すなわち、光軸と像面との交差点）でなくてもよく、この場合、計算のためにピクセルサイズと原点の場所が必要となり得る。ターゲットは、交点等の所望の又は所定の場所に表示されるように構成され得る。ターゲットの所定の場所からのオフセットは、それぞれｘ及びｙ方向にｘ及びｙである。ターゲットの座標と所定の場所のほか、焦点距離ｆが分かると、三角形状を利用して角度１１１０が判断できる。例えば、判断された場所が像面の交点又は中心であると、像面内のターゲットのオフセットは、以下の等式により判断される角度１１１０に対応し得る。
【数３】
2019537306.tif 000005
式中、ｆは焦点距離、θｘ、θｙはそれぞれｘ及びｙ方向へのオフセットに対応する回転角である。得られた角度は、撮像装置の回転移動を制御するために使用され得、撮像装置をその角度だけ回転させると、ターゲットは画像の所定の場所に表示される。所定の場所は像面の中心である必要はない点に留意されたい。角度は、１つ、２つ、３つ、又は４つ以上の回転軸（例えば、ロール軸、ピッチ軸、ヨー軸）の周囲での撮像装置の回転移動を制御するために使用され得る。
【０１５５】
前述のように、画像のズーム制御はいつでも実行できる。例えば、５．５に示されるように、ターゲットが中心に位置付けられ、所定のサイズまでズームインされると、ユーザは、リセットズームボタン５６０をタップすることにより、プリセットズームレベル（例えば、１×）まで画像を素早くズームアウトしたいと思い得る。ユーザはまた、前述のように、ズームイン及びズームアウトボタンを使ってズームイン及びズームアウト比を調整できる。
【０１５６】
幾つかの実施形態では、ズームコントロールの選択によって、ディスプレイ上に表示されている画像のズームレベルの調整だけが行われ、撮像装置とターゲットとの間の相対回転関係は変化しないようにし得る。例えば、ユーザがズームイン又はズームアウトコントロールボタンを使用すると、画像がズームイン／アウトされて、画像の中心はディスプレイの中心にあるままとし得る。幾つかの実施形態では、ズーム制御は、撮像装置のズームレベル（例えば、撮像テバイスの光学ズーム及び／又はデジタルズーム）、撮像装置とターゲットとの間の距離、又は両方の組合せを調整することによって実現され得る。
【０１５７】
幾つかの実施形態では、ユーザは様々なズーム比又はズームレベルを決定し得る。例えば、ユーザは、５．１〜５．４に示されるように、ターゲットを示すユーザ入力に応答するターゲットのデフォルトズームインレベル又は大きさを定義でき得る。他の例では、ユーザはズームイン／アウトボタンの１回のタップに対応する段階式のズームイン／アウト比を選択し得る。別の例では、ユーザはリセットズームボタンが押されたときのリセットズームレベルを選択し得る。ディスプレイは、ユーザがそれを通じてズーム比を選択するメニューを表示し得る。
【０１５８】
前述のように、ディスプレイは更に、撮像装置のズームレベルを制御するための１つ又は複数のズームコントロールを表示し得る。５．６に示される例では、ユーザはズームインボタンを使って撮像装置のズームレベルを増大し得る。５．７に示されるように、ユーザはズームアウトボタンを使って撮像装置のズームレベルを低下させ得る。他の様々なユーザ入力方法は、本明細書中の別の箇所に記載されている。
【０１５９】
幾つかの場合では、メニュー（５．８に示されている）は、ユーザから隠されており、ユーザのタッチジェスチャを受け取ったところでユーザにとって可視化し得る。例えば、ユーザがタッチスクリーン上のいずれかの領域上でのタップ等のジェスチャを入力すると、メニューが隠れた状態から見える状態に切り替わり得る。メニューを表示するためのタッチジェスチャとしては、ロングプレス、ダブルタップ、ディープタッチ等の様々なタッチジェスチャが使用され得る。ディープタッチは、圧力又は力の程度が閾値の量を超えるタッチであり得る。ロングタッチは、時間の長さが閾値の量を超え得るタッチであり得る。例えば、メニューは、ユーザがディスプレイに閾値の時間の長さより長い期間にわたってタッチすると可視化し得る。他の例では、メニューは、ユーザが３Ｄタッチスクリーンを含むディスプレイに閾値の圧力より大きい圧力でタッチすると、可視化しうる。幾つかの例では、ユーザがタッチスクリーンにタッチする圧力はズームレベルに相関し得る。例えば、より大きい圧力はより高いズームレベルに対応し得る。タッチジェスチャは、ディスプレイ上の特定の領域上にあることが必要なこともあれば、そうでないこともある。幾つかの実施形態では、ユーザは、メニューを表示させるためにタッチスクリーン上のいずれかの領域上でジェスチャを入力ですることができ得る。メニューは、選択されるべきズーム比のための複数の選択肢を示し得る。例えば、一連のズームイン比又は倍率が、リセットズームボタンに対応するプリセットズームレベル、ターゲットを示す１回のユーザ入力に対応するデフォルトズームレベル、又はズームイン／アウトボタンに対応するズームイン／アウトステップとして選択できるようにユーザに対して提供され得る。
【０１６０】
ディスプレイはタッチスクリーンであり得る。ディスプレイは、リモートコントローラにより提供され得る。ディスプレイは、リモートコントローラに動作的に接続された外部コンピューティングデバイス（例えば、コンピュータ、ラップトップ、タブレット、スマートフォン、又は他のモバイルデバイス）により提供され得る。上述の各種の動作は、プログラムされ得、外部コンピューティングデバイスの１つ又は複数のプロセッサ又はリモートコントローラの１つ又は複数のプロセッサにより実行可能である。
【０１６１】
本明細書に記載されているシステムと方法は、様々な移動体により実施され、及び／又はそれに応用可能である。本明細書に記載されるシステム、デバイス、及び方法は、多種多様な移動体に適用することができる。先に述べたように、本明細書での航空車両の任意の記載は、任意の移動体に適用し得、任意の移動体に使用し得る。本発明の移動体は、空中（例えば、固定翼機、回転翼航空機、又は固定翼も回転翼も有さない航空機）、水中（例えば、船舶若しくは潜水艦）、地上（例えば、車、トラック、バス、バン、自動二輪車等の自動車両、スティック、釣り竿等の可動構造若しくはフレーム、若しくは列車）、地下（例えば、地下鉄）、宇宙空間（例えば、宇宙飛行機、衛星、若しくは宇宙探査機）、又はこれらの環境の任意の組合せ等の任意の適する環境内で移動するように構成することができる。移動体は、本明細書の他の箇所に記載される車両等の車両であることができる。幾つかの実施形態では、移動体は、人間又は動物等の生体に搭載することができる。適する動物としては、霊長類、鳥類（ａｖｉｎｅｓ）、犬、猫、馬、牛、羊、豚、イルカ（ｄｅｌｐｈｉｎｅｓ）、齧歯類、又は昆虫を挙げることができる。
【０１６２】
移動体は、自由度６（例えば、並進に自由度３及び回転に自由度３）に関して環境内を自在に移動可能であり得る。代替的には、移動体の移動は、所定の経路、行路、又は向きによる等の１つ又は複数の自由度に関して制約することができる。移動は、エンジン又はモータ等の任意の適する作動機構により作動することができる。移動体の作動機構は、電気エネルギー、磁気エネルギー、太陽エネルギー、風力エネルギー、重力エネルギー、化学エネルギー、核エネルギー、又は任意の適するそれらの組合せ等の任意の適するエネルギー源により電力供給することができる。移動体は、本明細書の他の箇所に記載されるように、推進システムを介して自己推進し得る。推進システムは、任意選択的に、電気エネルギー、磁気エネルギー、太陽エネルギー、風力エネルギー、重力エネルギー、化学エネルギー、核エネルギー、又はそれらの任意の適する組合せ等のエネルギー源で駆動し得る。代替的には、移動体は生体により携帯し得る。
【０１６３】
幾つかの例では、移動体は航空機であることができる。適する車両としては、水上車両、航空車両、宇宙車両、又は地上車両を挙げることができる。例えば、航空機は、固定翼航空機（例えば、飛行機、グライダー）、回転翼航空機（例えば、ヘリコプタ、回転翼機）、固定翼と回転翼の両方を有する航空機、又はいずれも有さない航空機（例えば、飛行船、熱気球）であり得る。車両は、空中、水上、水中、宇宙空間、地上、又は地下で自己推進されるような自己推進型であることができる。自己推進型車両は、１つ又は複数のエンジン、モータ、車輪、車軸、磁石、回転翼、プロペラ、翼、ノズル、又は任意の適するそれらの組合せを含む推進システム等の推進システムを利用することができる。幾つかの場合では、推進システムを使用して、移動体を表面から離陸させ、表面に着陸させ、現在の位置及び／又は向きを維持させ（例えば、ホバリングさせ）、向きを変更させ、及び／又は位置を変更させることができる。
【０１６４】
移動体は、ユーザにより遠隔制御することもでき、又は移動体内若しくは移動体上の搭乗者によりローカルに制御することもできる。幾つかの実施形態では、移動体は、ＵＡＶ等の無人移動体である。ＵＡＶ等の無人移動体は、移動体に搭載された搭乗者を有さなくてよい。移動体は、人間により、自律制御システム（例えば、コンピュータ制御システム）により、又は任意の適するそれらの組合せにより制御することができる。移動体は、人工知能が構成されたロボット等の自律的又は半自律的ロボットであることができる。
【０１６５】
移動体は、任意の適するサイズ及び／又は寸法を有することができる。幾つかの実施形態では、車両内又は車両上に人間の搭乗者を有するようなサイズ及び／又は寸法のものであり得る。代替的には、移動体は、車両内又は車両上に人間の搭乗者を有することが可能なサイズ及び／又は寸法よりも小さなものであり得る。移動体は、人間により持ち上げられるか、又は携帯されるのに適するサイズ及び／又は寸法であり得る。代替的には、移動体は、人間により持ち上げられるか、又は携帯されるのに適するサイズ及び／又は寸法よりも大きくてよい。幾つかの場合、移動体は、約２ｃｍ、約５ｃｍ、約１０ｃｍ、約５０ｃｍ、約１ｍ、約２ｍ、約５ｍ、又は約１０ｍ以下の最大寸法（例えば、長さ、幅、高さ、直径、対角線）を有し得る。最大寸法は、約２ｃｍ、約５ｃｍ、約１０ｃｍ、約５０ｃｍ、約１ｍ、約２ｍ、約５ｍ、又は約１０ｍ以上であり得る。例えば、移動体の対向する回転翼のシャフト間の距離は、約２ｃｍ、約５ｃｍ、約１０ｃｍ、約５０ｃｍ、約１ｍ、約２ｍ、約５ｍ、又は約１０ｍ以下であり得る。代替的には、対向する回転翼のシャフト間の距離は、約２ｃｍ、約５ｃｍ、約１０ｃｍ、約５０ｃｍ、約１ｍ、約２ｍ、約５ｍ、又は約１０ｍ以上であり得る。
【０１６６】
幾つかの実施形態では、移動体は、１００ｃｍ×１００ｃｍ×１００ｃｍ未満、５０ｃｍ×５０ｃｍ×３０ｃｍ未満、又は５ｃｍ×５ｃｍ×３ｃｍ未満の体積を有し得る。移動体の総体積は、約１ｃｍ３以下、約２ｃｍ３以下、約５ｃｍ３以下、約１０ｃｍ３以下、約２０ｃｍ３以下、約３０ｃｍ３以下、約４０ｃｍ３以下、約５０ｃｍ３以下、約６０ｃｍ３以下、約７０ｃｍ３以下、約８０ｃｍ３以下、約９０ｃｍ３以下、約１００ｃｍ３以下、約１５０ｃｍ３以下、約２００ｃｍ３以下、約３００ｃｍ３以下、約５００ｃｍ３以下、約７５０ｃｍ３以下、約１０００ｃｍ３以下、約５０００ｃｍ３以下、約１０，０００ｃｍ３以下、約１００，０００ｃｍ３以下、約１ｍ３以下、又は約１０ｍ３以下であり得る。逆に、移動体の総体積は、約１ｃｍ３以上、約２ｃｍ３以上、約５ｃｍ３以上、約１０ｃｍ３以上、約２０ｃｍ３以上、約３０ｃｍ３以上、約４０ｃｍ３以上、約５０ｃｍ３以上、約６０ｃｍ３以上、約７０ｃｍ３以上、約８０ｃｍ３以上、約９０ｃｍ３以上、約１００ｃｍ３以上、約１５０ｃｍ３以上、約２００ｃｍ３以上、約３００ｃｍ３以上、約５００ｃｍ３以上、約７５０ｃｍ３以上、約１０００ｃｍ３以上、約５０００ｃｍ３以上、約１０，０００ｃｍ３以上、約１００，０００ｃｍ３以上、約１ｍ３以上、又は約１０ｍ３以上であり得る。
【０１６７】
幾つかの実施形態では、移動体は、約３２，０００ｃｍ２以下、約２０，０００ｃｍ２以下、約１０，０００ｃｍ２以下、約１，０００ｃｍ２以下、約５００ｃｍ２以下、約１００ｃｍ２以下、約５０ｃｍ２以下、約１０ｃｍ２以下、又は約５ｃｍ２以下の設置面積（移動体により包含される横方向の断面積と呼び得る）を有し得る。逆に、設置面積は、約３２，０００ｃｍ２以上、約２０，０００ｃｍ２以上、約１０，０００ｃｍ２以上、約１，０００ｃｍ２以上、約５００ｃｍ２以上、約１００ｃｍ２以上、約５０ｃｍ２以上、約１０ｃｍ２以上、又は約５ｃｍ２以上であり得る。
【０１６８】
幾つかの場合では、移動体は１０００ｋｇ以下の重量であり得る。移動体の重量は、約１０００ｋｇ以下、約７５０ｋｇ以下、約５００ｋｇ以下、約２００ｋｇ以下、約１５０ｋｇ以下、約１００ｋｇ以下、約８０ｋｇ以下、約７０ｋｇ以下、約６０ｋｇ以下、約５０ｋｇ以下、約４５ｋｇ以下、約４０ｋｇ以下、約３５ｋｇ以下、約３０ｋｇ以下、約２５ｋｇ以下、約２０ｋｇ以下、約１５ｋｇ以下、約１２ｋｇ以下、約１０ｋｇ以下、約９ｋｇ以下、約８ｋｇ以下、約７ｋｇ以下、約６ｋｇ以下、約５ｋｇ以下、約４ｋｇ以下、約３ｋｇ以下、約２ｋｇ以下、約１ｋｇ以下、約０．５ｋｇ以下、約０．１ｋｇ以下、約０．０５ｋｇ以下、又は約０．０１ｋｇ以下であり得る。逆に、重量は、約１０００ｋｇ以上、約７５０ｋｇ以上、約５００ｋｇ以上、約２００ｋｇ以上、約１５０ｋｇ以上、約１００ｋｇ以上、約８０ｋｇ以上、約７０ｋｇ以上、約６０ｋｇ以上、約５０ｋｇ以上、約４５ｋｇ以上、約４０ｋｇ以上、約３５ｋｇ以上、約３０ｋｇ以上、約２５ｋｇ以上、約２０ｋｇ以上、約１５ｋｇ以上、約１２ｋｇ以上、約１０ｋｇ以上、約９ｋｇ以上、約８ｋｇ以上、約７ｋｇ以上、約６ｋｇ以上、約５ｋｇ以上、約４ｋｇ以上、約３ｋｇ以上、約２ｋｇ以上、約１ｋｇ以上、約０．５ｋｇ以上、約０．１ｋｇ以上、約０．０５ｋｇ以上、又は約０．０１ｋｇ以上であり得る。
【０１６９】
幾つかの実施形態では、移動体は、移動体により運ばれる積載物に相対して小さくてよい。積載物は、更に詳細に後述するように、搭載物及び／又は支持機構を含み得る。幾つかの例では、積載物の重量に対する移動体の重量の比は、約１：１よりも大きい、小さい、又は等しくてもよい。幾つかの場合では、積載物の重量に対する移動体の重量の比は、約１：１よりも大きい、小さい、又は等しくてもよい。任意選択的に、積載物の重量に対する支持機構の重量の比は、約１：１よりも大きい、小さい、又は等しくてもよい。所望の場合、積載物の重量に対する移動体の重量の比は、１：２以下、１：３以下、１：４以下、１：５以下、１：１０以下、又はそれよりも小さな比であり得る。逆に、積載物の重量に対する移動体の重量の比は、２：１以上、３：１以上、４：１以上、５：１以上、１０：１以上、又はそれよりも大きな比であることもできる。
【０１７０】
幾つかの実施形態では、移動体は低エネルギー消費量を有し得る。例えば、移動体は、約５Ｗ／ｈ未満、約４Ｗ／ｈ未満、約３Ｗ／ｈ未満、約２Ｗ／ｈ未満、約１Ｗ／ｈ未満、又はそれよりも小さな値を使用し得る。幾つかの場合では、移動体の支持機構は低エネルギー消費量を有し得る。例えば、支持機構は、約５Ｗ／ｈ未満、約４Ｗ／ｈ未満、約３Ｗ／ｈ未満、約２Ｗ／ｈ未満、約１Ｗ／ｈ未満、又はそれよりも小さな値を使用し得る。任意選択的に、移動体の搭載物は、約５Ｗ／ｈ未満、約４Ｗ／ｈ未満、約３Ｗ／ｈ未満、約２Ｗ／ｈ未満、約１Ｗ／ｈ未満、又はそれよりも小さな値等の低エネルギー消費量を有し得る。
【０１７１】
幾つかの実施形態では、移動体は、積載物を運ぶように構成することができる。積載物は、乗客、貨物、機器、器具等のうちの１つ又は複数を含むことができる。積載物は筐体内に提供し得る。筐体は、移動体の筐体とは別個であってもよく、又は移動体の筐体の一部であってもよい。代替的には、積載物に筐体を提供することができ、一方、移動体は筐体を有さない。代替的には、積載物の部分又は積載物全体は、筐体なしで提供することができる。積載物は、移動体に強固に固定することができる。任意選択的に、積載物は移動体に対して移動可能であることができる（例えば、移動体に対して並進可能又は回転可能）。
【０１７２】
幾つかの実施形態では、積載物は搭載物を含む。搭載物は、いかなる動作又は機能も実行しないように構成することができる。代替的には、搭載物は、機能的搭載物としても知られる、動作又は機能を実行するように構成される搭載物であることができる。例えば、搭載物は、１つ又は複数のターゲットを調査する１つ又は複数のセンサを含むことができる。画像取得デバイス（例えば、カメラ）、オーディオ取得デバイス（例えば、パラボラマイクロフォン）、赤外線撮像装置、又は紫外線撮像装置等の任意の適するセンサを搭載物に組み込むことができる。センサは、静的感知データ（例えば、写真）又は動的感知データ（例えば、ビデオ）を提供することができる。幾つかの実施形態では、センサは、搭載物のターゲットの感知データを提供する。代替的には、又は組み合わせて、搭載物は、信号を１つ又は複数のターゲットを提供する１つ又は複数のエミッタを含むことができる。照明源又は音源等の任意の適するエミッタを使用することができる。幾つかの実施形態では、搭載物は、移動体からリモートなモジュールと通信する等のために、１つ又は複数の送受信機を含む。任意選択的に、搭載物は、環境又はターゲットと対話するように構成することができる。例えば、搭載物は、ロボットアーム等の物体を操作可能なツール、器具、又は機構を含むことができる。
【０１７３】
任意選択的に、積載物は支持機構を含み得る。支持機構は搭載物に提供することができ、搭載物は、支持機構を介して移動体に直接（例えば、移動体に直接接触する）又は間接的に（例えば、移動体に接触しない）接続することができる。逆に、搭載物は、支持機構を必要とせずに移動体に搭載することができる。搭載物は、支持機構と一体形成することができる。代替的には、搭載物は支持機構に脱着可能に接続することができる。幾つかの実施形態では、搭載物は、１つ又は複数の搭載物要素を含むことができ、搭載物のうちの１つ又は複数は、上述したように、移動体及び／又は支持機構に相対して移動可能であることができる。
【０１７４】
支持機構は、移動体と一体形成することができる。代替的には、支持機構は、移動体に脱着可能に接続することができる。支持機構は、移動体に直接又は間接的に接続することができる。支持機構は、搭載物に支持を提供することができる（例えば、搭載物の重量の少なくとも一部を担持する）。支持機構は、搭載物の移動を安定化し、及び／又は指示することが可能な適する搭載構造（例えば、ジンバルプラットフォーム）を含むことができる。幾つかの実施形態では、支持機構は、移動体に相対する搭載物の状態（例えば、位置及び／又は向き）を制御するように構成することができる。例えば、支持機構は、搭載物が、移動体の移動に関係なく、適する基準系に相対してその位置及び／又は向きを維持するように、移動体に相対して移動する（例えば、１度、２度、又は３度の並進及び／又は１度、２度、又は３度の回転に関して）ように構成することができる。基準系は固定基準系（例えば、周囲環境）であることができる。代替的には、基準系は移動基準系（例えば、移動体、搭載物ターゲット）であることができる。
【０１７５】
幾つかの実施形態では、支持機構は、支持機構及び／又は移動体相対する搭載物の移動を可能にするように構成することができる。この移動は、自由度３までに関する（例えば、１つ、２つ、若しくは３つの軸に沿った）並進、自由度３までに関する（例えば、１つ、２つ、若しくは３つの軸の回りの）回転、又はそれらの任意の適する組合せであることができる。
【０１７６】
幾つかの場合では、支持機構は、支持機構フレーム組立体及び支持機構作動組立体を含むことができる。支持機構フレーム組立体は、構造的支持を搭載物に提供することができる。支持機構フレーム組立体は、個々の支持機構フレーム構成要素を含むことができ、支持機構フレーム構成要素の幾つかは互いに対して移動可能であることができる。支持機構作動組立体は、個々の支持機構フレーム構成要素の移動を作動させる１つ又は複数のアクチュエータ（例えば、モータ）を含むことができる。アクチュエータは、複数の支持機構フレーム構成要素の同時移動を可能にすることができるか、又は一度に１つの支持機構フレーム構成要素の移動を可能にするように構成し得る。支持機構フレーム構成要素の移動は、搭載物の対応する移動を生成することができる。例えば、支持機構作動組立体は、１つ又は複数の回転軸（例えば、ロール軸、ピッチ軸、又はヨー軸）の回りでの１つ又は複数の支持機構フレーム構成要素の回転を作動させることができる。１つ又は複数の支持機構フレーム構成要素の回転は、搭載物を移動体に相対して、１つ又は複数の回転軸の回りを回転させることができる。代替的に、又は組み合わせて、支持機構作動組立体は、１つ又は複数の並進軸に沿った１つ又は複数の支持機構フレーム構成要素の並進を作動させ、それにより、移動体に相対した１つ又は複数の対応する軸に沿った搭載物の並進を生み出すことができる。
【０１７７】
幾つかの実施形態では、固定基準系（例えば、周囲環境）及び／又は互いに相対する移動体、支持機構、及び搭載物の移動は、端末により制御することができる。端末は、移動体、支持機構、及び／又は搭載物から離れた場所にある遠隔制御装置であることができる。端末は、支持プラットフォームに配置又は固定することができる。代替的には、端末は、ハンドヘルド又はウェアラブルデバイスであることができる。例えば、端末は、スマートフォン、タブレット、ラップトップ、コンピュータ、メガネ、手袋、ヘルメット、マイクロフォン、又はそれらの適する組合せを含むことができる。端末は、キーボード、マウス、ジョイスティック、タッチスクリーン、又はディスプレイ等のユーザインタフェースを含むことができる。手動入力されたコマンド、音声制御、ジェスチャ制御、又は位置制御（例えば、端末の移動、場所、又は傾きを介した）等の任意の適するユーザ入力が、端末との対話に使用可能である。端末は、本明細書で前述したものと同じリモートコントローラとすることができる。
【０１７８】
端末は、移動体、支持機構、及び／又は積載物の任意の適する状態の制御に使用することができる。例えば、端末は、固定基準系に対する及び／又は相互に対する移動体、支持機構、及び／又は積載物の位置及び／又は向きの制御に使用することができる。幾つかの実施形態では、端末は、支持機構の作動組立体、搭載物のセンサ、又は搭載物のエミッタ等の移動体、支持機構、及び／又は搭載物の個々の要素の制御に使用することができる。端末は、移動体、支持機構、又は搭載物のうちの１つ又は複数と通信するように構成された無線通信デバイスを含むことができる。
【０１７９】
端末は、移動体、支持機構、及び／又は搭載物の情報の表示に適するディスプレイユニットを含むことができる。例えば、端末は、位置、並進速度、並進加速度、向き、角速度、角加速度、又はこれらの任意の適する組合せに関する移動体、支持機構、及び／又は搭載物の情報を表示するように構成することができる。幾つかの実施形態では、端末は、機能的な搭載物により提供されるデータ（例えば、カメラ又は他の画像取得デバイスにより記録された画像）等の搭載物により提供される情報を表示することができる。
【０１８０】
任意選択的に、同じ端末は、移動体、支持機構、及び／又は搭載物又は移動体、支持機構、及び／又は搭載物の状態の両方を制御するとともに、移動体、支持機構、及び／又は搭載物からの情報を受信及び／又は表示し得る。例えば、端末は、搭載物により取得された画像データ又は搭載物の位置についての情報を表示しながら、環境に対する搭載物の測位を制御し得る。代替的には、異なる端末を異なる機能に使用し得る。例えば、第１の端末は移動体、支持機構、及び／又は搭載物の移動又は状態を制御し得、一方、第２の端末は移動体、支持機構、及び／又は搭載物から情報を受信及び／又は表示し得る。例えば、第１の端末は、環境に対する搭載物の測位の制御に使用し得、一方、第２の端末は、搭載物により取得された画像データを表示する。移動体と、移動体の制御及びデータ受信の両方を行う統合端末との間で、又は移動体と、移動体の制御及びデータ受信の両方を行う複数の端末との間で、様々な通信モードを利用し得る。例えば、移動体と、移動体の制御及び移動体からのデータ受信の両方を行う端末との間で、少なくとも２つの異なる通信モードを形成し得る。
【０１８１】
幾つかの実施形態では、撮像装置を支持する移動体はＵＡＶであり得る。図６は、実施形態による、支持機構６０２及び搭載物６０４を含む移動体６００を示す。移動体６００は航空機として示されているが、この描写は限定であるとことを意図せず、本明細書において上述したように、任意の適するタイプの移動体が使用可能である。当業者であれば、航空機システムに関連して本明細書に記載される実施形態がいずれも、任意の適する移動体（例えば、ＵＡＶ）に適用可能なことを理解する。幾つかの場合では、搭載物６０４は、支持機構６０２を必要とせずに、移動体６００上に提供し得る。搭載物は、１つ又は複数の撮像装置を含み得る。移動体６００は、推進機構６０６と、感知システム６０８と、通信システム６１０とを含み得る。
【０１８２】
推進機構６０６は、上述したように、回転翼、プロペラ、翼、エンジン、モータ、車輪、車軸、磁石、又はノズルのうちの１つ又は複数を含むことができる。例えば、推進機構６０６は、本明細書の他の箇所に開示されるように、自己締め付け回転翼、回転翼組立体、又は他の回転推進ユニットであり得る。移動体は、１つ以上、２つ以上、３つ以上、又は４つ以上の推進機構を有し得る。推進機構は、全てが同じタイプであり得る。代替的には、１つ又は複数の推進機構は、異なるタイプの推進機構であることができる。推進機構６０６は、本明細書の他の箇所に記載されるように支持要素（例えば、駆動シャフト）等の任意の適する手段を使用して、移動体６００に搭載することができる。推進機構６０６は、移動体６００の上部、下部、前部、後部、側面、又はこれらの適する組合せ等の移動体６００の任意の適する部分に搭載することができる。
【０１８３】
幾つかの実施形態では、推進機構６０６は、移動体６００のいかなる水平移動も必要とせずに（例えば、滑走路を移動せずに）、移動体６００が表面から鉛直に離陸するか、又は表面に鉛直に着陸できるようにし得る。任意選択的に、推進機構６０６は、移動体６００が、空中の特定の位置及び／又は向きでホバリングできるようにするように動作可能である。推進機構６００のうちの１つ又は複数は、他の推進機構から独立して制御され得る。代替的には、推進機構６００は、同時に制御されるように構成することができる。例えば、移動体６００は、移動体に揚力及び／又は推進力を提供することができる複数の水平面指向回転翼を有することができる。複数の水平面指向回転翼は、鉛直離陸機能、鉛直着陸機能、及びホバリング機能を移動体６００に提供するように作動することができる。幾つかの実施形態では、水平面指向回転翼のうちの１つ又は複数は、時計回り方向に回転し得、一方、水平回転翼のうちの１つ又は複数は、反時計回り方向に回転し得る。例えば、時計回りの回転翼の数は、反時計回りの回転翼の数と等しくてよい。水平面指向回転翼のそれぞれの回転速度は、各回転翼により生成される揚力及び／又は推進力を制御するように、独立して変更することができ、それにより、移動体６００の空間的配置、速度、及び／又は加速度（例えば、最大並進自由度３及び最大回転自由度３に関して）を調整する。
【０１８４】
感知システム６０８は、移動体６００の（例えば、最大で並進に３自由度、最大で回転に３自由度に関する）空間配置、速度、及び／又は加速度を感知し得る。１つ又は複数のセンサは、本明細書で前述したセンサのいずれを含むこともでき、これにはＧＰＳセンサ、運動センサ、慣性センサ、近接性センサ、又は画像センサが含まれる。感知システム６０８により提供される感知データは、移動体６００の空間配置、速度、及び／又は方位を（例えば後述のように、適する処理ユニット及び／又は制御ユニットを使って）制御するために使用できる。代替的に、感知システム６０８は、気象条件、潜在的な障害物との近接度、地理的特徴物の場所、人工構造物の場所等、移動体の周囲の環境に関するデータを提供するために使用できる。
【０１８５】
通信システム６１０は、無線信号６１６を介して、通信システム６１４を有する端末６１２と通信できるようにする。通信システム６１０、６１４は、無線通信に適する任意の数の送信機、受信機、及び／又は送受信機を含み得る。通信は、データが一方向でのみに送信可能なように、一方向通信であり得る。例えば、一方向通信は、移動体６００のみがデータを端末６１２に送信すること、又はこの逆を含み得る。データは、通信システム６１０の１つ又は複数の送信機から、通信システム６１２の１つ又は複数の受信機に送信し得、又はその逆も同様である。代替的には、通信は、移動体６００と端末６１２との間で両方向でデータを送信することができるように、双方向通信であり得る。双方向通信は、通信システム６１０の１つ又は複数の送信機から、通信システム６１４の１つ又は複数の受信機にデータを送信すること、及びその逆を含むことができる。
【０１８６】
幾つかの実施形態では、端末６１２は、移動体６００、支持機構６０２、及び搭載物６０４の１つ又は複数に制御データを提供することができ、移動体６００、支持機構６０２、及び搭載物６０４の１つ又は複数から情報（例えば、移動体、支持機構、又は搭載物の位置情報及び／又は動き情報、搭載物カメラにより取得された画像データ等の搭載物により感知されたデータ）を受信することができる。端末は、前述のようなリモートコントローラと同じとすることができる。幾つかの場合、端末からの制御データは、移動体、支持機構、及び／又は搭載物の相対位置、移動、作動、又は制御に関する命令を含み得る。例えば、制御データは、移動体の場所及び／又は向きの変更（例えば、推進機構６０６の制御を介して）又は移動体に相対する搭載物の移動（例えば、支持機構６０２の制御を介して）を生じさせ得る。端末からの制御データは、カメラ又は他の画像取得デバイスの動作制御等の搭載物の制御（例えば、静止画又は動画の撮影、ズームイン又はズームアウト、オン又はオフの切り替え、画像モードの切り替え、画像解像度の変更、フォーカスの変更、被写界深度の変更、露光時間の変更、視野角又は視野の変更）を生じさせ得る。幾つかの場合、移動体、支持機構、及び／又は搭載物からの通信は、１つ又は複数のセンサ（例えば、感知システム６０８又は搭載物６０４の）からの情報を含み得る。通信は、１つ又は複数の異なるタイプのセンサ（例えば、ＧＰＳセンサ、運動センサ、慣性センサ、近接センサ、又は画像センサ）から感知された情報を含み得る。そのような情報は、移動体、支持機構、及び／又は搭載物の位置（例えば、場所、向き）、移動、又は加速度に関し得る。搭載物からのそのような情報は、搭載物により取得されたデータ又は搭載物の感知された状態を含み得る。端末６１２により送信されて提供される制御データは、移動体６００、支持機構６０２、又は搭載物６０４のうちの１つ又は複数の状態を制御するように構成することができる。代替として、又は組み合わせて、支持機構６０２及び搭載物６０４はそれぞれ、端末６１２と通信するように構成された通信ユニットを含むこともでき、それにより、端末は、移動体６００、支持機構６０２、及び搭載物６０４のそれぞれと独立して通信し、制御することができる。
【０１８７】
幾つかの実施形態では、移動体６００は、端末６１２に加えて又は端末６１２に代えて、別のリモートデバイスと通信するように構成することができる。端末６１２は、別のリモートデバイス及び移動体６００と通信するように構成することもできる。例えば、移動体６００及び／又は端末６１２は、別の移動体又は別の移動体の支持機構若しくは搭載物と通信し得る。所望の場合、リモートデバイスは、第２の端末又は他の計算デバイス（例えば、コンピュータ、ラップトップ、タブレット、スマートフォン、又は他のモバイルデバイス）であり得る。リモートデバイスは、データを移動体６００に送信し、データを移動体６００から受信し、データを端末６１２に送信し、及び／又はデータを端末６１２から受信するように構成することができる。任意選択的に、リモートデバイスは、インターネット又は他の通信ネットワークに接続することができ、それにより、移動体６００及び／又は端末６１２から受信したデータをウェブサイト又はサーバにアップロードすることができる。
【０１８８】
図７は、実施形態による、画像データを取得するための例示的なシステム７００を示す。システム７００は、本明細書に記載されているシステム、デバイス、及び方法の任意の適する実施形態と共に使用できる。例えば、システム７００は移動体により実装又は支持され得る。システム７００は、感知ユニット７０２と、処理ユニット７０４と、非一時的コンピュータ可読媒体７０６と、制御ユニット７０８と、通信ユニット７１０とを含むことができる。
【０１８９】
感知モジュール７０２は、異なる方法で移動体に関連する情報を収集する異なるタイプのセンサを利用することができる。異なるタイプのセンサは、異なるタイプの信号又は異なるソースからの信号を感知し得る。例えば、センサは、慣性センサ、ＧＰＳセンサ、近接センサ（例えばライダー）、又はビジョン／画像センサ（例えば、カメラ）を含むことができる。感知モジュールは、複数のプロセッサを有する処理ユニット７０４に動作可能に接続することができる。幾つかの実施形態では、感知モジュール７０２は、適する外部デバイス又はシステムに感知データを直接送信するように構成された送信ユニット７１２（例えば、Ｗｉ−Ｆｉ画像送信ユニット）に動作可能に接続することができる。例えば、送信ユニット７１２を使用して、感知ユニット７０２のカメラにより取得された画像をリモート端末に送信することができる。
【０１９０】
処理ユニット７０４は、プログラマブルプロセッサ（例えば、中央処理ユニット（ＣＰＵ））等の１つ又は複数のプロセッサを有することができる。例えば、処理ユニット７０４は、フィールドプログラマブルゲートアレイ（ＦＰＧＡ）及び／又は１つ又は複数のＡＲＭプロセッサを含み得る。処理ユニット７０４は、非一時的コンピュー可読媒体７０６に動作的に接続可能である。非一時的コンピュータ可読媒体１６０６は、１つ又は複数のステップを実行するための、処理ユニット７０４により実行可能な論理、コード、及び／又はプログラム命令を記憶することができる。非一時的コンピュータ可読媒体は、１つ又は複数のユニット（例えば、ＳＤカード又はランダムアクセスメモリ（ＲＡＭ）等のリムーバブルメディア又は外部ストレージ）を含むことができる。幾つかの実施形態では、感知ユニット７０２からのデータは、非一時的コンピュータ可読媒体７０６のメモリユニットに直接伝達され、又はそこに記憶することができる。非一時的コンピュータ可読媒体７０６のメモリユニットは、本明細書に記載された方法による任意の適する実施形態を実行するために処理ユニット７０４により実行可能な論理、コード、及び／又はプログラム命令を記憶することができる。例えば、処理ユニット７０４は、処理ユニット７０４の１つ又は複数のプロセッサに、本明細書で論じられている画像ズーム制御機能を実行させる命令を実行するように構成することができる。メモリユニットは、感知ユニットからの感知データを、処理ユニット７０４により処理されるように記憶できる。幾つかの実施形態では、非一時的コンピュータ可読媒体７０６のメモリユニットは、処理ユニット７０４により生成される処理結果を記憶するために使用できる。
【０１９１】
幾つかの実施形態では、処理ユニット７０４は、移動体の状態を制御するように構成された制御ユニット７０８に動作可能に接続することができる。例えば、制御ユニット７０８は、移動体の空間的配置、速度、及び／又は加速度を自由度６に関して調整するよう、移動体の推進機構を制御するように構成することができる。代替的には、又は組み合わせて、制御ユニット７０８は、支持機構、搭載物、又は感知ユニットの状態のうちの１つ又は複数を制御することができる。
【０１９２】
処理ユニット７０４は、１つ又は複数の外部デバイス（例えば、端末、ディスプレイデバイス、又は他のリモートコントローラ）からデータを送信及び／又は受信するように構成された通信ユニット７１０に動作可能に接続することができる。有線通信又は無線通信等の任意の適する通信手段を使用し得る。例えば、通信ユニット７１０は、ローカルエリアネットワーク（ＬＡＮ）、広域ネットワーク（ＷＡＮ）、赤外線、無線、ＷｉＦｉ、ポイントツーポイント（Ｐ２Ｐ）ネットワーク、電気通信網、クラウド通信等のうちの１つ又は複数を利用することができる。任意選択的に、電波塔、衛星、又は移動局等の中継局を使用することができる。無線通信は、近接度依存型であってもよく、又は近接度独立型であってもよい。幾つかの実施形態では、通信にＬＯＦ（ｌｉｎｅ−ｏｆ−ｓｉｇｈｔ）が必要なこともあれば、又は必要ないこともある。通信ユニット７１０は、感知ユニット７０２からの感知データ、及び／又は処理ユニット７０２により生成された処理結果、所定の制御データ、端末又はリモートコントローラからのユーザコマンド等のうちの１つ又は複数を送信及び／又は受信することができる。
【０１９３】
システム７００の構成要素は、任意の適する構成で配置することができる。例えば、システム７００の構成要素のうちの１つ又は複数は、移動体、支持機構、搭載物、端末、感知システム、又は上記のうち１つ又は複数と通信する追加の外部デバイスに配置することができる。追加的に、図７は１つの処理ユニット７０４と１つの非一時的コンピュータ可読媒体７０６を示しているが、当業者であれば、これは限定的とすることが意図されておらず、システム７００は複数の処理ユニット及び／又は非一時的コンピュータ可読媒体を含むことが可能であることが分かるであろう。幾つかの実施形態では、複数の処理ユニット及び／又は非一時的コンピュータ可読媒体のうちの１つ又は複数は、異なる場所、例えば移動体、支持機構、搭載物、端末、感知ユニット、上記のうち１つ又は複数と通信する追加の外部デバイス、又はこれらの適する組合せに配置することができ、それにより、システム７００により実行される処理及び／又はメモリ機能の任意の適する態様は、上記場所のうちの１つ又は複数で行うことができる。
【０１９４】
本願発明の好ましい実施形態が本明細書に示され、説明されたが、そのような実施形態は、単に例として提供されたことが当業者には明らかである。多くの修正、変更、及び置換が、本発明から逸脱することなく、当業者に想起されるであろう。本明細書に記載された本発明の実施形態に対する様々な代替が、本発明の実行に際して利用可能なことが理解されるべきである。以下の特許請求の範囲が本発明の範囲を規定し、これらの特許請求の範囲及びそれらの均等物内の方法及び構造がそれにより包含されることが意図される。
【図１】
2019537306.tif 000006
【図２】
2019537306.tif 000007
【図３】
2019537306.tif 000008
【図４】
2019537306.tif 000009
【図５】
2019537306.tif 000010
【図６】
2019537306.tif 000011
【図７】
2019537306.tif 000012
【図８】
2019537306.tif 000013
【図９】
2019537306.tif 000014
【図１０】
2019537306.tif 000015
【図１１】
2019537306.tif 000016
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
制御装置において、
移動体により支持される撮像装置により取得される画像を表示するディスプレイと、
（１）前記画像内に表示されているターゲットを示すユーザ入力に関する情報を取得し、
（２）前記ターゲットを示す前記ユーザ入力に関する前記情報に基づいて、（ａ）前記撮像装置のズームレベル、及び（ｂ）前記ターゲットに関する前記撮像装置の姿勢の自動制御を実行する１つ又は複数のプロセッサと
を含む制御装置。
【請求項２】
前記ディスプレイはタッチクリーンである、請求項１に記載の制御装置。
【請求項３】
前記ユーザ入力は前記ディスプレイのある領域に対する接触である、請求項１又は請求項２に記載の制御装置。
【請求項４】
前記ディスプレイの前記領域は前記ターゲットを表示している、請求項３に記載の制御装置。
【請求項５】
前記ユーザ入力に関する前記情報は前記ディスプレイ内の、前記ターゲットが示される場所を含む、請求項１から請求項４の何れか１項に記載の制御装置。
【請求項６】
前記ディスプレイは更に、前記撮像装置の前記ズームレベルを制御するための１つ又は複数のズームコントロールを表示する、請求項１から請求項５の何れか１項に記載の制御装置。
【請求項７】
前記１つ又は複数のズームコントロールは、（ｉ）前記撮像装置の前記ズームレベルを上げるズームインコントロールと、（ｉｉ）前記撮像装置の前記ズームレベルを下げるズームアウトコントロールとを含む、請求項６に記載の制御装置。
【請求項８】
前記１つ又は複数のズームコントロールは、前記撮像装置の前記ズームレベルをプリセットズームレベルに設定するためのデフォルトズームコントロールを含む、請求項６に記載の制御装置。
【請求項９】
前記プリセットズームレベルは、ユーザにより構成可能である、請求項８に記載の制御装置。
【請求項１０】
前記ディスプレイは更に、ユーザが前記撮像装置の前記ズームレベルを自動的に調整するための所定のズーム比を選択するメニューを表示する、請求項１から請求項９の何れか１項に記載の制御装置。
【請求項１１】
（ａ）前記撮像装置のズームレベル及び（ｂ）前記ターゲットに関する前記撮像装置の姿勢の前記自動制御を実行するためのデータは、前記撮像装置、前記撮像装置を支持する支持機構、及び前記移動体のうちの少なくとも１つに対する（ａ）前記撮像装置のズームレベル及び（ｂ）前記ターゲットに関する前記撮像装置の姿勢の前記自動制御のための命令を含む、請求項１から請求項１０の何れか１項に記載の制御装置。
【請求項１２】
（ａ）前記撮像装置のズームレベル及び（ｂ）前記ターゲットに関する前記撮像装置の姿勢の前記自動制御を実行するためのデータは、前記撮像装置、前記撮像装置を支持する支持機構、又は前記移動体に送信されるべき、前記ディスプレイ内の前記ターゲットを示す座標を含む、請求項１から請求項１０の何れか１項に記載の制御装置。
【請求項１３】
前記座標は、前記支持機構の一つ又は複数の作動機構、及び前記移動体の１つ又は複数の作動機構の少なくとも１つのための制御コマンドを生成するために使用される、請求項１２に記載の制御装置。
【請求項１４】
（ａ）前記撮像装置のズームレベル及び（ｂ）前記ターゲットに関する前記撮像装置の姿勢の前記自動制御を実行するためのデータは、前記撮像装置、前記撮像装置を支持する支持機構、又は前記移動体に送信されるべき、前記撮像装置の前記ズームレベルを自動的に調整するための所定の比を含む、請求項１から請求項１０の何れか１項に記載の制御装置。
【請求項１５】
前記撮像装置の前記ズームレベルは、前記撮像装置の前記ズームレベルを所定の比により自動的に調整することによって自動的に制御される、請求項１から請求項１２の何れか１項に記載の制御装置。
【請求項１６】
前記撮像装置の前記ズームレベルは、ズームインを実行するために自動的に調整される、請求項１５に記載の制御装置。
【請求項１７】
前記ターゲットに関する前記撮像装置の前記姿勢は、前記移動体に関する前記撮像装置の姿勢、前記ターゲットに関する前記移動体の姿勢、又は前記撮像装置の前記姿勢と前記移動体の前記姿勢の両方を調整することによって自動的に調整される、請求項１から請求項１６の何れか１項に記載の制御装置。
【請求項１８】
前記ターゲットに関する前記撮像装置の前記姿勢は、前記ターゲットが前記ディスプレイ内の所定の場所に、又はその付近に表示されるように自動的に制御される、請求項１から請求項１７の何れか１項に記載の制御装置。
【請求項１９】
（ａ）前記撮像装置のズームレベル及び（ｂ）前記ターゲットに関する前記撮像装置の姿勢の前記自動制御を実行するためのデータは（ａ）前記撮像装置のズームレベル及び（ｂ）前記ターゲットに関する前記撮像装置の姿勢の前記自動制御を実行するための前記自動制御を実質的に同時に実行する、請求項１から請求項１８の何れか１項に記載の制御装置。
【請求項２０】
前記撮像装置、前記撮像装置を支持する支持機構、及び前記移動体のうちの少なくとも１つと通信する通信ユニットを更に含む、請求項１から請求項１９の何れか１項に記載の制御装置。
【請求項２１】
前記撮像装置は前記移動体に対して移動可能である、請求項１から請求項２０の何れか１項に記載の制御装置。
【請求項２２】
前記撮像装置は、支持機構を用いて前記移動体により支持される、請求項１から請求項２１の何れか１項に記載の制御装置。
【請求項２３】
前記支持機構により前記撮像装置は少なくとも２つの軸の周囲で前記移動体に対して回転できる、請求項２２に記載の制御装置。
【請求項２４】
前記移動体は無人航空機（ＵＡＶ）である、請求項１から請求項２３の何れか１項に記載の制御装置。
【請求項２５】
画像を取得する方法において、
移動体により支持される撮像装置により取得された前記画像をディスプレイ上に表示するステップと、
前記画像内に表示されているターゲットを示すユーザ入力に関する情報を取得するステップと、
前記ターゲットを示す前記ユーザ入力に関する前記情報に基づいて、（ａ）前記ディスプレイ上に表示されている前記ターゲットの大きさ、及び（ｂ）前記ディスプレイ上に表示されている前記ターゲットの位置の自動制御を実行するデータを生成するステップと、
を含む方法。
【手続補正２】
【補正対象書類名】明細書
【補正対象項目名】０１９４
【補正方法】変更
【補正の内容】
【０１９４】
本願発明の好ましい実施形態が本明細書に示され、説明されたが、そのような実施形態は、単に例として提供されたことが当業者には明らかである。多くの修正、変更、及び置換が、本発明から逸脱することなく、当業者に想起されるであろう。本明細書に記載された本発明の実施形態に対する様々な代替が、本発明の実行に際して利用可能なことが理解されるべきである。以下の特許請求の範囲が本発明の範囲を規定し、これらの特許請求の範囲及びそれらの均等物内の方法及び構造がそれにより包含されることが意図される。
［項目１］
制御装置において、
移動体により支持される撮像装置により取得される画像を表示するディスプレイと、
（１）上記画像内に表示されているターゲットを示すユーザ入力に関する情報を取得し、
（２）上記ターゲットを示す上記ユーザ入力に関する上記情報に基づいて、（ａ）上記撮像装置のズームレベル、及び（ｂ）上記ターゲットに関する上記撮像装置の姿勢の自動制御を実行する１つ又は複数のプロセッサと
を含む制御装置。
［項目２］
上記ディスプレイはタッチクリーンである、項目１に記載の制御装置。
［項目３］
上記ユーザ入力は上記ディスプレイのある領域に対する接触である、項目２に記載の制御装置。
［項目４］
ディスプレイの上記領域は上記ターゲットを表示している、項目３に記載の制御装置。
［項目５］
上記ターゲットを示す上記ユーザ入力は１回のユーザ動作により提供される、項目１に記載の制御装置。
［項目６］
上記ユーザ入力に関する上記情報は上記ディスプレイ内の、上記ターゲットが示される場所を含む、項目１に記載の制御装置。
［項目７］
上記ディスプレイは更に、上記撮像装置の上記ズームレベルを制御するための１つ又は複数のズームコントロールを表示する、項目１に記載の制御装置。
［項目８］
上記１つ又は複数のズームコントロールは、（ｉ）上記撮像装置の上記ズームレベルを上げるズームインコントロールと、（ｉｉ）上記撮像装置の上記ズームレベルを下げるズームアウトコントロールとを含む、項目７に記載の制御装置。
［項目９］
上記１つ又は複数のズームコントロールは、上記撮像装置の上記ズームレベルをプリセットズームレベルに設定するためのデフォルトズームコントロールを含む、項目７に記載の制御装置。
［項目１０］
上記プリセットズームレベルは、ユーザにより構成可能である、項目７に記載の制御装置。
［項目１１］
上記ディスプレイは更に、ユーザが上記撮像装置の上記ズームレベルを自動的に調整するための所定のズーム比を選択するメニューを表示する、項目１に記載の制御装置。
［項目１２］
（ａ）及び（ｂ）の上記自動制御を実行するための上記データは、上記撮像装置、上記撮像装置を支持する支持機構、又は上記移動体のうちの少なくとも１つに対する（ａ）及び（ｂ）の上記自動制御のための命令を含む、項目１に記載の制御装置。
［項目１３］
（ａ）及び（ｂ）の上記自動制御を実行するための上記データは、上記撮像装置、上記撮像装置を支持する支持機構、又は上記移動体に送信されるべき、上記ディスプレイ内の上記ターゲットを示す座標を含む、項目１に記載の制御装置。
［項目１４］
上記座標は、上記支持機構及び／又は上記移動体の１つ又は複数の作動機構のための制御コマンドを生成するために使用される、項目１３に記載の制御装置。
［項目１５］
（ａ）及び（ｂ）の上記自動制御を実行するための上記データは、上記撮像装置、上記撮像装置を支持する支持機構、又は上記移動体に送信されるべき、上記撮像装置の上記ズームレベルを自動的に調整するための所定の比を含む、項目１に記載の制御装置。
［項目１６］
上記撮像装置の上記ズームレベルは、上記撮像装置の上記ズームレベルを所定の比により自動的に調整することによって自動的に制御される、項目１に記載の制御装置。
［項目１７］
上記撮像装置の上記ズームレベルは、ズームインを実行するために自動的に調整される、項目１６に記載の制御装置。
［項目１８］
上記ターゲットに関する上記撮像装置の上記姿勢は、上記移動体に関する上記撮像装置の姿勢、上記ターゲットに関する上記移動体の姿勢、又は上記撮像装置の上記姿勢と上記移動体の上記姿勢の両方を調整することによって自動的に調整される、項目１に記載の制御装置。
［項目１９］
上記ターゲットに関する上記撮像装置の上記姿勢は、上記ターゲットが上記ディスプレイ内の所定の場所に、又はその付近に表示されるように自動的に制御される、項目１に記載の制御装置。
［項目２０］
上記データは（ａ）及び（ｂ）の上記自動制御を実質的に同時に実行する、項目１に記載の制御装置。
［項目２１］
上記撮像装置、上記撮像装置を支持する支持機構、又は上記移動体のうちの少なくとも１つと通信する通信ユニットを更に含む、項目１に記載の制御装置。
［項目２２］
上記撮像装置は上記移動体に対して移動可能である、項目１に記載の制御装置。
［項目２３］
上記撮像装置は、支持機構を用いて上記移動体により支持される、項目１に記載の制御装置。
［項目２４］
上記支持機構により上記撮像装置は少なくとも２つの軸の周囲で上記移動体に対して回転できる、項目２３に記載の制御装置。
［項目２５］
上記移動体は無人航空機（ＵＡＶ）である、項目１に記載の制御装置。
［項目２６］
画像を取得するためのプログラム命令を含む非一時的コンピュータ可読媒体において、
移動体により支持される撮像装置により取得された上記画像をディスプレイ上に表示するためのプログラム命令と、
上記画像内に表示されているターゲットを示すユーザ入力に関する情報を取得するためのプログラム命令と、
上記ターゲットを示す上記ユーザ入力に関する上記情報に基づいて、（ａ）上記撮像装置のズームレベルと、（ｂ）上記ターゲットに関する上記撮像装置の姿勢の自動制御を実行するためのデータを生成するプログラム命令と
を含む非一時的コンピュータ可読媒体。
［項目２７］
上記ディスプレイはタッチスクリーンである、項目２６に記載の非一時的コンピュータ可読媒体。
［項目２８］
上記ターゲットを示す上記ユーザ入力は１回のユーザ動作により提供される、項目２６に記載の非一時的コンピュータ可読媒体。
［項目２９］
上記ディスプレイは更に、上記撮像装置の上記ズームレベルを制御するための１つ又は複数のズームコントロールを表示する、項目２６に記載の非一時的コンピュータ可読媒体。
［項目３０］
上記データは、（ａ）及び（ｂ）の上記自動制御を実質的に同時に実行する、項目２６に記載の非一時的コンピュータ可読媒体。
［項目３１］
画像を取得する方法において、
移動体により支持される撮像装置により取得された画像をディスプレイ上に表示するステップと、
上記画像内に表示されているターゲットを示すユーザ入力に関する情報を取得するステップと、
上記ターゲットを示す上記ユーザ入力に関する上記情報に基づいて、（ａ）上記撮像装置のズームレベル、及び（ｂ）上記ターゲットに関する上記撮像装置の姿勢の自動制御を実行するためのデータを生成するステップと
を含む方法。
［項目３２］
上記ディスプレイはタッチスクリーンである、項目３１に記載の方法。
［項目３３］
上記ターゲットを示す上記ユーザ入力は１回のユーザ動作により提供される、項目３１に記載の方法。
［項目３４］
上記データは、（ａ）及び（ｂ）の上記自動制御を実質的に同時に実行する、項目３１に記載の方法。
［項目３５］
制御装置において、
移動体により支持される撮像装置により取得された画像を表示するディスプレイと、
（１）上記画像内に表示されているターゲットを示すユーザ入力に関する情報を取得し、
（２）上記ターゲットを示す上記ユーザ入力に関する上記情報に基づいて、（ａ）上記ディスプレイ上に表示される上記ターゲットの大きさ、及び（ｂ）上記ディスプレイ上に表示されている上記ターゲットの位置の自動制御を実行するためのデータを生成する１つ又は複数のプロセッサと
を含む制御装置。
［項目３６］
上記ディスプレイはタッチスクリーンである、項目３５に記載の制御装置。
［項目３７］
上記ユーザ入力は上記ディスプレイのある領域に対する接触である、項目３６に記載の制御装置。
［項目３８］
ディスプレイの上記領域は上記ターゲットを表示している、項目３７に記載の制御装置。
［項目３９］
上記ターゲットを示す上記ユーザ入力は１回のユーザ動作により提供される、項目３５に記載の制御装置。
［項目４０］
上記ユーザ入力に関する上記情報は、上記ディスプレイ内の上記ターゲットが表示されている場所を含む、項目３５に記載の制御装置。
［項目４１］
上記ディスプレイは更に、上記撮像装置の上記ズームレベルを制御するための１つ又は複数のズームコントロールを表示する、項目３５に記載の制御装置。
［項目４２］
上記１つ又は複数のズームコントロールは、（ｉ）上記撮像装置の上記ズームレベルを上げるズームインコントロールと、（ｉｉ）上記撮像装置の上記ズームレベルを下げるズームアウトコントロールを含む、項目４１に記載の制御装置。
［項目４３］
上記１つ又は複数のズームコントロールは、上記撮像装置の上記ズームレベルをプリセットズームレベルに設定するためのデフォルトズームコントロールを含む、項目４１に記載の制御装置。
［項目４４］
上記プリセットズームレベルは、ユーザにより構成可能である、項目４１に記載の制御装置。
［項目４５］
上記ディスプレイは、ユーザが上記撮像装置の上記ズームレベルを自動的に調整するための所定のズーム比を選択するメニューを更に表示する、項目３５に記載の制御装置。
［項目４６］
（ａ）及び（ｂ）の上記自動制御を実行するための上記データは、上記撮像装置、上記撮像装置を支持する支持機構、又は上記移動体のうちの少なくとも１つに対する（ａ）及び（ｂ）の上記自動制御のための命令を含む、項目３５に記載の制御装置。
［項目４７］
（ａ）及び（ｂ）の上記自動制御を実行するための上記データは、上記撮像装置、上記撮像装置を支持する支持機構、又は上記移動体に送信されるべき、上記ターゲットを表示する上記ディスプレイ内の座標を含む、項目３５に記載の制御装置。
［項目４８］
（ａ）及び（ｂ）の上記自動制御を実行するための上記データは、上記撮像装置、上記撮像装置を支持する支持機構、又は上記移動体に送信されるべき上記撮像装置の上記ズームレベルを自動的に調整するための所定の比を含む、項目３５に記載の制御装置。
［項目４９］
上記ターゲットの大きさは、上記撮像装置のズームレベルを自動的に制御することによって自動的に制御される、項目３５に記載の制御装置。
［項目５０］
上記撮像装置の上記ズームレベルは、ズームインを実行するために自動的に調整される、項目３５に記載の制御装置。
［項目５１］
上記ターゲットの上記大きさは、上記撮像装置のズームレベル、上記ターゲットまでの上記撮像装置の距離、又は上記撮像装置の上記ズームレベルと上記ターゲットまでの上記撮像装置の上記距離の両方を自動的に制御することによって自動的に制御される、項目３５に記載の制御装置。
［項目５２］
上記ターゲットの上記位置は、上記ターゲットに関する上記移動体の姿勢を自動的に制御することによって自動的に制御される、項目３５に記載の制御装置。
［項目５３］
上記ターゲットに関する上記撮像装置の姿勢は、上記移動体に関する上記撮像装置の姿勢、上記ターゲットに関する上記移動体の姿勢、又は上記撮像装置の上記姿勢と上記移動体の上記姿勢の両方を調整することによって自動的に調整される、項目３５に記載の制御装置。
［項目５４］
上記データは、（ａ）及び（ｂ）の上記自動制御を実質的に同時に実行する、項目３５に記載の制御装置。
［項目５５］
上記撮像装置、上記撮像装置を支持する支持機構、又は上記移動体の少なくとも１つと通信する通信ユニットを更に含む、項目３５に記載の制御装置。
［項目５６］
上記通信ユニットは、（ａ）及び（ｂ）の上記自動制御を実行するためのデータを無線送信するように構成される、項目５５に記載の制御装置。
［項目５７］
上記撮像装置は、支持機構を用いて上記移動体により支持される、項目３５に記載の制御装置。
［項目５８］
上記移動体は無人航空機（ＵＡＶ）である、項目３５に記載の制御装置、項目１に記載の制御装置。
［項目５９］
画像を取得するためのプログラム命令を含む非一時的コンピュータ可読媒体において、
移動体により支持される撮像装置により取得された上記画像をディスプレイ上に表示するためのプログラム命令と、
上記画像内に表示されているターゲットを示すユーザ入力に関する情報を取得するためのプログラム命令と、
上記ターゲットを示す上記ユーザ入力に関する上記情報に基づいて、（ａ）上記ディスプレイ上に表示されている上記ターゲットの大きさ、及び（ｂ）上記ディスプレイ上に表示されている上記ターゲットの位置の自動制御を実行するデータを生成するためのプログラム命令と
を含む非一時的コンピュータ可読媒体。
［項目６０］
上記ディスプレイはタッチスクリーンである、項目５９に記載の非一時的コンピュータ可読媒体。
［項目６１］
上記ターゲットを示す上記ユーザ入力は１回のユーザ動作により提供される、項目５９に記載の非一時的コンピュータ可読媒体。
［項目６２］
［項目６３］
上記データは（ａ）及び（ｂ）の上記自動制御を実質的に同時に実行する、項目５９に記載の非一時的コンピュータ可読媒体。
［項目６４］
画像を取得する方法において、
移動体により支持される撮像装置により取得された上記画像をディスプレイ上に表示するステップと、
上記画像内に表示されているターゲットを示すユーザ入力に関する情報を取得するステップと、
上記ターゲットを示す上記ユーザ入力に関する上記情報に基づいて、（ａ）上記ディスプレイ上に表示されている上記ターゲットの大きさ、及び（ｂ）上記ディスプレイ上に表示されている上記ターゲットの位置の自動制御を実行するデータを生成するステップと、
を含む方法。
［項目６５］
上記ターゲットを示す上記ユーザ入力は１回のユーザ動作により提供される、項目６４に記載の方法。
［項目６６］
上記移動体は無人航空機（ＵＡＶ）である、項目６４に記載の方法、項目１に記載の制御装置。
［項目６７］
制御装置において、
移動体により支持される撮像装置により取得された１つ又は複数の画像を表示するディスプレイと、
（１）上記ディスプレイ上に表示された上記画像のズームレベルをプリセットズームレベルまで、又は所定のズーム比により調整することを示すユーザ入力に関する情報を取得し、
（２）１回のユーザ入力に基づいて、（ａ）上記撮像装置のズームレベル、（ｂ）上記画像内に表示されている上記ターゲットからの上記撮像装置の距離、又は（ｃ）上記撮像装置の上記ズームレベルと上記撮像装置の上記距離の両方の自動調整を実行して、（ｉ）上記ディスプレイ上に表示された上記画像が上記プリセットズームレベルであるか、又は（ｉｉ）上記ディスプレイ上に表示された上記画像の上記ズームレベルが上記所定のズーム比により調整される１つ又は複数のプロセッサと
を含む制御装置。
［項目６８］
上記プリセットズームレベルは１×の光学ズームである、項目６７に記載の制御装置。
［項目６９］
上記プリセットズームレベルは、上記撮像装置が画像の取得を開始する当初のズームレベルである、項目６７に記載の制御装置。
［項目７０］
上記画像の上記ズームレべルは、上記プリセットズームレベルに、（１）上記撮像装置がズーム可能な、（２）上記ターゲットからの上記撮像装置の上記距離が変更可能な、又は（３）（１）と（２）の組合せのうちの最速の速度で自動的に調整される、項目６７に記載の制御装置。
［項目７１］
上記１回のユーザ入力は上記ディスプレイ上の所定の領域のタッチである、項目６７に記載の制御装置。
［項目７２］
上記ディスプレイの上記所定の領域は、上記画像が上記プリセットズームレベルまでズームされるようにするデフォルトズームコントロールを表示する、項目７１に記載の制御装置。
［項目７３］
上記ディスプレイは、そこを通じてユーザが上記ズーム比を選択するメニューを更に表示する、項目６７に記載の制御装置。
［項目７４］
上記メニューは、上記ユーザが上記ディスプレイを時間の閾値長さより長い時間にわたりタッチした時に可視化される、項目７３に記載の制御装置。
［項目７５］
上記メニューは、上記ユーザが上記ディスプレイを閾値圧力より高い圧力でタッチした時に可視化する、項目７３に記載の制御装置。
［項目７６］
上記ディスプレイはタッチスクリーンである、項目６７に記載の制御装置。
［項目７７］
上記上記ディスプレイは、上記ユーザが上記画像のズームイン又はズームアウトを制御するための１つ又は複数のズームコントロールを更に表示する、項目６７に記載の制御装置。
［項目７８］
上記１つ又は複数のズームコントロールは、（ｉ）上記ディスプレイのズームイン領域であって、上記ユーザが上記ズームイン領域に触っている間に上記画像がズームインされるようにするズームイン領域と、（ｉｉ）上記ディスプレイのズームアウト領域であって、上記ユーザが上記ズームアウト領域に触っている間に上記画像がズームアウトされるようにするズームアウト領域とを含む、項目７７に記載の制御装置。
［項目７９］
上記（ａ）、（ｂ）、又は（ｃ）の上記自動調整を実行する上記命令は、上記撮像装置、上記撮像装置を支持する支持機構、又は上記移動体のうちの少なくとも１つに対する（ａ）、（ｂ）、又は（ｃ）の上記自動調整のための命令を含む、項目６７に記載の制御装置。
［項目８０］
上記画像の上記ズームレベルは、上記撮像装置の上記ズームレベルを自動的に調整することによって自動的に調整される、項目６７に記載の制御装置。
［項目８１］
上記制御装置、上記撮像装置、上記撮像装置を支持する支持機構、又は上記移動体のうちの少なくとも１つと通信する通信ユニットを更に含む、項目６７に記載の制御装置。
［項目８２］
上記撮像装置は、支持機構を用いて上記移動体により支持される、項目６７に記載の制御装置。
［項目８３］
上記移動体は無人航空機（ＵＡＶ）である、項目６７に記載の制御装置。
［項目８４］
画像のズームレベルを制御するためのプログラム命令を含む非一時的コンピュータ可読媒体において、
移動体により支持された撮像装置により取得された１つ又は複数の画像をディスプレイ上に表示するためのプログラム命令と、
上記ディスプレイ上に表示された画像のズームレベルをプリセットズームレベルまで、又は所定のズーム比により調製することを示す１回のユーザ入力に関する情報を取得するためのプログラム命令と、
上記１回のユーザ入力に基づいて、（ａ）上記撮像装置のズームレベル、（ｂ）上記画像内のターゲットからの上記撮像装置の距離、又は（ｃ）上記撮像装置の上記ズームレベルと上記距離の両方の自動調整を実行して、（ｉ）上記ディスプレイ上に表示された上記画像が上記プリセットズームレベルであるか、又は（ｉｉ）上記ディスプレイ上に表示された上記画像の上記ズームレベルが上記所定のズーム比により調整されるようにするためのプログラム命令と、
を含む非一時的コンピュータ可読媒体。
［項目８５］
上記画像の上記ズームレべルは、上記プリセットズームレベルに、（１）上記撮像装置がズーム可能な、（２）上記ターゲットからの上記撮像装置の上記距離が変更可能な、又は（３）（１）と（２）の組合せのうちの最速の速度で自動的に調整される、項目８４に記載の非一時的コンピュータ可読媒体。
［項目８６］
上記１回のユーザ入力は上記ディスプレイ上の所定の領域のタッチである、項目８４に記載の非一時的コンピュータ可読媒体。
［項目８７］
上記移動体は無人航空機（ＵＡＶ）である、項目８４に記載の非一時的コンピュータ可読媒体。
［項目８８］
画像のズームレベルを制御する方法において、
移動体により支持される撮像装置により取得された１つ又は複数の画像をディスプレイ上に表示するステップと、
上記ディスプレイ上に表示された画像のズームレベルをプリセットズームレベル又は所定のズーム比まで調整することを示す１回のユーザ入力に関する情報を取得するステップと、
上記１回のユーザ入力に基づいて、（ａ）上記撮像装置のズームレベル、（ｂ）上記画像内のターゲットからの上記撮像装置の距離、又は（ｃ）上記撮像装置の上記ズームレベルと上記距離の両方の自動調整を実行して、（ｉ）上記ディスプレイ上に表示された上記画像が上記プリセットズームレベルであるか、又は（ｉｉ）上記ディスプレイ上に表示された上記画像の上記ズームレベルが上記所定のズーム比により調整されるようにするための命令を生成するステップと、
を含む方法。
［項目８９］
上記画像の上記ズームレべルは、上記プリセットズームレベルに、（１）上記撮像装置がズーム可能な、（２）上記ターゲットからの上記撮像装置の上記距離が変更可能な、又は（３）（１）と（２）の組合せのうちの最速の速度で自動的に調整される、項目８８に記載の方法。
［項目９０］
上記１回のユーザ入力は上記ディスプレイ上の所定の領域のタッチである、項目８８に記載の方法。
【国際調査報告】
2019537306.tif 000017
2019537306.tif 000018